(57)【要約】  基地局装置が、移動局装置からのチャネルフィードバックレポートとスケジューリング要求に応じて、適切なＡＭＣモードでＰＵＳＣＨのリソースを割り当てる効率的な送信制御を実現すると共に、移動局装置がチャネルフィードバックレポートのみを送信する際に、上りリンクデータを迅速に送信できる（ＵＬ−ＳＣＨでの送信を迅速に行なうことができる）移動局装置および通信システムを提供する。基地局装置１００が物理上りリンク共用チャネルを割り当て、移動局装置２００が物理上りリンク共用チャネルで上りリンクデータを送信するシステムに適用される移動局装置２００であって、基地局装置１００に上りリンクデータを送信するためのリソースの割り当てを要求するスケジューリング要求を、物理上りリンク共用チャネルを使用して基地局装置１００に対して送信する。
2009128285.tif 000002
【特許請求の範囲】
【請求項１】
基地局装置が物理上りリンク共用チャネルを割り当て、移動局装置が前記物理上りリンク共用チャネルで上りリンクデータを送信するシステムに適用される移動局装置であって、
前記基地局装置に上りリンクデータを送信するためのリソースの割り当てを要求するスケジューリング要求を、前記物理上りリンク共用チャネルを使用して前記基地局装置に対して送信することを特徴とする移動局装置。
【請求項２】
基地局装置から上りリンクデータを含めずにチャネルフィードバックレポートを送信するように指示する上りリンク送信許可信号を受信した場合に、前記上りリンク送信許可信号で指定されたリソースでスケジューリング要求を送信することを特徴とする移動局装置。
【請求項３】
前記スケジューリング要求を、物理上りリンク共用チャネルに割り当て、前記基地局装置に対して、物理上りリンク共用チャネルで前記スケジューリング要求を送信する送信部を備えることを特徴とする請求項１または請求項２記載の移動局装置。
【請求項４】
前記スケジューリング要求を、チャネルフィードバックレポートと同時に送信することを特徴とする請求項１または請求項２記載の移動局装置。
【請求項５】
前記物理上りリンク共用チャネルで、時間軸方向に対して上りリンク参照信号と隣接する位置に前記スケジューリング要求を配置し、前記チャネルフィードバックレポートと多重化することを特徴とする請求項４記載の移動局装置。
【請求項６】
前記物理上りリンク共用チャネルで、時間軸方向に対してＡＣＫ／ＮＡＣＫと隣接する位置に前記スケジューリング要求を配置し、前記チャネルフィードバックレポートと多重化することを特徴とする請求項４記載の移動局装置。
【請求項７】
前記物理上りリンク共用チャネルで、時間軸方向に対してＲＩ（Rank Indicator）と隣接する位置に前記スケジューリング要求を配置し、前記チャネルフィードバックレポートと多重化することを特徴とする請求項４記載の移動局装置。
【請求項８】
前記物理上りリンク共用チャネルで、時間軸方向に対して上りリンク参照信号と隣接する位置であって、かつ、前記上りリンク参照信号に隣接するＡＣＫ／ＮＡＣＫと周波数軸方向に対して反対側の位置に前記スケジューリング要求を配置し、前記チャネルフィードバックレポートと多重化することを特徴とする請求項４記載の移動局装置。
【請求項９】
請求項１から請求項８のいずれかに記載の移動局装置と、
前記移動局装置がスケジューリング要求を送信するリソースを指定するための上りリンクデータを含めずにチャネルフィードバックレポートを送信するように指示する上りリンク送信許可信号を、前記移動局装置に対して送信する基地局装置と、から構成されることを特徴とする通信システム。
【発明の詳細な説明】
【技術分野】
【０００１】
本発明は、基地局装置に対して、チャネルフィードバックレポートを送信する移動局装置および通信システムに関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本とした携帯電話システムの仕様の検討・作成を行なうプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。３ＧＰＰでは、第３世代無線アクセス技術の進化（Evolved Universal Terrestrial Radio Access：以下、「ＥＵＴＲＡ」と呼称する。）が検討されている。【０００３】
ＥＵＴＲＡにおける下りリンク通信方式として、互いに直交するサブキャリアを用いてユーザ多重化を行なうＯＦＤＭＡ（Orthogonal Frequency Division Multiple Access）方式が提案されている。また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。ＡＭＣＳとは、高速パケットデータ伝送を効率的に行なうために、各移動局装置のチャネル品質に応じて、誤り訂正方式、誤り訂正の符号化率、データ変調多値数などの無線伝送パラメータ（以下、ＡＭＣモードと称する。）を切り替える方式である。各移動局装置のチャネル品質は、ＣＱＩ（Channel Quality Indicator）を使って基地局装置へフィードバックされる。【０００４】
ＯＦＤＭＡにおいて、通信可能な領域を物理的にサブキャリアに対応する周波数領域と時間領域において分割することができる。この分割領域をいくつかにまとめたものは物理リソースブロックと呼ばれ、一つ、または、いくつかの物理リソースブロックを各移動局装置へ割り振り、複数の移動局装置を多重化した通信が行なわれる。基地局装置と各移動局装置とが、その要求に応じた最適な品質・速度での通信を行なうためには、各移動局装置における各サブキャリアに対応する周波数帯のチャネル品質を考慮した物理リソースブロックへの割り当ておよび伝送方式の決定が必要である。伝送方式やスケジューリングは基地局装置が行なうため、この要求を実現するために、基地局装置へ各移動局装置から周波数領域ごとのチャネル品質がフィードバックされる。さらに、必要な場合には、基地局装置へ各移動局装置が選択した（例えば、チャネル品質の良い）周波数領域を示す情報がフィードバックされる。【０００５】
また、ＥＵＴＲＡにおいては通信路容量を増大するために、ＭＩＭＯ（Multiple Input Multiple Output）を利用したＳＤＭ（Space Division Multiplexing：空間多重技術）やＳＦＢＣ（Space-Frequency Block Coding）、ＣＤＤ（Cycle Delay Diversity）といった送信ダイバーシティの利用が提案されている。ＭＩＭＯは、多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼ぶ。ＭＩＭＯ通信時におけるストリームの数（Rank）は、チャネル状態を考慮し、基地局装置が決定する。移動局装置が要求するストリームの数（Rank）は、移動局装置から基地局装置へＲＩ（Rank Indicator）を使ってフィードバックされる。【０００６】
また、ダウンリンクにおけるＳＤＭの利用時については、各アンテナから送信される複数ストリームの情報を正しく分離するために、予め送信信号系列を前処理する（これを、「プレコーディング」と呼称する。）ことが検討されている。プレコーディングの情報は、移動局装置が推定したチャネル状態をもとに算出することができ、移動局装置から基地局装置にＰＭＩ（Precoding Matrix Indicator）を使ってフィードバックされる。【０００７】
このように、最適な品質での通信を実現するために、各移動局装置から基地局装置へ、チャネル状態を示す様々な情報をフィードバックすることが必要とされている。このチャネルフィードバックレポート（チャネル状態情報）はＣＱＩ、ＰＭＩ、ＲＩなどで形成されている。これらのチャネルフィードバックレポートのビット数やフォーマットは、状況に応じて基地局装置から移動局装置へ指定される。【０００８】
図１７は、ＥＵＴＲＡにおけるチャネル構成を示す図である（非特許文献１参照）。ＥＵＴＲＡの下りリンクは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）と、により構成されている。また、ＥＵＴＲＡの上りリンクは、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）と、により構成されている。【０００９】
ＥＵＴＲＡにおいて、上りリンクシングルキャリアの性質上、移動局装置から異なるチャネル（例えば、ＰＵＳＣＨとＰＵＣＣＨ）を使用して、同時に送信することはできない。移動局装置は、これらのチャネルを同じタイミングで送信する際には、仕様等の定義に従って情報を多重化して定められたチャネルで送信するか、若しくは、仕様等の定義に従っていずれかの情報のみを送信する（その他のデータは送信しない（ドロップする））。【００１０】
ＰＵＣＣＨは、チャネルフィードバックレポート（ＣＱＩ、ＰＭＩ、ＲＩ）、移動局装置が上りリンクデータを送信するためのリソースの割り当てを要求する（ＵＬ−ＳＣＨでの送信を要求する）スケジューリング要求（ＳＲ：Scheduling Request）、下りリンク送信に対するＨＡＲＱ肯定応答（ＡＣＫ）／否定応答（ＮＡＣＫ）などの上りリンク制御データを送信するために使用されるチャネルである。【００１１】
一方、ＰＵＳＣＨは、主に上りリンクデータを送信するために使用されるが、ＰＵＣＣＨを使用して送信されない場合に、チャネルフィードバックレポートも、上りリンクデータ（ＵＬ−ＳＣＨ）と共にＰＵＳＣＨを使用して送信される。すなわち、チャネルフィードバックレポートは、ＰＵＳＣＨ、および／または、ＰＵＣＣＨを使用して基地局装置にフィードバックされることになる。一般的に、１サブフレーム内においては、ＰＵＣＣＨに比べてＰＵＳＣＨの方がチャネルフィードバックレポートを送信するために割り当てられるリソースが大きく、より詳細なチャネルフィードバックレポート（基地局装置、移動局装置によってサポートされる物理リソースブロック数が６５−１１０個（２０ＭＨｚシステム帯域幅）の場合で、おおよそ２０〜１００ビット程度以上の情報）を送信することができる。移動局装置は、ＰＵＣＣＨを使用して、１サブフレーム内で、おおよそ１５ビット程度以下の情報しか送信することができない。【００１２】
移動局装置はＰＵＣＣＨを使用して、チャネルフィードバックレポートを周期的に送信することができる。また、移動局装置はＰＵＳＣＨを使用して、チャネルフィードバックレポートを周期的、非周期的に送信することができる（非特許文献１、２）。例えば、基地局装置は移動局装置に対して、ＲＲＣシグナリング（無線資源制御信号）を使用して持続的（永続的）なＰＵＳＣＨのリソース、および、チャネルフィードバックレポートを送信させる周期（若しくは、周期とオフセット）を設定することによって、チャネルフィードバックレポートを、ＰＵＳＣＨを使用して周期的に送信させることができる。【００１３】
また、例えば、基地局装置は移動局装置に対して、ＲＲＣシグナリング（無線資源制御信号）を使用して、チャネルフィードバックレポートを送信させる周期（若しくは、周期とオフセット）を設定し、ＰＤＣＣＨを使用して上りリンク送信許可信号（アップリンクグラント、Ｌ１／Ｌ２グラント、スケジューリンググラントなどと呼ばれるが、以下、上りリンク送信許可信号と呼ぶ）を送信することにより、チャネルフィードバックレポートの送信を開始させる（チャネルフィードバックレポートを活性化させる）ことによっても、チャネルフィードバックレポートを、ＰＵＳＣＨを使用して周期的に送信させることができる。周期的チャネルフィードバックレポートの場合、通常（上りリンク送信許可信号が周期的チャネルフィードバックレポートを上書きした場合などを除く）、移動局装置は上りリンクデータとチャネルフィードバックレポートを同時には送信せずに、基地局装置に対して、チャネルフィードバックレポートのみをＰＵＳＣＨを使用して送信する。【００１４】
また、基地局装置は、移動局装置に対して、上り送信許可信号にチャネルフィードバックレポートの送信を要求する１ビットの情報（チャネルフィードバックレポートリクエストまたはチャネル状態レポートトリガー）を含めることにより、チャネルフィードバックレポートと上りリンクデータを、ＰＵＳＣＨを使用して非周期的（一時的、単発的）に送信させることができる。また、移動局装置はＰＵＳＣＨを使用してチャネルフィードバックレポートのみを非周期的に送信することができる。チャネルフィードバックレポートのみの送信とは、移動局装置が上りリンクデータとチャネルフィードバックレポートを同時には送信せずに、基地局装置に対して、チャネルフィードバックレポートのみを送信することである。【００１５】
図１８は、ＥＵＴＲＡにおいて、移動局装置が上りリンクデータ（格子模様で示される）、チャネルフィードバックレポート（薄黒塗りで示される）、ＡＣＫ／ＮＡＣＫ（網模様で示される）を、ＰＵＳＣＨを使用して同時に送信する際の多重化の例について記載している図である。図１８においては、上りリンクデータ、チャネルフィードバックレポート、ＡＣＫ／ＮＡＣＫ以外に、移動局装置がこれらの情報を復号する際に使用する上り参照信号（以下、「ＲＳ（Reference Symbol）」と呼称する。）も記載している。ＲＳは、図１８中、点模様で示されている。【００１６】
移動局装置が、上りリンクデータ、チャネルフィードバックレポート、ＡＣＫ／ＮＡＣＫを多重化する場合、まず、チャネルフィードバックレポートが時間軸方向に配置される。図１８では、チャネルフィードバックレポートが、まず時間軸の方向に配置され、時間軸方向の全てに配置された後（この例では、ＲＳを除く１２個の領域にチャネルフィードバックレポートが配置された後）に、周波数軸の方向に配置されていることが示されている（タイム・ファースト・マッピング）。ここで、チャネルフィードバックレポートが配置される領域数は、チャネルフィードバックレポートのＭＣＳ（Modulation and Coding Scheme、変調方式、および／または、符号化方式）に応じて異なってくる（変調方式、および／または、符号化方式はデフォルト値で固定されていてもよい）。【００１７】
続いて、チャネルフィードバックレポートと同様に、上りリンクデータもまず時間軸の方向に配置され、その後、周波数軸の方向に配置される（タイム・ファースト・マッピング）。チャネルフィードバックレポートは上りリンクデータの先（先頭）に配置される。チャネルフィードバックレポート、上りリンクデータがタイム・ファースト・マッピングで配置された後に、ＡＣＫ／ＮＡＣＫが、図１８に示すように、ＲＳに隣接して配置される。この際、ＡＣＫ／ＮＡＣＫは、上りリンクデータを上書きして配置される（ＡＣＫ／ＮＡＣＫは、上りリンクデータをパンクチャして配置される、と呼ぶ）。ＡＣＫ／ＮＡＣＫが配置できる領域数は、例えば、最大で４つ（図示、（ＲＳに隣接する４つの領域、時間軸方向にある１４個の領域のうち、時間軸の小さい方から３番目、５番目、１０番目、１２番目の４つの領域））である。移動局装置は、このように多重化した上りリンクデータとチャネルフィードバックレポートとＡＣＫ／ＮＡＣＫを、ＰＵＳＣＨを使用して同時に基地局装置に送信する。
【非特許文献１】３ＧＰＰ  ＴＳ  （Ｔｅｃｈｎｉｃａｌ  Ｓｐｅｃｉｆｉｃａｔｉｏｎ）  ３６．２１１，  Ｖ８．２．０  （２００８−０３），  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌ  ａｎｄ  Ｍｏｄｕｌａｔｉｏｎ  （Ｒｅｌｅａｓｅ  ８）
【非特許文献２】“Ｕｐｌｉｎｋ  Ｃｏｎｔｒｏｌ  Ｓｉｇｎａｌｉｎｇ  ｗｉｔｈ  Ｐｅｒｓｉｓｔｅｎｔ  Ｓｃｈｅｄｕｌｉｎｇ”，  ３ＧＰＰ  ＴＳＧ  ＲＡＮ  ＷＧ１  Ｍｅｅｔｉｎｇ  ＃５２，  Ｒ１−０８０７３９，  Ｆｅｂｒｕａｒｙ  ２００８
【非特許文献３】“Ｔｗｏ−ｌａｙｅｒ  ＣＱＩ  Ｓｃｈｅｍｅ  ｆｏｒ  Ｉｍｐｒｏｖｅｄ  ＰＵＣＣＨ  Ｅｆｆｉｃｉｅｎｃｙ”，  ３ＧＰＰ  ＴＳＧ  ＲＡＮ  ＷＧ１  Ｍｅｅｔｉｎｇ  ＃４９ｂｉｓ，  Ｒ１−０７３００９，  Ｊｕｎｅ  ２００７
【発明の開示】
【発明が解決しようとする課題】
【００１８】
しかしながら、従来の技術では、移動局装置が上りリンクデータを送信するためのリソースの割り当てを要求する（ＵＬ−ＳＣＨでの送信を要求する）スケジューリング要求はＰＵＣＣＨでのみ送信することが可能であり、また、チャネルフィードバックレポートと同じタイミングで送信することはできなかった。移動局装置において、スケジューリング要求とチャネルフィードバックレポートが同じタイミングで発生した場合、チャネルフィードバックレポートは送信せずに（ドロップする）、スケジューリング要求のみを送信していた。【００１９】
基地局装置は、各移動局装置から送信されたチャネルフィードバックレポートに応じて、下りリンクで送信する情報に施す誤り訂正方式、誤り訂正の符号化率、データ変調多値数などのＡＭＣモードを切り替える。移動局装置から送信されたスケジューリング要求に従って、基地局装置が上りリンクデータを送信する（ＵＬ−ＳＣＨでの送信をする）ためのリソースを割り当てる際に、チャネルフィードバックレポートがフィードバックされていなければ、移動局装置のチャネル品質に応じたＡＭＣモードで上りリンクデータを送信する（ＵＬ−ＳＣＨでの送信をする）ためのリソースの割り当てを行なうことはできない。【００２０】
すなわち、基地局装置が、移動局装置からの要求（リクエスト）によってＰＵＳＣＨのリソースを割り当てる際に、適切なＡＭＣモードを決定することができないという問題があった。これは、基地局装置、移動局装置間の通信制御（スケジューリング）を効率的に行なうことができなくなるという問題につながる。【００２１】
またスケジューリング要求は、上りリンクデータを送信するためのリソースの割り当てを要求する（ＵＬ−ＳＣＨでの送信を要求する）ために使用される性質上、ＰＵＳＣＨを使用して送信されていなかった。なぜなら、通常、移動局装置がＰＵＳＣＨを使用して情報を送信する際には、上りリンクデータが存在している（ＵＬ−ＳＣＨが存在している）、すなわち、上りリンクデータを送信するための（ＵＬ−ＳＣＨでの送信をするための）のリソースが割り当てられているからである。【００２２】
しかしながら、移動局装置がＰＵＳＣＨを使用してチャネルフィードバックレポートのみを送信する場合、基地局装置は、上りリンクデータを送信するための（ＵＬ−ＳＣＨでの送信をするための）リソースは割り当てないために、この想定が当てはまらない。よって、移動局装置がＰＵＳＣＨを使用してチャネルフィードバックレポートのみを送信する場合、スケジューリング要求を送信できないために、上りリンクデータを迅速に送信できなくなり（ＵＬ−ＳＣＨでの送信を迅速に行なえなくなり）、上りリンクデータを送信する（ＵＬ−ＳＣＨでの送信を行なう）際に遅延が発生するという問題があった。【００２３】
本発明は、このような事情に鑑みてなされたものであり、基地局装置が、移動局装置からのチャネルフィードバックレポートとスケジューリング要求（リクエスト）に応じて、適切なＡＭＣモードでＰＵＳＣＨのリソースを割り当てる効率的な送信制御を実現すると共に、移動局装置がチャネルフィードバックレポートのみを送信する際に、上りリンクデータを迅速に送信できる（ＵＬ−ＳＣＨでの送信を迅速に行なうことができる）移動局装置および通信システムを提供することを目的とする。
【課題を解決するための手段】
【００２４】
（１）上記の目的を達成するために、本発明は、以下のような手段を講じた。すなわち、本発明の移動局装置は、基地局装置が物理上りリンク共用チャネルを割り当て、移動局装置が前記物理上りリンク共用チャネルで上りリンクデータを送信するシステムに適用される移動局装置であって、基地局装置に上りリンクデータを送信するためのリソースの割り当てを要求するスケジューリング要求を、物理上りリンク共用チャネルを使用して基地局装置に対して送信することを特徴としている。【００２５】
このように、基地局装置が物理上りリンク共用チャネルを割り当て、移動局装置が前記物理上りリンク共用チャネルで上りリンクデータを送信するシステムにおいて、移動局装置が、基地局装置に上りリンクデータを送信するためのリソースの割り当てを要求するスケジューリング要求を、上りリンク共用チャネルを使用して送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。また、移動局装置がチャネルフィードバックレポートのみを送信する際に、上りリンクデータを迅速に送信することができる。すなわち、移動局装置は、ＵＬ−ＳＣＨでの送信を、迅速に行なうことができる。【００２６】
（２）また、本発明の移動局装置は、基地局装置から上りリンクデータを含めずにチャネルフィードバックレポートを送信するように指示する上りリンク送信許可信号を受信した場合に、上りリンク送信許可信号で指定されたリソースでスケジューリング要求を送信することを特徴としている。【００２７】
このように、移動局装置が、基地局装置からの上りリンクデータを含めずにチャネルフィードバックレポートを送信するように指示する上りリンク送信許可信号で指定された物理上りリンク共用チャネルのリソースを使用して、基地局装置に対してスケジューリング要求を送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。また、移動局装置がチャネルフィードバックレポートのみを送信する際に、上りリンクデータを迅速に送信することができる。すなわち、移動局装置は、ＵＬ−ＳＣＨでの送信を、迅速に行なうことができる。【００２８】
（３）また、本発明の移動局装置は、前記スケジューリング要求を、物理上りリンク共用チャネルに割り当て、前記基地局装置に対して、物理上りリンク共用チャネルで前記スケジューリング要求を送信する送信部を備えることを特徴としている。【００２９】
このように、移動局装置が、物理上りリンク共用チャネルを使用して、基地局装置に対してスケジューリング要求を送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。また、移動局装置がチャネルフィードバックレポートのみを送信する際に、上りリンクデータを迅速に送信することができる。すなわち、移動局装置は、ＵＬ−ＳＣＨでの送信を、迅速に行なうことができる。【００３０】
（４）また、本発明の移動局装置は、前記スケジューリング要求を、チャネルフィードバックレポートと同時に送信することを特徴としている。【００３１】
このように、移動局装置が上りリンクデータを送信するためのリソースの割り当てを要求する（ＵＬ−ＳＣＨでの送信を要求する）スケジューリング要求を、ＰＵＳＣＨを使用してチャネルフィードバックレポートと同時に送信するので、基地局装置は、移動局装置から送信されたチャネルフィードバックレポートに応じてＡＭＣモードを切り替えて、リソースの割り当てを行なうことができる。すなわち、基地局装置が、移動局装置からのスケジューリング要求に応じてＰＵＳＣＨのリソースを割り当てる際に、同時に送信されるチャネルフィードバックレポートに基づいて適切なＡＭＣモードを決定することができる。これにより、基地局装置が、適切なＡＭＣモードでＰＵＳＣＨのリソースを移動局装置に割り当てることができ、効率的な基地局装置、移動局装置間の通信制御を行なうことができる。また、移動局装置がチャネルフィードバックレポートとスケジューリング要求を同時に送信するため、移動局装置がＰＵＳＣＨを使用してチャネルフィードバックレポートのみを送信する場合でもスケジューリング要求を送信することができ、上りリンクデータを迅速に送信する（ＵＬ−ＳＣＨでの送信を迅速に行なう）ことができる。【００３２】
（５）また、本発明の移動局装置は、前記物理上りリンク共用チャネルで、時間軸方向に対して上りリンク参照信号と隣接する位置に前記スケジューリング要求を配置し、前記チャネルフィードバックレポートと多重化することを特徴としている。【００３３】
このように、物理上りリンク共用チャネルで、時間軸方向に対して上りリンク参照信号と隣接する位置にスケジューリング要求を配置し、チャネルフィードバックレポートと多重化するので、基地局装置におけるチャネル推定誤りによるスケジューリング要求の復号化精度の劣化を軽減することができ、チャネル変動に対してＡＣＫ/ＮＡＣＫと同等の耐性を持つことができる。【００３４】
（６）また、本発明の移動局装置は、前記物理上りリンク共用チャネルで、時間軸方向に対してＡＣＫ／ＮＡＣＫと隣接する位置に前記スケジューリング要求を配置し、前記チャネルフィードバックレポートと多重化することを特徴としている。【００３５】
このように、物理上りリンク共用チャネルで、時間軸方向に対してＡＣＫ／ＮＡＣＫと隣接する位置にスケジューリング要求を配置し、チャネルフィードバックレポートと多重化するので、基地局装置において、それぞれの情報を復号化する際の処理を軽減することができる。また、スケジューリング要求がＲＳの近くに配置されていることから、基地局装置におけるチャネル推定誤りによるスケジューリング要求の復号化精度の劣化を、同じ時間軸上に配置されている他のデータ（例えば、チャネルフィードバックレポート）に対する劣化よりも軽減することができる。【００３６】
（７）また、本発明の移動局装置は、前記物理上りリンク共用チャネルで、時間軸方向に対してＲＩ（Rank Indicator）と隣接する位置に前記スケジューリング要求を配置し、前記チャネルフィードバックレポートと多重化することを特徴としている。【００３７】
このように、物理上りリンク共用チャネルで、時間軸方向に対してＲＩ（Rank Indicator）と隣接する位置にスケジューリング要求を配置し、チャネルフィードバックレポートと多重化するので、基地局装置において、それぞれの情報を復号化する際の処理を軽減することができる。また、スケジューリング要求が同じ時間軸上に配置されているＣＱＩ、ＰＭＩよりもＲＳの近くに配置されていることから、基地局装置におけるチャネル推定誤りによるスケジューリング要求の復号化精度の劣化を、同じ時間軸上に配置されているＣＱＩ、ＰＭＩに対する劣化よりも軽減することができる。【００３８】
（８）また、本発明の移動局装置は、前記物理上りリンク共用チャネルで、時間軸方向に対して上りリンク参照信号と隣接する位置であって、かつ、前記上りリンク参照信号に隣接するＡＣＫ／ＮＡＣＫと周波数軸方向に対して反対側の位置に前記スケジューリング要求を配置し、前記チャネルフィードバックレポートと多重化することを特徴としている。【００３９】
このように、物理上りリンク共用チャネルで、時間軸方向に対して上りリンク参照信号と隣接する位置であって、かつ、前記上りリンク参照信号に隣接するＡＣＫ／ＮＡＣＫと周波数軸方向に対して反対側の位置に前記スケジューリング要求を配置し、前記チャネルフィードバックレポートと多重化するので、基地局装置は、ＡＣＫ／ＮＡＣＫが配置される領域（領域の数）にかかわらず、スケジューリング要求を復号化することができる。【００４０】
（９）また、本発明の通信システムは、請求項１から請求項８のいずれかに記載の移動局装置と、前記移動局装置がスケジューリング要求を送信するリソースを指定するための上りリンクデータを含めずにチャネルフィードバックレポートを送信するように指示する上りリンク送信許可信号を、前記移動局装置に対して送信する基地局装置と、から構成されることを特徴としている。【００４１】
このように、移動局装置が、物理上りリンク共用チャネルを使用して、基地局装置に対してスケジューリング要求を送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。
【発明の効果】
【００４２】
本発明によれば、移動局装置が、物理上りリンク共用チャネルを使用して、基地局装置に対してスケジューリング要求を送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。
【図面の簡単な説明】
【００４３】
【図１】ＥＵＴＲＡにおけるチャネルの構成を示す図である。
【図２】ＥＵＴＲＡにおけるチャネルの構成を示す図である。
【図３】ＥＵＴＲＡにおける下りリンクフレームの構成を示す図である。
【図４】ＥＵＴＲＡにおける上りリンクフレームの構成を示す図である。
【図５】本発明の実施形態に係る基地局装置１００の概略構成を示すブロック図である。
【図６】本発明の実施形態に係る移動局装置２００の概略構成を示すブロック図である。
【図７Ａ】上りリンクの各サブフレームに対応する信号と送信形態を示す図である。
【図７Ｂ】上りリンクの各サブフレームに対応する信号と送信形態を示す図である。
【図８】移動局装置がＰＵＳＣＨを使用してチャネルフィードバックレポートとスケジューリング要求を同時に送信する際の多重化の例について記載している図である。
【図９】移動局装置がＰＵＳＣＨを使用してチャネルフィードバックレポートとスケジューリング要求を同時に送信する際の多重化の例について記載している図である。
【図１０】移動局装置がＰＵＳＣＨを使用してチャネルフィードバックレポートとスケジューリング要求を同時に送信する際の多重化の例について記載している図である。
【図１１】移動局装置がＰＵＳＣＨを使用してチャネルフィードバックレポートとスケジューリング要求を同時に送信する際の多重化の別の例について記載している図である。
【図１２】チャネルフィードバックレポートを上書きしないで、チャネルフィードバックレポートとスケジューリング要求を多重化する例について記載している。
【図１３】チャネルフィードバックレポートを上書きしないで、チャネルフィードバックレポートとスケジューリング要求を多重化する例について記載している。
【図１４】チャネルフィードバックレポートを上書きしないで、チャネルフィードバックレポートとスケジューリング要求を多重化する例について記載している。
【図１５】チャネルフィードバックレポートを上書きしないで、チャネルフィードバックレポートとスケジューリング要求を多重化する例について記載している。
【図１６】移動局装置がＰＵＳＣＨを使用してチャネルフィードバックレポートとスケジューリング要求を同時に送信する際の多重化の別の例について記載している。
【図１７】ＥＵＴＲＡにおけるチャネル構成を示す図である。
【図１８】ＰＵＳＣＨの変調シンボルおよびリソースエレメントのマッピングを示している。
【符号の説明】
【００４４】
１００  基地局装置
１０１  データ制御部
１０２  ＯＦＤＭ変調部
１０３  無線部
１０４  スケジューリング部
１０５  チャネル推定部
１０６  ＤＦＴ−Ｓ−ＯＦＤＭ復調部
１０７  データ抽出部
１０８  上位層
１０９  無線リソース制御部
２００  移動局装置
２０１  データ制御部
２０２  ＤＦＴ−Ｓ−ＯＦＤＭ変調部
２０３  無線部
２０４  スケジューリング部
２０５  チャネル推定部
２０６  ＯＦＤＭ復調部
２０７  データ抽出部
２０８  上位層
２０９  無線リソース制御部
２１０  ＭＢＭＳ制御部
【発明を実施するための最良の形態】
【００４５】
次に、本発明に係る実施形態について、図面を参照しながら説明する。図１および図２は、ＥＵＴＲＡにおけるチャネルの構成を示す図である。チャネルは、図１および図２に示すように、論理チャネル、トランスポートチャネル、物理チャネルに分類される。図１は、下りリンクのチャネルを示しており、図２は、上りリンクのチャネルを示している。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。【００４６】
論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）、マルチキャスト制御チャネル（ＭＣＣＨ：Multicast Control Channel）、マルチキャストトラフィックチャネル（ＭＴＣＨ：Multicast Traffic Channel）が含まれる。【００４７】
トランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）、マルチキャストチャネル（ＭＣＨ：Multicast Channel）、上りリンク共用チャネル（ＵＬ−ＳＣＨ：Uplink Shared Channel）、ランダムアクセスチャネル（ＲＡＣＨ：Random Access Channel）が含まれる。【００４８】
物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。なお、上記の各チャネルの概念は、図１７に示した通りである。【００４９】
論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。【００５０】
専用制御チャネル（ＤＣＣＨ）は、１対１（ｐｏｉｎｔ−ｔｏ−ｐｏｉｎｔ）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。専用トラフィックチャネル（ＤＴＣＨ）は、１対１の双方向チャネルであり、１つの移動局装置専用のチャネルであり、ユーザ情報（ユニキャストデータ）の転送のために利用される。マルチキャスト制御チャネル（ＭＣＣＨ）は、ネットワークから移動局装置へＭＢＭＳ制御情報を１対多（ｐｏｉｎｔ−ｔｏ−ｍｕｌｔｉｐｏｉｎｔ）送信するために使用される下りリンクチャネルである。これは、１対多でサービスを提供するマルチメディアブロードキャストマルチキャストサービス（ＭＢＭＳ：Multimedia Broadcast Multicast Service、以下、「ＭＢＭＳサービス」と呼称する。）に使用される。ＭＢＭＳサービスの送信方法としては、単セル一対多（ＳＣＰＴＭ：Single-Cell Point-to-Multipoint）送信と、マルチメディアブロードキャストマルチキャストサービス単一周波数網（ＭＢＳＦＮ：Multimedia Broadcast multicast service Single Frequency Network）送信とがある。ＭＢＳＦＮ送信（MBSFN Transmission）とは、複数セルから同時に識別可能な波形（信号）を送信することで実現する同時送信技術である。一方、ＳＣＰＴＭ送信とは、１つの基地局装置でＭＢＭＳサービスを送信する方法である。【００５１】
また、マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を１対多（point-to-multipoint）送信するために使用される下りリンクチャネルである。なお、マルチキャスト制御チャネル（ＭＣＣＨ）およびマルチキャストトラフィックチャネル（ＭＴＣＨ）は、ＭＢＭＳを受信する移動局装置だけが利用する。【００５２】
次に、トランスポートチャネルについて説明する。報知チャネル（ＢＣＨ）は、固定かつ事前に定義された送信形式によって、セル全体に報知される必要がある。下りリンク共用チャネル（ＤＬ−ＳＣＨ）では、ＨＡＲＱ、動的適応無線リンク制御、間欠受信（ＤＲＸ：Discontinuous Reception）、ＭＢＭＳ送信がサポートされ、セル全体に報知される必要がある。また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。【００５３】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（MBMS Single Frequency Network）結合（Combining）や、拡張サイクリックプリフィックス（ＣＰ：Cyclic Prefix）を使う時間フレームなど、準静的リソース割り当てがサポートされる。上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。【００５４】
そして、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号でき（自己復号可能（self-decodable）であり）、複数回に分割されて送信されない。【００５５】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可（上りリンクグラント）を移動局装置に通知するために使用されるチャネルである。物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。【００５６】
物理上りリンク共用チャネル（ＰＵＳＣＨ）は、主に上りリンクデータ（ＵＬ−ＳＣＨ）を送信するために使用されるチャネルである。基地局装置が、移動局装置をスケジューリングした場合には、チャネルフィードバックレポート（ＣＱＩ、ＰＭＩ、ＲＩ）や下りリンク送信に対するＨＡＲＱ肯定応答（ＡＣＫ：Acknowledgement）／否定応答（ＮＡＣＫ：Negative Acknowledgement）もＰＵＳＣＨを使用して送信される。物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Scheduling Request）、下りリンク送信に対するＨＡＲＱ肯定応答（ＡＣＫ：Acknowledgement）／否定応答（ＮＡＣＫ：Negative Acknowledgement）などを送信するために使用されるチャネルである。 【００５７】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンク送信に対するＨＡＲＱ  ＡＣＫ／ＮＡＣＫを送信するために利用するチャネルである。【００５８】
［チャネルマッピング］
また、図１に示されるように、下りリンクでは、次のようにトランスポートチャネルと物理チャネルのマッピングが行なわれる。報知チャネル（ＢＣＨ）は、物理報知チャネル（ＰＢＣＨ）にマッピングされる。マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。【００５９】
一方、図２に示されるように、上りリンクでは、次のようにトランスポートチャネルと物理チャネルのマッピングが行なわれる。上りリンク共用チャネル（ＵＬ−ＳＣＨ）は、物理上りリンク共用チャネル（ＰＵＳＣＨ）にマッピングされる。ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。【００６０】
また、図１に示されるように、下りリンクにおいて、次のように論理チャネルとトランスポートチャネルのマッピングが行なわれる。ページング制御チャネル（ＰＣＣＨ）は、下りリンク共用チャネル（ＤＬ−ＳＣＨ）にマッピングされる。報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。マルチキャスト制御チャネル（ＭＣＣＨ）は、下りリンク共用チャネル（ＤＬ−ＳＣＨ）とマルチキャストチャネル（ＭＣＨ）にマッピングされる。【００６１】
マルチキャストトラフィックチャネル（ＭＴＣＨ）は、下りリンク共用チャネル（ＤＬ−ＳＣＨ）とマルチキャストチャネル（ＭＣＨ）にマッピングされる。なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行なわれる一方、ＳＣＰＴＭ送信時は、このマッピングは下りリンク共用チャネル（ＤＬ−ＳＣＨ）にマッピングされる。ＳＣＰＴＭ送信は、１つの基地局装置でＭＢＭＳサービスを提供するＭＢＭＳサービス送信方法の１つである。【００６２】
一方、図２に示されるように、上りリンクにおいて次のように論理チャネルとトランスポートチャネルのマッピングが行なわれる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。【００６３】
［無線フレーム構成］
次に、ＥＵＴＲＡにおけるフレームの構成について説明する。図３は、ＥＵＴＲＡにおける下りリンクフレームの構成を示す図であり、図４は、ＥＵＴＲＡにおける上りリンクフレームの構成を示す図である。システムフレーム番号（ＳＦＮ：System Frame Number）で識別される無線フレームは１０ミリ秒で構成されている。また、１サブフレームは１ミリ秒で構成されており、無線フレームには１０個のサブフレームが含まれる。【００６４】
１サブフレームは２つのスロットに分離される。通常のＣＰ（normal CP）が使用される場合、下りリンクのスロットは７個のＯＦＤＭシンボルで構成され、上りリンクのスロットは７個のＳＣ−ＦＤＭＡ（Single Carrier-Frequency Division Multiple Access）シンボルで構成される。なお、拡張ＣＰ（「long CP」または「extended CP」とも呼称する。）が使用される場合は、下りリンクのスロットは６個のＯＦＤＭシンボルで構成され、上りリンクのスロットは６個のＳＣ−ＦＤＭＡシンボルで構成される。【００６５】
また、１つのスロットは周波数方向に複数のブロックに分割される。１５ｋＨｚのサブキャリア１２本を周波数方向の単位として、１個の物理リソースブロック（ＰＲＢ：Physical Resource Block）を構成する。物理リソースブロック（ＰＲＢ）数は、システム帯域幅に応じて、６個から１１０個までサポートされる。下りリンク、上りリンクのリソース割り当ては、時間方向にサブフレーム単位かつ周波数方向に物理リソースブロック（ＰＲＢ）単位で行なわれる。すなわち、サブフレーム内の２つのスロットは、一つのリソース割り当て信号で割り当てられる。【００６６】
サブキャリアとＯＦＤＭシンボルまたはサブキャリアとＳＣ−ＦＤＭＡシンボルで構成される単位をリソースエレメントと呼ぶ。物理層でのリソースマッピング処理で各リソースエレメントに対して変調シンボルなどがマッピングされる。【００６７】
下りリンクトランスポートチャネルの物理層での処理では、物理下りリンク共用チャネル（ＰＤＳＣＨ）に対する２４ビットの巡回冗長検査（ＣＲＣ：Cyclic Redundancy Check）の付与、チャネルコーディング（伝送路符号化）、物理層ＨＡＲＱ処理、チャネルインターリービング、スクランブリング、変調（ＱＰＳＫ、１６ＱＡＭ、６４ＱＡＭ）、レイヤマッピング、プレコーディング、リソースマッピング、アンテナマッピングなどが行なわれる。【００６８】
一方、上りリンクトランスポートチャネルの物理層での処理では、物理上りリンク共用チャネル（ＰＵＳＣＨ）に対する２４ビットのＣＲＣの付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行なわれる。【００６９】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。物理下りリンク制御チャネル（ＰＤＣＣＨ）では、下りリンク共用チャネル（ＤＬ−ＳＣＨ）およびページングチャネル（ＰＣＨ）に対するトランスポートフォーマット（変調方式、符号化方式、トランスポートブロックサイズなどを規定する。）、リソース割り当て、ＨＡＲＱ情報が送信される。また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する。）、リソース割り当て、ＨＡＲＱ情報が送信される。また、複数の物理下りリンク制御チャネル（ＰＤＣＣＨ）がサポートされ、移動局装置は、物理下りリンク制御チャネル（ＰＤＣＣＨ）のセットをモニタリングする。【００７０】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。【００７１】
また、物理下りリンク制御チャネル（ＰＤＣＣＨ）による上り／下りリンクのリソース割り当てにおいて、移動局装置は、１６ビットのＭＡＣ層識別情報（MAC ID）を用いて特定される。すなわち、この１６ビットのＭＡＣ層識別情報（MAC ID）が物理下りリンク制御チャネル（ＰＤＣＣＨ）に含まれる。物理下りリンク制御チャネル（ＰＤＣＣＨ）に含まれるＭＡＣ  ＩＤに自局の移動局識別子であるセル無線網臨時識別子（Ｃ−ＲＮＴＩ：Cell- Radio Network Temporary Identity）が配置されているかどうかで、自局宛の制御信号かどうかを判断する。また、報知情報（ＢＣＣＨ）やページング情報（ＰＣＣＨ）を識別するためにそれぞれに予約された識別情報をＭＡＣ  ＩＤに配置する。ＭＡＣ  ＩＤは、物理下りリンク制御チャネル（ＰＤＣＣＨ）のＣＲＣとして識別されていても良いし、物理下りリンク制御チャネル（ＰＤＣＣＨ）のスクランブル符号で識別されても良い。物理下りリンク制御チャネル（ＰＤＣＣＨ）は、そのビットサイズやフラグによって上りリンク送信許可信号や下りリンクリソース割り当てであることが識別される。【００７２】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。一方、物理上りリンク共用チャネル（ＰＵＳＣＨ）の復調用に使用される上りリンク復調用参照信号（復調用パイロット（ＤＲＳ：Demodulation Reference Signal））は、各スロットの４番目のＳＣ−ＦＤＭＡシンボルで送信される。また、上りリンク状態の測定用に使用される上りリンク測定用参照信号（スケジューリング用パイロット（ＳＲＳ：Sounding Reference Signal））は、サブフレームの先頭のＳＣ−ＦＤＭＡシンボルで送信される。上りリンク制御チャネル（ＰＵＣＣＨ）の復調用参照信号は、上りリンク制御チャネルのフォーマットごとに定義され、各スロットの３および４および５番目、または、各スロットの２番目および６番目のＳＣ−ＦＤＭＡシンボルで送信される。【００７３】
また、物理報知チャネル（ＰＢＣＨ）、下りリンク同期信号は、システム帯域の中心６物理リソースブロック分の帯域に配置される。物理下りリンク同期信号は、１番目（サブフレーム＃０）および５番目（サブフレーム＃４）のサブフレームの各スロットの６番目、７番目のＯＦＤＭシンボルで送信される。物理報知チャネル（ＰＢＣＨ）は、１番目（サブフレーム＃０）のサブフレームの１番目のスロット（スロット＃０）の４番目、５番目のＯＦＤＭシンボルと２番目のスロット（スロット＃１）の１番目、２番目のＯＦＤＭシンボルで送信される。【００７４】
また、ランダムアクセスチャネル（ＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行なうために送信される。【００７５】
上りリンク制御チャネル（ＰＵＣＣＨ）は、システム帯域の両端に配置され、物理リソースブロック単位で構成される。スロット間でシステム帯域の両端が交互に使用されるように周波数ホッピングが行なわれる。【００７６】
本実施形態に係る通信システムは、基地局装置１００と、移動局装置２００と、から構成される。【００７７】
［基地局装置］
図５は、本発明の実施形態に係る基地局装置１００の概略構成を示すブロック図である。基地局装置１００は、データ制御部１０１と、ＯＦＤＭ変調部１０２と、無線部１０３と、スケジューリング部１０４と、チャネル推定部１０５と、ＤＦＴ−Ｓｐｒｅａｄ−ＯＦＤＭ（ＤＦＴ−Ｓ−ＯＦＤＭ）復調部１０６と、データ抽出部１０７と、上位層１０８と、を含んで構成される。また、無線部１０３、スケジューリング部１０４、チャネル推定部１０５、ＤＦＴ−Ｓｐｒｅａｄ−ＯＦＤＭ（ＤＦＴ−Ｓ−ＯＦＤＭ）復調部１０６、データ抽出部１０７、上位層１０８で受信部を構成し、データ制御部１０１、ＯＦＤＭ変調部１０２、無線部１０３、スケジューリング部１０４、上位層１０８で送信部を構成している。【００７８】
無線部１０３、チャネル推定部１０５、ＤＦＴ−Ｓｐｒｅａｄ−ＯＦＤＭ（ＤＦＴ−Ｓ−ＯＦＤＭ）復調部１０６、データ抽出部１０７で上りリンクの物理層の処理を行なう。無線部１０３、ＯＦＤＭ変調部１０２、データ制御部１０１で下りリンクの物理層の処理を行なう。【００７９】
データ制御部１０１は、スケジューリング部１０４からトランスポートチャネルおよびスケジューリング情報を受信する。トランスポートチャネルと物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。【００８０】
ＯＦＤＭ変調部１０２は、データ制御部１０１から入力されたデータに対して、スケジューリング部１０４からのスケジューリング情報（下りリンク物理リソースブロックＰＲＢ（Physical Resource Block）割り当て情報（例えば、周波数、時間など物理リソースブロック位置情報）や、各ＰＲＢに対応する変調方式および符号化方式（例えば、１６ＱＡＭ変調、２／３コーディングレート）などを含む）に基づいて、符号化、データ変調、入力信号の直列／並列変換、ＩＦＦＴ（Inverse Fast Fourier Transform：逆高速フーリエ変換）処理、ＣＰ（Cyclic Prefix）挿入、並びに、フィルタリングなどＯＦＤＭ信号処理を行ない、ＯＦＤＭ信号を生成して、無線部１０３へ出力する。【００８１】
無線部１０３は、ＯＦＤＭ変調部１０２から入力された変調データを無線周波数にアップコンバートして無線信号を生成し、アンテナ（図示せず）を介して、移動局装置２００に送信する。また、無線部１０３は、移動局装置２００からの上りリンクの無線信号を、アンテナ（図示せず）を介して受信し、ベースバンド信号にダウンコンバートして、受信データをチャネル推定部１０５とＤＦＴ−Ｓ−ＯＦＤＭ復調部１０６とに出力する。【００８２】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。【００８３】
スケジューリング部１０４は、下りリンクのスケジューリングでは、移動局装置２００から受信した上りリンクのフィードバック情報（下りリンクのチャネルフィードバック情報（チャネル状態情報（チャネル品質、ストリームの数、プレコーディング情報など））や、下りリンクデータに対するＡＣＫ／ＮＡＣＫフィードバック情報など）、各移動局装置の使用可能なＰＲＢの情報、バッファ状況、上位層１０８から入力されたスケジューリング情報などに基づいて、各データを変調するための下りリンクのトランスポートフォーマット（送信形態）（物理リソースブロックの割り当ておよび変調方式および符号化方式など）の選定処理およびＨＡＲＱにおける再送制御を行なう。これら下りリンクのスケジューリングに使用されるスケジューリング情報は、データ制御部１０１へ出力される。【００８４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態）（物理リソースブロックの割り当ておよび変調方式および符号化方式など）の選定処理を行なう。これら上りリンクのスケジューリングに使用されるスケジューリング情報は、データ制御部１０１へ出力される。【００８５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。【００８６】
チャネル推定部１０５は、上りリンクデータの復調のために、上りリンク復調用参照信号（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。尚、上りリンクの通信方式は、ＤＦＴ−Ｓ−ＯＦＤＭ等のようなシングルキャリア方式を想定しているが、ＯＦＤＭ方式のようなマルチキャリア方式を用いてもよい。【００８７】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等のＤＦＴ−Ｓ−ＯＦＤＭ信号処理を行なって、復調処理を施し、データ抽出部１０７に出力する。【００８８】
データ抽出部１０７は、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、ＤＦＴ−Ｓ−ＯＦＤＭ復調部１０６から入力されたデータからトランスポートチャネルと物理層の制御データとに分離して、スケジューリング部１０４に出力する。分離された制御データには、移動局装置２００から通知された上りリンクのフィードバック情報（下りリンクのチャネルフィードバックレポートＣＦＲ、下りリンクのデータに対するＡＣＫ／ＮＡＣＫフィードバック情報）などが含まれている。【００８９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、無線リソース制御部１０９（制御部とも言う）を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。【００９０】
［移動局装置］
図６は、本発明の実施形態に係る移動局装置２００の概略構成を示すブロック図である。移動局装置２００は、データ制御部２０１と、ＤＦＴ−Ｓ−ＯＦＤＭ変調部２０２と、無線部２０３と、スケジューリング部２０４と、チャネル推定部２０５と、ＯＦＤＭ復調部２０６と、データ抽出部２０７と、上位層２０８と、を含んで構成されている。また、データ制御部２０１、ＤＦＴ−Ｓ−ＯＦＤＭ変調部２０２、無線部２０３、スケジューリング部２０４、上位層２０８、で送信部を構成し、無線部２０３、スケジューリング部２０４、チャネル推定部２０５、ＯＦＤＭ復調部２０６、データ抽出部２０７、上位層２０８、で受信部を構成している。【００９１】
データ制御部２０１、ＤＦＴ−Ｓ−ＯＦＤＭ変調部２０２および無線部２０３で上りリンクの物理層の処理を行なう。無線部２０３、チャネル推定部２０５、ＯＦＤＭ復調部２０６およびデータ抽出部２０７で下りリンクの物理層の処理を行なう。【００９２】
データ制御部２０１は、スケジューリング部２０４からトランスポートチャネルおよびスケジューリング情報を受信する。トランスポートチャネルと物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。【００９３】
ＤＦＴ−Ｓ−ＯＦＤＭ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどのＤＦＴ−Ｓ−ＯＦＤＭ信号処理を行ない、ＤＦＴ−Ｓ−ＯＦＤＭ信号を生成して、無線部２０３へ出力する。なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。【００９４】
無線部２０３は、ＤＦＴ−Ｓ−ＯＦＤＭ変調部２０２から入力された変調データを無線周波数にアップコンバートして無線信号を生成し、アンテナ（図示せず）を介して、基地局装置１００に送信する。また、無線部２０３は、基地局装置１００からの下りリンクのデータで変調された無線信号を、アンテナ（図示せず）を介して受信し、ベースバンド信号にダウンコンバートして、受信データを、チャネル推定部２０５およびＯＦＤＭ復調部２０６に出力する。【００９５】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御やＨＡＲＱ再送制御を行なう。【００９６】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理を行なう。なお、上りリンクのトランスポートフォーマットについては、基地局装置１００から通知された情報を利用する。これらスケジューリング情報は、データ制御部２０１へ出力される。【００９７】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポートＣＦＲ（チャネル状態情報）や、データ抽出部２０７から入力されたＣＲＣ確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。【００９８】
チャネル推定部２０５は、下りリンクデータの復調のために、下りリンク参照信号（ＲＳ）から下りリンクのチャネル状態を推定し、その推定結果をＯＦＤＭ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態フィードバック情報（チャネル品質情報など）に変換して、スケジューリング部２０４に出力する。【００９９】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。【０１００】
データ抽出部２０７は、ＯＦＤＭ復調部２０６から入力されたデータに対して、ＣＲＣを行ない、正誤を確認するとともに、確認結果（ＡＣＫ／ＮＡＣＫフィードバック情報）をスケジューリング部２０４に出力する。また、データ抽出部２０７は、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。【０１０１】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、無線リソース制御部２０９（制御部とも言う）、ＭＢＭＳ制御部２１０を有している。無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。【０１０２】
（第１の実施形態）
続いて、基地局装置１００および移動局装置２００を用いた通信システムにおいて、本発明の第１の実施形態を説明する。本発明の第１の実施形態において、移動局装置は、基地局装置に上りリンクデータを送信するためのリソースの割り当てを要求するスケジューリング要求を、物理上りリンク共用チャネル（ＰＵＳＣＨ）を使用して送信することができる。基地局装置から上りリンクデータを含めずにチャネルフィードバックレポートを送信するように指示する上りリンク送信許可信号を受信した場合に、上りリンク送信許可信号で指定されたリソースでスケジューリング要求を送信することができる。【０１０３】
移動局装置は、基地局装置からの上りリンクデータを含めずにチャネルフィードバックレポートを送信するように指示する上りリンク送信許可信号によって指定されたリソースでスケジューリング要求とチャネルフィードバックレポートと同時に送信することができる。【０１０４】
スケジューリング要求は、移動局装置が上りリンクデータを送信するためのリソースの割り当てを要求する際に送信される情報（信号）である。一方、移動局装置が、上りリンクデータのバッファの状態をレポートする（バッファ・ステータス・レポート）ことによっても、基地局装置が、上りリンクデータを送信するためのリソースを割り当てることもできる。ただし、このバッファの状態のレポート（バッファ・ステータス・レポート）は、上りリンクデータ（ＵＬ−ＳＣＨ）に含めて送信される。【０１０５】
上記までで説明したように、移動局装置からフィードバックされるチャネルフィードバックレポートは、ＣＱＩ、ＰＭＩ、ＲＩなどで形成され、これらのチャネルフィードバックレポートのビット数（サイズ）やフォーマットは、状況に応じて基地局装置からのＲＲＣシグナリング（Radio Resource Control Signaling）を使用して、移動局装置に対して設定される。移動局装置は、チャネルフィードバックレポートを、ＰＵＣＣＨを使用して周期的に送信することができる。また、ＰＵＳＣＨを使用して周期的、非周期的に送信することができる。ここで、移動局装置はＰＵＳＣＨを使用してチャネルフィードバックレポートのみを送信することができる。【０１０６】
チャネルフィードバックレポートのみの周期的な送信を要求（許可）する例として、移動局装置は、基地局装置からのＲＲＣシグナリング（無線資源制御信号）によって、チャネルフィードバックレポートを送信するためのＰＵＳＣＨのリソースが持続的（永続的）に割り当てられたときに、ＰＵＳＣＨを使用してチャネルフィードバックレポートのみを送信することができる。またチャネルフィードバックレポートのみの周期的な送信を要求（許可）する別の例として、移動局装置は、基地局装置からのＲＲＣシグナリングによって、チャネルフィードバックレポートを送信させる周期（若しくは、周期とオフセット）が設定され、周期的チャネルフィードバックレポートを要求する情報（周期的チャネルフィードバックレポートリクエスト）が含まれた上りリンク送信許可信号を受信することにより、ＰＵＳＣＨを使用してチャネルフィードバックレポートのみの周期的フィードバックを開始（活性化）することができる。【０１０７】
チャネルフィードバックレポートのみの周期的な送信を要求（許可）する別の例として、基地局装置によって設定された周期（サブフレーム）のタイミングでチャネルフィードバックレポートリクエストが含まれた上りリンク送信許可信号を受信することにより、ＰＵＳＣＨを使用してチャネルフィードバックレポートのみの周期的フィードバックを開始（活性化）してもよい。この場合、上りリンク送信許可信号に含まれるチャネルフィードバックレポートリクエストは、非周期的なチャネルフィードバックレポートを要求するためにも使用される。移動局装置は、基地局装置によって設定された周期（サブフレーム）のタイミングで、チャネルフィードバックレポートリクエストが、例えば“１”に設定された上りリンク送信許可が送信された場合、チャネルフィードバックレポートのみを送信することができる。【０１０８】
チャネルフィードバックレポートのみの非周期的または周期的な送信を要求（許可）する別の例として、移動局装置は、チャネルフィードバックレポートリクエストが“１”に設定され、さらにトランスポートフォーマットの一部が予約（例えば、５ビットのＭＣＳの値が１１１１１など。）されるなど、ある特定の情報列が上りリンク送信許可信号に含まれている場合に、ＰＵＳＣＨを使用してチャネルフィードバックレポートのみを送信することができる。基地局装置は、移動局装置によって算出される上りリンクデータに対するトランスポートブロックサイズが０になるように上りリンク送信許可信号に含まれる情報列を設定することによって、チャネルフィードバックレポートのみの送信を要求することができる。またチャネルフィードバックレポートのみの非周期的または周期的な送信を要求（許可）する別の例として、移動局装置は、チャネルフィードバックレポートのみの送信に対して定義された上りリンク送信許可信号（チャネルフィードバックレポートのみ送信許可信号）を受信することにより、ＰＵＳＣＨを使用してチャネルフィードバックレポートのみを送信することができる。【０１０９】
本実施形態において、上記のような方法（制御）によって、基地局装置から周期的または非周期的なチャネルフィードバックレポートのみの送信を要求（許可）する際に使用される上りリンク送信許可信号を、チャネルフィードバックレポート専用送信要求を含んだ上り送信許可信号と呼ぶ。また、基地局装置から周期的なチャネルフィードバックレポートのみの送信を要求（許可）する際に使用されるＲＲＣシグナリング（無線資源制御信号）を、チャネルフィードバックレポート専用送信要求を含んだＲＲＣシグナリングと呼ぶ。以下、本発明においては、基地局装置がチャネルフィードバックレポート専用送信要求を含んだ上り送信許可信号を送信することによって、移動局装置に対してチャネルフィードバックレポートのみの送信を要求（許可）する場合について記載するが、基地局装置がチャネルフィードバックレポート専用送信要求を含んだＲＲＣシグナリングを送信することによって、移動局装置に対してチャネルフィードバックレポートのみの送信を要求（許可）する場合にも、本発明は適用可能である。基地局装置からのチャネルフィードバックレポート専用送信要求を含んだＲＲＣシグナリングを受信した移動局装置は、ＲＲＣシグナリングで割り当てられた物理上りリンク共用チャネル（ＰＵＳＣＨ）のリソースを使用して、スケジューリング要求とチャネルフィードバックレポートを同時に送信することができる。【０１１０】
以下、本発明において、通常の上りリンク送信許可信号とは、基地局装置が上りリンクデータ（ＵＬ−ＳＣＨ）の送信を要求（許可）していることを示しており、チャネルフィードバックレポート専用送信要求を含んだ上り送信許可信号とは、上記に示した例のような方法（制御）によって、基地局装置が、上り送信許可信号で割り当てたＰＵＳＣＨのリソースを使用して、チャネルフィードバックレポートのみの送信を要求（許可）していることを示している。チャネルフィードバックレポート要求を含んだ上り送信許可信号とは、基地局装置が、上り送信許可信号で割り当てたＰＵＳＣＨのリソースを使用して、上りリンクデータ（ＵＬ−ＳＣＨ）と共にチャネルフィードバックレポートの送信を要求（許可）していることを示している。【０１１１】
図７Ａおよび図７Ｂは、本発明の第１の実施形態に係る基地局装置から移動局装置に送信される上り送信許可信号、移動局装置から基地局装置に送信されるスケジューリング要求（斜線で示される）、ＰＵＣＣＨを使用して周期的に送信するように設定されたチャネルフィードバックレポート（粗い点模様で示される）、ＰＵＳＣＨを使用して周期的に送信するように設定されたチャネルフィードバックレポート（細かな点模様で示される）、ＰＵＳＣＨを使用して非周期的に送信するように設定されたチャネルフィードバック（濃い細かな点模様で示される）、上りリンクデータ（白抜き模様で示される）、それらの情報がＰＵＣＣＨ、および、ＰＵＳＣＨを使用して送信される送信形態が、それぞれ概念的に描かれている。【０１１２】
基地局装置からの上り送信許可信号のうち、白抜きで示されているのは通常の上り送信許可信号を、黒塗りで示されているのはチャネルフィードバックレポート専用送信要求を含んだ上り送信許可信号を、太い横線模様で示されているのは、チャネルフィードバックレポート要求を含んだ上り送信許可信号を示している。また、移動局装置が基地局装置からのデータを受信するサブフレームを下りサブフレーム（D-subframe）、移動局装置が基地局装置へデータを送信するサブフレームを上りリンクサブフレーム（U-subframe）と呼び、図７Ａでは、説明が分かり易いように、Ｄ−ｓｕｂｆｒａｍｅ＃ｎで送信されるＵ−ｓｕｂｆｒａｍｅ＃ｎ＋４への上り送信許可情報をＵ−ｓｕｂｆｒａｍｅ＃ｎ＋４のサブフレームに配置するように示している。【０１１３】
図７Ｂには、説明が分かり易いように、移動局装置の各上りリンクサブフレームにおける処理フローが描かれており、図７Ａと図７Ｂは、上りリンクサブフレーム（縦軸）方向に対応している。【０１１４】
次に、図７Ａおよび図７Ｂの各サブフレームにおける動作について説明する。上りリンクサブフレーム＃１以前に、基地局装置は、移動局装置が上りリンクデータを送信するためのリソースの割り当てを要求するスケジューリング要求のためのリソース設定、移動局装置がＰＵＣＣＨを使用してチャネルフィードバックレポートを周期的に送信するためのパラメータ設定、ＰＵＳＣＨを使用してチャネルフィードバックレポートを周期的に送信するためのパラメータ設定、ＰＵＳＣＨを使用してチャネルフィードバックレポートを非周期的に送信するためのパラメータ設定を移動局装置に対して行なう。【０１１５】
ここで、移動局装置がスケジューリング要求を送信するためのリソース設定は周期的に設定されても良い。本実施例においては、説明を分かり易くするために、スケジューリング要求を送信するためのリソース設定を周期的に設定していないが、基地局装置は、移動局装置がスケジューリング要求を送信するためのリソース設定を周期的に設定することができる。また、ＰＵＣＣＨを使用してチャネルフィードバックレポートを周期的に送信するためのパラメータ設定とは、例えば、周期（送信間隔）やオフセット、チャネルフィードバックレポートを、ＰＵＣＣＨを使用して周期的に送信する際に用いるフォーマットのことである。【０１１６】
さらに、ＰＵＳＣＨを使用してチャネルフィードバックレポートを周期的に送信するためのパラメータ設定とは、例えば、周期（送信間隔）やオフセット、チャネルフィードバックレポートを、ＰＵＳＣＨを使用して周期的に送信する際に用いるフォーマットのことであり、ＰＵＳＣＨを使用してチャネルフィードバックレポートを非周期的に送信するためのパラメータ設定とは、例えば、チャネルフィードバックレポートを非周期的に送信する際に用いるフォーマットのことである。【０１１７】
以下、移動局装置が、ＰＵＣＣＨを使用してチャネルフィードバックレポートを周期的に送信する際に用いるフォーマットをＰＵＣＣＨベースフォーマットとも呼ぶ。また、移動局装置が、ＰＵＳＣＨを使用してチャネルフィードバックレポートを周期的に送信する際に用いるフォーマットを周期的ＰＵＳＣＨベースフォーマットとも呼ぶ。チャネルフィードバックレポートを非周期的に送信するためのパラメータ設定とは、例えば、チャネルフィードバックレポートを非周期的に送信する際に用いるフォーマットのことである。以下、移動局装置が、ＰＵＳＣＨを使用してチャネルフィードバックレポートを非周期的に送信する際に用いるフォーマットを非周期的ＰＵＳＣＨベースフォーマットとも呼ぶ。【０１１８】
さらに、チャネルフィードバックレポートを送信する際に用いるフォーマットとは、例えば、広帯域の物理リソースブロックから得られたチャネルフィードバックレポートを送信するフォーマット（広帯域レポート）や、移動局装置が選択した物理リソースブロックから得られたチャネルフィードバックレポートを送信するフォーマット（移動局装置選択サブバンドレポート）、基地局装置が設定した物理リソースブロックから得られたチャネルフィードバックレポートを移動局装置が送信するフォーマット（基地局装置選択サブバンド（高レイヤ設定）レポート）などを示している。【０１１９】
また、基地局装置は、移動局装置に対してＰＵＣＣＨを使用して周期的にチャネルフィードバックレポートを送信させる、ＰＵＳＣＨを使用して周期的にチャネルフィードバックレポートを送信させる、ＰＵＣＣＨとＰＵＳＣＨの両方を同時に使用して周期的にチャネルフィードバックレポートを送信させることができる。図７Ａおよび図７Ｂは、基地局装置が、ＰＵＣＣＨとＰＵＳＣＨの両方を使用して周期的にチャネルフィードバックレポートを送信させていることを示しているが、これら３つの場合において本発明の実施形態は適用可能である。また基地局装置は、連続した複数の上りリンクＰＵＣＣＨサブフレームを使用して、チャネルフィードバックレポート（例えば、移動局装置選択フォーマットによるチャネルフィードバックレポート）を送信させることもできる。【０１２０】
上りリンクサブフレーム＃２は、基地局装置からＰＵＣＣＨを使用して周期的にチャネルフィードバックレポートを送信するように設定されたサブフレームである。移動局装置は、基地局装置によって設定されたＰＵＣＣＨベースフォーマットを用いてチャネルフィードバックレポートを送信する。【０１２１】
上りリンクサブフレーム＃３は、基地局装置からＰＵＣＣＨを使用してスケジューリング要求を送信するように設定されたサブフレームかつ、周期的または非周期的なＰＵＳＣＨのチャネルフィードバックレポートが要求されていないサブフレームかつ、通常の上りリンクデータ（ＵＬ−ＳＣＨ）を要求する上りリンク送信許可信号が送信されていないサブフレームを示している。移動局装置は、上りリンクデータを送信するためのリソースの割り当てを要求する（ＵＬ−ＳＣＨでの送信を要求する）スケジューリング要求を、ＰＵＣＣＨを使用して送信する。【０１２２】
上りリンクサブフレーム＃４は、基地局装置からＰＵＳＣＨを使用して周期的にチャネルフィードバックレポートを送信するように設定されたサブフレームである。移動局装置は、基地局装置によって設定された周期的ＰＵＳＣＨベースフォーマットを用いてチャネルフィードバックレポートを送信する。【０１２３】
ここで、ＰＵＣＣＨを使用してスケジューリング要求を送信するように設定されたサブフレームかどうかに関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して上りリンクデータ（ＵＬ−ＳＣＨ）を含まずに周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して周期的にチャネルフィードバックレポートを送信するように設定されたサブフレームでは、チャネルフィードバックレポートのみを送信するようにしても良い。【０１２４】
上りリンクサブフレーム＃５は、基地局装置がＰＵＣＣＨを使用して周期的にチャネルフィードバックレポートを送信するように設定したサブフレームに、さらに、通常の上りリンクデータ（ＵＬ−ＳＣＨ）を要求する上りリンク送信許可信号を送信したサブフレームを示している。基地局装置から上りリンク送信許可信号を受信した移動局装置は、上りリンクデータとチャネルフィードバックレポートを、ＰＵＳＣＨを使用して同時に送信する。この際、上りリンクデータと同時に送信されるチャネルフィードバックレポートは、基地局装置によって設定されたＰＵＣＣＨベースフォーマットを用いて送信される。この際、スケジューリング要求はＰＵＳＣＨで送信されない。【０１２５】
上りリンクサブフレーム＃７は、基地局装置からＰＵＣＣＨを使用してスケジューリング要求を送信するように設定されたサブフレームに、さらに、チャネルフィードバックレポート専用送信要求を含んだ上り送信許可信号が送信されたサブフレームを示している。基地局装置からチャネルフィードバックレポートのみの送信を要求するチャネルフィードバックレポート専用送信要求を含んだ上り送信許可信号を受信した移動局装置は、チャネルフィードバックレポートとスケジューリング要求を、ＰＵＳＣＨを使用して同時に送信することができる。この際、スケジューリング要求と同時に送信されるチャネルフィードバックレポートは、基地局装置によって設定された非周期的ＰＵＳＣＨベースフォーマットを用いて送信される。【０１２６】
上りリンクサブフレーム＃８は、上りリンクサブフレーム＃２と同様に、基地局装置からＰＵＣＣＨを使用して周期的にチャネルフィードバックレポートを送信するように設定されたサブフレームである。移動局装置は、基地局装置によって設定されたＰＵＣＣＨベースフォーマットを用いてチャネルフィードバックレポートを送信する。【０１２７】
上りリンクサブフレーム＃１０は、基地局装置からＰＵＳＣＨを使用して周期的にチャネルフィードバックレポートを送信するように設定されたサブフレームかつ、移動局装置がＰＵＣＣＨを使用してスケジューリング要求を送信するように設定されたサブフレームを示している。この上りリンクサブフレーム＃１０において、移動局装置は、チャネルフィードバックレポートとスケジューリング要求を、ＰＵＳＣＨを使用して同時に送信することができる。この際、スケジューリング要求と同時に送信されるチャネルフィードバックレポートは、基地局装置によって設定された周期的ＰＵＳＣＨベースフォーマットを用いて送信される。【０１２８】
ここで、ＰＵＣＣＨを使用してスケジューリング要求を送信するように設定されたサブフレームかどうかに関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して上りリンクデータ（ＵＬ−ＳＣＨ）を含まずに周期的にチャネルフィードバックレポートを送信するように設定されたサブフレームでは、チャネルフィードバックレポートのみを送信するようにしても良い。【０１２９】
上りリンクサブフレーム＃１１は、基地局装置がＰＵＣＣＨを使用して周期的にチャネルフィードバックレポートを送信するように設定したサブフレームかつ、移動局装置がＰＵＣＣＨを使用してスケジューリング要求を送信するように設定されたサブフレームで、さらに、基地局装置が、チャネルフィードバックレポート専用送信要求を含んだ上り送信許可信号を送信したサブフレームを示している。基地局装置からチャネルフィードバックレポート専用送信要求を含んだ上り送信許可信号を受信した移動局装置は、チャネルフィードバックレポートとスケジューリング要求を、ＰＵＳＣＨを使用して同時に送信することができる。【０１３０】
この際、スケジューリング要求と同時に送信されるチャネルフィードバックレポートは、基地局装置によって設定された非周期的ＰＵＳＣＨベースフォーマットを用いて送信される。すなわち、基地局装置によってＰＵＣＣＨベースフォーマットでチャネルフィードバックレポートを送信するように設定された移動局装置が、チャネルフィードバックレポート専用送信要求を含んだ上り送信許可信号を受信した場合、非周期ＰＵＳＣＨベースフォーマットのチャネルフィードバックレポートとスケジューリング要求を同時に送信することになる（チャネルフィードバックレポートを送信する際に用いるＰＵＣＣＨベースフォーマットを非周期ＰＵＳＣＨベースフォーマットで上書きする）。【０１３１】
上りリンクサブフレーム＃１４は、基地局装置からＰＵＣＣＨを使用して周期的にチャネルフィードバックレポートを送信するように設定したサブフレームかつ、ＰＵＣＣＨを使用してスケジューリング要求を送信するように設定されたサブフレームを示している。さらに、このサブフレームでは、周期的または非周期的なＰＵＳＣＨのチャネルフィードバックレポートが要求されていないかつ、通常の上りリンクデータ（ＵＬ−ＳＣＨ）を要求する上りリンク送信許可信号が送信されていない。上りリンクサブフレーム＃１４において、移動局装置は、上りリンクのリソースが足りていないことを示すためにスケジューリング要求を送る際には、チャネルフィードバックレポートは送信せずに（ドロップして）スケジューリング要求を基地局装置に送信する。移動局装置は、上りリンクのリソースが足りている際には、この上りリンクサブフレーム＃１４において、スケジューリング要求は送信せずに（ドロップして）、チャネルフィードバックレポートを基地局装置に送信する。【０１３２】
上りリンクサブフレーム＃１６は、上りリンクサブフレーム＃４と同様に、基地局装置からＰＵＳＣＨを使用して周期的にチャネルフィードバックレポートを送信するように設定されたサブフレームである。移動局装置は、基地局装置によって設定された周期的ＰＵＳＣＨベースフォーマットを用いてチャネルフィードバックレポートを送信する。【０１３３】
ここで、ＰＵＣＣＨを使用してスケジューリング要求を送信するように設定されたサブフレームかどうかに関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して上りリンクデータ（ＵＬ−ＳＣＨ）を含まずに周期的にチャネルフィードバックレポートを送信するように設定されたサブフレームでは、チャネルフィードバックレポートのみを送信するようにしても良い。【０１３４】
上りリンクサブフレーム＃１７は、基地局装置から非周期的なチャネルフィードバックレポート要求を含んだ上り送信許可信号が送信されたサブフレームで、さらに、移動局装置がＰＵＣＣＨを使用してスケジューリング要求を送信するように設定されたサブフレームを示している。基地局装置から上りリンクデータ（ＵＬ−ＳＣＨ）と共にチャネルフィードバックレポートの送信を要求するチャネルフィードバックレポート要求を含んだ上り送信許可信号を受信した移動局装置は、チャネルフィードバックレポートと上りリンクデータ（ＵＬ−ＳＣＨ）を、ＰＵＳＣＨを使用して同時に送信することができる。この際、スケジューリング要求は送信されない。【０１３５】
上りリンクサブフレーム＃１８は、基地局装置から通常の上りリンクデータ（ＵＬ−ＳＣＨ）を要求する上り送信許可信号が送信されたサブフレームで、さらに、移動局装置がＰＵＣＣＨを使用してスケジューリング要求を送信するように設定されたサブフレームを示している。基地局装置から上りリンクデータ（ＵＬ−ＳＣＨ）を含んだ上り送信許可信号を受信した移動局装置は、上りリンクデータ（ＵＬ−ＳＣＨ）を、ＰＵＳＣＨを使用して送信することができる。この際、スケジューリング要求は送信されない。【０１３６】
次に、図７Ｂに示す、移動局装置の処理手順について、上記までの基地局装置、移動局装置の説明と合わせて説明する。【０１３７】
上りリンクサブフレーム＃１以前で、基地局装置から上りリンクデータを送信するためのリソースの割り当てを要求するスケジューリング要求のためのリソース設定、ＰＵＣＣＨでチャネルフィードバックレポートを周期的に送信する際に使用するパラメータ設定、ＰＵＳＣＨでチャネルフィードバックレポートを周期的に送信する際に使用するパラメータ設定、ＰＵＳＣＨでチャネルフィードバックレポートを非周期的に送信する際に使用するパラメータの設定等の設定が行なわれた移動局装置は、その後の上りリンクサブフレームで、基地局装置からの設定に従ってチャネルフィードバックレポートを送信する。【０１３８】
基地局装置によって、上りリンクサブフレーム＃２でＰＵＣＣＨを使用して周期的にチャネルフィードバックレポートを送信するように設定された移動局装置は、基地局装置からの設定通り、チャネルフィードバックレポートを、ＰＵＣＣＨを使用して周期的に送信する。上りリンクサブフレーム＃２において、チャネルフィードバックレポートを送信するために用いられるフォーマットは、基地局装置によって設定されたＰＵＣＣＨベースフォーマットである。【０１３９】
基地局装置からＰＵＣＣＨを使用してスケジューリング要求を送信するように設定され、かつ、周期的または非周期的ＰＵＳＣＨのチャネルフィードバックレポートが要求されていない、かつ、上りリンク送信許可信号が送信されていない上りリンクサブフレーム＃３で、移動局装置は上りリンクデータを送信するためのリソースの割り当てを要求する（ＵＬ−ＳＣＨでの送信を要求する）スケジューリング要求を、ＰＵＣＣＨを使用して送信する。【０１４０】
基地局装置によって、上りリンクサブフレーム＃４でＰＵＳＣＨを使用して周期的にチャネルフィードバックレポートを送信するように設定された移動局装置は、基地局装置からの設定通り、チャネルフィードバックレポートを、ＰＵＳＣＨを使用して周期的に送信する。上りリンクサブフレーム＃４において、チャネルフィードバックレポートを送信するために用いられるフォーマットは、基地局装置によって設定された周期的ＰＵＳＣＨベースフォーマットである。【０１４１】
基地局装置によって、ＰＵＣＣＨを使用して周期的にチャネルフィードバックレポートを送信するように設定された上りリンクサブフレーム＃５で、さらに、通常の上りリンクデータ（ＵＬ−ＳＣＨ）を要求する上りリンク許可信号を受信した移動局装置は、チャネルフィードバックレポートと上りリンクデータを、ＰＵＳＣＨを使用して同時に送信する。上りリンクサブフレーム＃５において、チャネルフィードバックレポートを送信するために用いられるフォーマットは、基地局装置によって設定されたＰＵＣＣＨベースフォーマットである。この際、スケジューリング要求はＰＵＳＣＨで送信しない。【０１４２】
基地局装置によって、ＰＵＣＣＨを使用してスケジューリング要求を送信するように設定された上りリンクサブフレーム＃７において、さらに、チャネルフィードバックレポート専用送信要求を含んだ上り送信許可信号を受信した移動局装置は、チャネルフィードバックレポートとスケジューリング要求を、ＰＵＳＣＨを使用して同時に送信することができる。上りリンクサブフレーム＃７において、スケジューリング要求と同時に送信されるチャネルフィードバックレポートを送信するために用いられるフォーマットは、基地局装置によって設定された非周期的ＰＵＳＣＨベースフォーマットである。【０１４３】
移動局装置は、基地局装置によってチャネルフィードバックレポートのみの送信が要求（許可）された場合には、チャネルフィードバックレポートとともにスケジューリング要求を送信することができる。チャネルフィードバックレポートとスケジューリング要求は、基地局装置からのチャネルフィードバックレポート専用送信要求を含んだ上り送信許可信号によって割り当てられたＰＵＳＣＨのリソースを使用して送信される。【０１４４】
上りリンクサブフレーム＃２と同様に、基地局装置によって、上りリンクサブフレーム＃８でＰＵＣＣＨを使用して周期的にチャネルフィードバックレポートを送信するように設定された移動局装置は、基地局装置からの設定通り、チャネルフィードバックレポートを、ＰＵＣＣＨを使用して周期的に送信する。上りリンクサブフレーム＃８において、チャネルフィードバックレポートを送信するために用いられるフォーマットは、基地局装置によって設定されたＰＵＣＣＨベースフォーマットである。【０１４５】
基地局装置によって、ＰＵＳＣＨを使用して周期的にチャネルフィードバックレポートを送信するように設定され、かつ、移動局装置がＰＵＣＣＨを使用してスケジューリング要求を送信するように設定された上りリンクサブフレーム＃１０で、移動局装置は、チャネルフィードバックレポートとスケジューリング要求を、ＰＵＳＣＨを使用して同時に送信することができる。上りリンクサブフレーム＃１０において、スケジューリング要求と同時に送信されるチャネルフィードバックレポートを送信するために用いられるフォーマットは、基地局装置によって設定された周期的ＰＵＳＣＨベースフォーマットである。【０１４６】
移動局装置は、ＰＵＳＣＨを使用して周期的にチャネルフィードバックレポートを送信するように設定されたサブフレームで、チャネルフィードバックレポートとスケジューリング要求を同時に送信することができる。チャネルフィードバックレポートとスケジューリング要求は、周期的なチャネルフィードバックレポートを送信するために、基地局装置によって割り当てられたＰＵＳＣＨのリソースを使用して送信される。基地局装置において、周期的なチャネルフィードバックレポートを送信するためのＰＵＳＣＨのリソースは、ＲＲＣシグナリングや上り送信許可信号（チャネルフィードバックレポートを含む上り送信許可信号を含む）によって割り当てられる。【０１４７】
基地局装置によって、ＰＵＣＣＨを使用して周期的にチャネルフィードバックレポートを送信するように設定され、かつ、移動局装置がＰＵＣＣＨを使用してスケジューリング要求を送信するように設定された上りサブフレーム＃１１で、さらに、チャネルフィードバックレポート専用送信要求を含んだ上り送信許可信号を受信した移動局装置は、チャネルフィードバックレポートとスケジューリング要求を、ＰＵＳＣＨを使用して同時に送信することができる。上りリンクサブフレーム＃１１において、スケジューリング要求と同時に送信されるチャネルフィードバックレポートを送信するために用いられるフォーマットは、基地局装置によって設定された非周期的ＰＵＳＣＨベースフォーマットである。【０１４８】
すなわち、基地局装置によってＰＵＣＣＨベースフォーマットを用いてチャネルフィードバックレポートを周期的に送信するように設定された移動局装置は、チャネルフィードバックレポート専用送信要求を含んだ上り送信許可信号を受信した場合、非周期ＰＵＳＣＨベースフォーマットのチャネルフィードバックレポートとスケジューリング要求を同時に送信することができる（チャネルフィードバックレポートを送信する際に用いるＰＵＣＣＨベースフォーマットを非周期ＰＵＳＣＨベースフォーマットで上書きすることができる）。チャネルフィードバックレポートとスケジューリング要求は、基地局装置からのチャネルフィードバックレポート専用送信要求を含んだ上り送信許可信号によって割り当てられたＰＵＳＣＨのリソースを使用して送信される。【０１４９】
基地局装置によって、ＰＵＣＣＨを使用して周期的にチャネルフィードバックレポートを送信するように設定され、かつ、ＰＵＣＣＨを使用してスケジューリング要求を送信するように設定されたた上りリンクサブフレーム＃１４で、移動局装置は、上りリンクのリソースが足りていないことを示すためにスケジューリング要求を送る際には、チャネルフィードバックレポートは送信せずに（ドロップして）スケジューリング要求を基地局装置に送信する。移動局装置の上りリンクのリソースが足りている際には、スケジューリング要求は送信せずに（ドロップして）、チャネルフィードバックレポートを基地局装置に送信する。【０１５０】
上りリンクサブフレーム＃４と同様に、基地局装置によって、上りリンクサブフレーム＃１６でＰＵＳＣＨを使用して周期的にチャネルフィードバックレポートを送信するように設定された移動局装置は、基地局装置からの設定通り、チャネルフィードバックレポートを、ＰＵＳＣＨを使用して周期的に送信する。上りリンクサブフレーム＃１６において、チャネルフィードバックレポートを送信するために用いられるフォーマットは、基地局装置によって設定された周期的ＰＵＳＣＨベースフォーマットである。【０１５１】
基地局装置によって、移動局装置がＰＵＣＣＨを使用してスケジューリング要求を送信するように設定された上りリンクサブフレーム＃１７で、さらに、非周期的チャネルフィードバックレポート要求を含んだ上り送信許可信号を受信した移動局装置は、チャネルフィードバックレポートと上りリンクデータ（ＵＬ−ＳＣＨ）を、ＰＵＳＣＨを使用して同時に送信する。この際、スケジューリング要求は送信しない。【０１５２】
基地局装置によって、移動局装置がＰＵＣＣＨを使用してスケジューリング要求を送信するように設定された上りリンクサブフレーム＃１８で、さらに、通常の上りリンクデータ（ＵＬ−ＳＣＨ）を要求する上り送信許可信号を受信した移動局装置は、上りリンクデータ（ＵＬ−ＳＣＨ）を、ＰＵＳＣＨを使用して送信する。この際、スケジューリング要求は送信されない。【０１５３】
図８は、移動局装置がＰＵＳＣＨを使用してチャネルフィードバックレポートとスケジューリング要求を同時に送信する際の多重化の例について記載している図である。スケジューリング要求は、ＰＵＣＣＨでは送信／非送信制御（ＯＮ／ＯＦＦキーング）で送信されるが、ＰＵＳＣＨでは“１：スケジューリング要求”、“０：スケジューリング要求なし”のようにビット制御で送信することができる。【０１５４】
移動局装置は、チャネルフィードバックレポートとスケジューリング要求を多重化する際に、スケジューリング要求を、時間軸方向に対して上りリンク参照信号と隣接する位置に配置して、チャネルフィードバックレポートと多重化する。図８では、チャネルフィードバックレポート、スケジューリング要求以外に、下りリンクデータに対するＡＣＫ／ＮＡＣＫとＲＳも記載されている。まず、移動局装置は、チャネルフィードバックレポートを時間軸方向に配置し、時間軸方向の全ての領域に配置された後（ＲＳを除く１２個の領域にチャネルフィードバックレポートが配置された後）に、周波数軸の方向に配置する（タイム・ファースト・マッピング）。ここで、チャネルフィードバックレポートが配置される領域数は、チャネルフィードバックレポートのＭＣＳ（Modulation and Coding Scheme、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫが、図８に示すようにＲＳに隣接して配置される。この際、ＡＣＫ／ＮＡＣＫは、チャネルフィードバックレポートを上書きして配置される（ＡＣＫ／ＮＡＣＫは、チャネルフィードバックレポートをパンクチャして配置される、と呼ぶ）。図８では、例としてＡＣＫ／ＮＡＣＫが、配置可能な最大の領域（ＲＳに隣接する４つの領域、時間軸方向にある１４個の領域のうち、時間軸の小さい方から３番目、５番目、１０番目、１２番目の４つの領域）に配置されていることを示しているが、ＡＣＫ／ＮＡＣＫは配置可能な最大数以下の領域に配置することができる。【０１５５】
スケジューリング要求は、図８に示すように、ＡＣＫ／ＮＡＣＫと同様にＲＳに隣接して配置される。この際、スケジューリング要求は、チャネルフィードバックレポートを上書きして配置される（スケジューリング要求は、チャネルフィードバックレポートをパンクチャして配置される、と呼ぶ）。また、図８に示すように、スケジューリング要求はＲＳに隣接して配置されるとともに、ＡＣＫ／ＮＡＣＫ信号に隣接して配置されている。図８では、ＡＣＫ／ＮＡＣＫの上部（周波数の低い側）にスケジューリング要求が配置されているが、スケジューリング要求とＡＣＫ／ＮＡＣＫの位置は逆に配置されてもよい。すなわち、スケジューリング要求が下部（周波数の高い側）に配置され、スケジューリング要求に隣接してＡＣＫ／ＮＡＣＫが配置されてもよい。スケジューリング要求をＡＣＫ／ＮＡＣＫと同じようにＲＳに隣接して配置することにより、基地局装置におけるチャネル推定誤りによるスケジューリング要求の復号化精度の劣化を軽減することができ、チャネル変動に対してＡＣＫ／ＮＡＣＫと同等の耐性を持つことができる。また、スケジューリング要求をＡＣＫ／ＮＡＣＫに隣接して配置することにより、それぞれの情報を復号化する際の処理を軽減することができる。【０１５６】
同様に、図９は、移動局装置がＰＵＳＣＨを使用してチャネルフィードバックレポートとスケジューリング要求を同時に送信する際の多重化の例について記載している図である。移動局装置は、チャネルフィードバックレポートとスケジューリング要求を多重化する際に、スケジューリング要求を、時間軸方向に対してＡＣＫ／ＮＡＣＫと隣接する位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。ここで、チャネルフィードバックレポートが配置される領域数は、チャネルフィードバックレポートのＭＣＳ（Modulation and Coding Scheme、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫがＲＳに隣接して配置され（図８と同様に、ＡＣＫ／ＮＡＣＫは配置可能な最大の領域（４つの領域）まで配置されているが、配置可能な最大数以下の領域に配置することができる）、スケジューリング要求は、図９に示すように、ＡＣＫ／ＮＡＣＫに隣接して配置される。【０１５７】
この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。スケジューリング要求をこのように配置にすることにより、基地局装置において、それぞれの情報を復号化する際の処理を軽減することができ、また、スケジューリング要求が同じ時間軸上に配置されているチャネルフィードバックレポートよりもＲＳの近くに配置されていることから、基地局装置におけるチャネル推定誤りによるスケジューリング要求の復号化精度の劣化を、同じ時間軸上に配置されているチャネルフィードバックレポートに対する劣化よりも軽減することができる。【０１５８】
同様に、図１０は、移動局装置がＰＵＳＣＨを使用してチャネルフィードバックレポートとスケジューリング要求を同時に送信する際の多重化の例について記載している図である。移動局装置は、チャネルフィードバックレポートとスケジューリング要求を多重化する際に、スケジューリング要求を、時間軸方向に対してＲＩ（Rank Indicator）と隣接する位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートのうちのＣＱＩとＰＭＩを、時間軸方向に配置し、時間軸方向の全ての領域に配置された後に、周波数軸の方向に配置する（タイム・ファースト・マッピング）。ここで、ＣＱＩとＰＭＩが配置される領域数は、施されるＭＣＳ（Modulation and Coding Scheme、変調方式、および／または、符号化方式）に応じて異なってくる（ＣＱＩとＰＭＩの変調方式、および／または、符号化方式はデフォルト値で固定されていてもよい）。ＣＱＩとＰＭＩが全ての領域に配置された後に、ＡＣＫ／ＮＡＣＫがＲＳに隣接して配置され（図８と同様に、ＡＣＫ／ＮＡＣＫは配置可能な最大の領域（４つの領域）まで配置されているが、配置可能な最大数以下の領域に配置することができる）、さらに、チャネルフィードバックレポートとして送信されるＲＩがＡＣＫ／ＮＡＣＫに隣接して配置される。ＲＩが配置される領域数も、施されるＭＣＳ（Modulation and Coding Scheme、変調方式、および／または、符号化方式）に応じて異なってくる（ＲＩの変調方式、および／または、符号化方式はデフォルト値で固定されていてもよい）。【０１５９】
チャネルフィードバックとして送信されるＣＱＩとＰＭＩは、ＲＩに対応してその送信方法（ビット数（サイズ）や送信フォーマット）が変更される。そのために、ＲＩの送信には信頼性が求められる。ＲＩは、その信頼性を高めるため（基地局装置におけるチャネル推定誤りによる復号化精度の劣化などを防ぐため）に、ＡＣＫ／ＮＡＣＫに隣接して配置される。スケジューリング要求は、図１０に示すように、ＲＩに隣接して配置される。この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。スケジューリング要求をこのように配置にすることにより、基地局装置において、それぞれの情報を復号化する際の処理を軽減することができ、また、スケジューリング要求が同じ時間軸上に配置されているＣＱＩ、ＰＭＩよりもＲＳの近くに配置されていることから、基地局装置におけるチャネル推定誤りによるスケジューリング要求の復号化精度の劣化を、同じ時間軸上に配置されているＣＱＩ、ＰＭＩに対する劣化よりも軽減することができる。【０１６０】
同様に、図１１は、移動局装置がＰＵＳＣＨを使用してチャネルフィードバックレポートとスケジューリング要求を同時に送信する際の多重化の別の例について記載している図である。移動局装置は、チャネルフィードバックレポートとスケジューリング要求を多重化する際に、スケジューリング要求を、時間軸方向に対して上りリンク参照信号と隣接する位置であって、かつ、上りリンク参照信号に隣接するＡＣＫ／ＮＡＣＫと周波数軸方向に対して反対側の位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。ここで、チャネルフィードバックレポートが配置される領域数は、チャネルフィードバックレポートのＭＣＳ（Modulation and Coding Scheme、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫがＲＳに隣接して配置され（図８と同様に、ＡＣＫ／ＮＡＣＫは配置可能な最大の領域（４つの領域）まで配置されているが、配置可能な最大数以下の領域に配置することができる）、スケジューリング要求は、図１１に示すように、ＡＣＫ／ＮＡＣＫとは周波数軸方向で反対側（逆サイド）に配置される。【０１６１】
この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。ここで図１１では、スケジューリング要求が周波数軸の低い領域に、ＡＣＫ／ＮＡＣＫが周波数軸の高い領域に配置されているが、スケジューリング要求とＡＣＫ／ＮＡＣＫは逆に配置されてもよい。すなわち、周波数軸の高い領域にＲＳに隣接してスケジューリング要求が配置され、反対側（逆サイド）の周波数の低い領域にＲＳに隣接してＡＣＫ／ＮＡＣＫを配置することができる。スケジューリング要求を図１１に示すように配置することで、基地局装置はＡＣＫ／ＮＡＣＫが配置される領域（領域の数）を気にすることなく、スケジューリング要求を復号化することができる。【０１６２】
ここで、移動局装置はＰＵＳＣＨを使用してチャネルフィードバックレポートとスケジューリング要求を同時に送信する際の多重化において、チャネルフィードバックレポートを上書きしないで（チャネルフィードバックレポートをパンクチャしないで）とスケジューリング要求を配置してもよい。図１２〜図１５は、チャネルフィードバックレポートを上書きしないで、チャネルフィードバックレポートとスケジューリング要求を多重化する例について記載している。図１４は、ＣＱＩとＰＭＩを上書きしないで、チャネルフィードバックレポートとスケジューリング要求を多重化する例について記載している。図１２〜図１５には、チャネルフィードバックレポート、スケジューリング要求以外に、ＡＣＫ／ＮＡＣＫとＲＳが記載されている。図１２は図８に、図１３は図９に、図１４は図１０に、図１５は図１１に対応している。【０１６３】
図１２について説明する。図１２は図８の多重方法に対応している。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。この際に、移動局装置は予めＡＣＫ／ＮＡＣＫとスケジューリング要求が配置される領域を確保（リザーブ）して、チャネルフィードバックレポートを配置することができる。ここで、確保（リザーブ）された領域に、通常はＮＡＣＫを示す情報を含め、ＡＣＫを送信する場合にのみＡＣＫを配置するように構成しても良い。【０１６４】
図１２は、移動局装置がＡＣＫ／ＮＡＣＫとスケジューリング要求が配置される領域（白抜きで示される）を確保（リザーブ）して、チャネル状態を配置していることを示している。ＡＣＫ／ＮＡＣＫとスケジューリング要求が配置される領域は予め仕様等で定義される。図１２で示すように、移動局装置はＡＣＫ／ＮＡＣＫが配置される領域を確保（リザーブ）してチャネルフィードバックレポートを配置し、ＡＣＫ／ＮＡＣＫを送信する場合には、確保した領域にＡＣＫ／ＮＡＣＫを配置して送信することができる。ここで、ＡＣＫ/ＮＡＣＫを配置するために確保（リザーブ）された領域に、通常はＮＡＣＫを示す
情報を含め、ＡＣＫを送信する場合にのみＡＣＫを配置するように構成しても良い。【０１６５】
同様に、移動局装置はスケジューリング要求が配置される領域を確保（リザーブ）してチャネルフィードバックレポートを配置し、スケジューリング要求を送信する場合には、確保した領域にスケジューリング要求を配置して送信することができる。ここで、スケジューリング要求を配置するために確保（リザーブ）された領域に、通常は“０：スケジューリング要求なし”を示す情報を含め、“１：スケジューリング要求”を示す情報を送信する場合にのみ、“１：スケジューリング要求”を配置するように構成しても良い。移動局装置がＰＵＳＣＨを使用してチャネルフィードバックレポートとスケジューリング要求を同時に送信する際に、スケジューリング要求が配置される領域を確保（リザーブ）してチャネルフィードバックレポートを配置することで、チャネルフィードバックレポートの一部を欠くことなく、全てのチャネルフィードバックレポートとスケジューリング要求を送信することができる。【０１６６】
図１３は、図９の多重化方法に対応している。移動局装置は、事前に仕様等で定義されたＡＣＫ／ＮＡＣＫとスケジューリング要求が配置される領域（白抜きで示される）を確保（リザーブ）してチャネルフィードバックレポートを配置し、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。ここで、図１２でも説明したように、ＡＣＫ/ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし”を示す情報を含め、“１：スケジューリング要求”を示す情報を送信する場合にのみ、“１：スケジューリング要求”を配置するように構成しても良い。【０１６７】
図１４は図１０に対応している。移動局装置は、事前に仕様等で定義されたＲＩとＡＣＫ／ＮＡＣＫとスケジューリング要求が配置される領域（白抜きで示される）を確保（リザーブ）してＣＱＩとＰＭＩを配置する。ＲＩが配置される領域は仕様等によって定義される。移動局装置は、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。また、ＲＩを送信する場合には、確保した領域にＲＩを配置して送信することができる。ここで、図１２でも説明したように、ＡＣＫ/ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。また、ＲＩを送信するために確保（リザーブ）された領域に、送信したＲＩをそのまま配置しておき、ＲＩを変更する場合にのみ、新たなＲＩを配置するように構成しても良い。【０１６８】
図１５は、図１１の多重化方法に対応している。移動局装置は、事前に仕様等で定義されたＡＣＫ／ＮＡＣＫとスケジューリング要求が配置される領域（白抜きで示される）を確保（リザーブ）してチャネルフィードバックレポートを配置し、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。ここで、図１２でも説明したように、ＡＣＫ/ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。【０１６９】
ここで、移動局装置は、スケジューリング要求が配置される領域を確保（リザーブ）してチャネルフィードバックレポートを配置し、ＡＣＫ／ＮＡＣＫはチャネルフィードバックレポートをパンクチャして配置することができることは勿論である。また、ＡＣＫ／ＮＡＣＫが配置される領域を確保（リザーブ）してチャネルフィードバックレポートを配置し、スケジューリング要求はチャネルフィードバックレポートをパンクチャして配置することができることは勿論である。【０１７０】
同様に、図１６は、移動局装置がＰＵＳＣＨを使用してチャネルフィードバックレポートとスケジューリング要求を同時に送信する際の多重化の別の例について記載している。図１６には、ＡＣＫ／ＮＡＣＫを配置する領域が確保されていない。すなわち、移動局装置がチャネルフィードバックレポートとＡＣＫ／ＮＡＣＫとスケジューリング要求の３つの情報を、ＰＵＳＣＨを使用して同時に送信するための多重化方法と、チャネル情報とスケジューリング要求の２つの情報を、ＰＵＳＣＨを使用して同時に送信するための多重化方法がそれぞれ定義され、移動局装置は送信する情報（チャネルフィードバックレポートとＡＣＫ／ＮＡＣＫとスケジューリング要求を同時に送信するのか、チャネルフィードバックレポートとスケジューリング要求を同時に送信するのか）によって、多重化の方法を切り替えて送信することができる。【０１７１】
図１６は、チャネルフィードバックレポートとスケジューリング要求を送信する際の多重化の例であり、チャネルフィードバックレポートは周波数の片側（図１６では、高い周波数帯側に記載しているが低い周波数帯側でも勿論よい）にＲＳに隣接して配置されている。チャネルフィードバックレポートが配置される領域数は、チャネルフィードバックレポートのＭＣＳ（Modulation and Coding Scheme、変調方式、および／または、符号化方式）に応じて異なってくる（チャネルフィードバックレポートの変調方式、および／または、符号化方式はデフォルト値で固定されていてもよい）。この際に、移動局装置は、スケジューリング要求を、チャネルフィードバックレポートをパンクチャして配置してもよいし、予め仕様等で決められたスケジューリング要求を配置する領域を確保（リザーブ）してチャネルフィードバックレポートを配置してもよい。図１２でも説明したように、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。移動局装置が、チャネルフィードバックレポートとＡＣＫ／ＮＡＣＫとスケジューリング要求を同時に送信する場合と、チャネルフィードバックレポートとスケジューリング要求を送信する場合で、異なる多重化方法を使用することにより、ＡＣＫ／ＮＡＣＫが存在しないときにより多くのチャネルフィードバックレポートを基地局装置に送信することができる。【０１７２】
以上説明したように、本発明の第１の実施形態によれば、移動局装置が上りリンクデータを送信するためのリソースの割り当てを要求する（ＵＬ−ＳＣＨでの送信を要求する）スケジューリング要求を、ＰＵＳＣＨを使用してチャネルフィードバックレポートと同時に送信することにより、基地局装置は、移動局装置から送信されたチャネルフィードバックレポートに応じてＡＭＣモードを切り替えて、リソースの割り当てを行なうことができる。すなわち、基地局装置が、移動局装置からのスケジューリング要求に応じてＰＵＳＣＨのリソースを割り当てる際に、同時に送信されるチャネルフィードバックレポートに基づいて適切なＡＭＣモードを決定することができる。【０１７３】
また、基地局装置が、適切なＡＭＣモードでＰＵＳＣＨのリソースを移動局装置に割り当てることができ、効率的な基地局装置、移動局装置間の通信制御を行なうことができる。また、移動局装置がチャネルフィードバックレポートとスケジューリング要求を同時に送信できることにより、移動局装置がＰＵＳＣＨを使用してチャネルフィードバックレポートのみを送信する場合でもスケジューリング要求を送信することができ、上りリンクデータを迅速に送信する（ＵＬ−ＳＣＨでの送信を迅速に行なう）ことができる。【０１７４】
また、移動局装置がＰＵＳＣＨを使用してチャネルフィードバックレポートとスケジューリング要求を同時に送信する際の多重化として、スケジューリング要求をＲＳに隣接して配置することで、基地局装置でのチャネル推定誤りによるスケジューリング要求の復号化精度の劣化を軽減することができ、スケジューリング要求がチャネル変動に対して強固な耐性を持つことができる。同様に、移動局装置がＰＵＳＣＨを使用してチャネルフィードバックレポートとスケジューリング要求を同時に送信する際の多重化として、スケジューリング要求をＡＣＫ／ＮＡＣＫに隣接して配置することで、基地局装置におけるチャネルフィードバックレポートとＡＣＫ／ＮＡＣＫとスケジューリング要求の復号化する際の処理を軽減することができる。【０１７５】
（第２の実施形態）
上述した第１の実施形態においては、説明の都合上、基地局装置と移動局装置とが一対一の場合を例にとって説明したが、基地局装置および移動局装置は複数であっても良いことはもちろんである。【０１７６】
また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。【０１７７】
以上、本発明の実施形態について図面を参照して詳述してきたが、具体的な構成はこの実施形態に限られるものではなく、この発明の要旨を逸脱しない範囲の設計等も特許請求の範囲に含まれる。
【図１】
2009128285.tif 000003
【図２】
2009128285.tif 000004
【図３】
2009128285.tif 000005
【図４】
2009128285.tif 000006
【図５】
2009128285.tif 000007
【図６】
2009128285.tif 000008
【図７Ａ】
2009128285.tif 000009
【図７Ｂ】
2009128285.tif 000010
【図８】
2009128285.tif 000011
【図９】
2009128285.tif 000012
【図１０】
2009128285.tif 000013
【図１１】
2009128285.tif 000014
【図１２】
2009128285.tif 000015
【図１３】
2009128285.tif 000016
【図１４】
2009128285.tif 000017
【図１５】
2009128285.tif 000018
【図１６】
2009128285.tif 000019
【図１７】
2009128285.tif 000020
【図１８】
2009128285.tif 000021
【手続補正書】
【提出日】平成21年6月25日(2009.6.25)
【手続補正１】
【補正対象書類名】明細書
【補正対象項目名】全文
【補正方法】変更
【補正の内容】
【発明の詳細な説明】
【技術分野】
【０００１】  本発明は、基地局装置に対して、チャネルフィードバックレポートを送信する移動局装置および通信システムに関する。
【背景技術】
【０００２】  ３ＧＰＰ（３ｒｄ  Ｇｅｎｅｒａｔｉｏｎ  Ｐａｒｔｎｅｒｓｈｉｐ  Ｐｒｏｊｅｃｔ）は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を発展させたネットワークを基本した携帯電話システムの仕様の検討・作成を行なうプロジェクトである。３ＧＰＰではＷ−ＣＤＭＡ方式が第３世代セルラー移動通信方式として標準化され、順次サービスが開始されている。また、通信速度を更に上げたＨＳＤＰＡ（Ｈｉｇｈ−Ｓｐｅｅｄ  Ｄｏｗｎｌｉｎｋ  Ｐａｃｋｅｔ  Ａｃｃｅｓｓ）も標準化され、サービスが開始されている。３ＧＰＰでは、第３世代無線アクセス技術の進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：以下、「ＥＵＴＲＡ」と呼称する。）が検討されている。【０００３】  ＥＵＴＲＡにおける下りリンク通信方式として、互いに直交するサブキャリアを用いてユーザ多重化を行なうＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が提案されている。また、ＯＦＤＭＡ方式において、チャネル符号化等の適応無線リンク制御（リンクアダプテーション：Ｌｉｎｋ  Ａｄａｐｔａｔｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）といった技術が適用されている。ＡＭＣＳとは、高速パケットデータ伝送を効率的に行なうために、各移動局装置のチャネル品質に応じて、誤り訂正方式、誤り訂正の符号化率、データ変調多値数などの無線伝送パラメータ（以下、ＡＭＣモードと称する。）を切り替える方式である。各移動局装置のチャネル品質は、ＣＱＩ（Ｃｈａｎｎｅｌ  Ｑｕａｌｉｔｙ  Ｉｎｄｉｃａｔｏｒ）を使って基地局装置へフィードバックされる。【０００４】  ＯＦＤＭＡにおいて、通信可能な領域を物理的にサブキャリアに対応する周波数領域と時間領域において分割することができる。この分割領域をいくつかにまとめたものは物理リソースブロックと呼ばれ、一つ、または、いくつかの物理リソースブロックを各移動局装置へ割り振り、複数の移動局装置を多重化した通信が行なわれる。基地局装置と各移動局装置とが、その要求に応じた最適な品質・速度での通信を行なうためには、各移動局装置における各サブキャリアに対応する周波数帯のチャネル品質を考慮した物理リソースブロックへの割り当ておよび伝送方式の決定が必要である。伝送方式やスケジューリングは基地局装置が行なうため、この要求を実現するために、基地局装置へ各移動局装置から周波数領域ごとのチャネル品質がフィードバックされる。さらに、必要な場合には、基地局装置へ各移動局装置が選択した（例えば、チャネル品質の良い）周波数領域を示す情報がフィードバックされる。【０００５】  また、ＥＵＴＲＡにおいては通信路容量を増大するために、ＭＩＭＯ（Ｍｕｌｔｉｐｌｅ  Ｉｎｐｕｔ  Ｍｕｌｔｉｐｌｅ  Ｏｕｔｐｕｔ）を利用したＳＤＭ（Ｓｐａｃｅ  Ｄｉｖｉｓｉｏｎ  Ｍｕｌｔｉｐｌｅｘｉｎｇ：空間多重技術）やＳＦＢＣ���Ｓｐａｃｅ−Ｆｒｅｑｕｅｎｃｙ  Ｂｌｏｃｋ  Ｃｏｄｉｎｇ）、ＣＤＤ（Ｃｙｃｌｅ  Ｄｅｌａｙ  Ｄｉｖｅｒｓｉｔｙ）といった送信ダイバーシティの利用が提案されている。ＭＩＭＯは、多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼ぶ。ＭＩＭＯ通信時におけるストリームの数（Ｒａｎｋ）は、チャネル状態を考慮し、基地局装置が決定する。移動局装置が要求するストリームの数（Ｒａｎｋ）は、移動局装置から基地局装置へＲＩ（Ｒａｎｋ  Ｉｎｄｉｃａｔｏｒ）を使ってフィードバックされる。【０００６】  また、ダウンリンクにおけるＳＤＭの利用時については、各アンテナから送信される複数ストリームの情報を正しく分離するために、予め送信信号系列を前処理する（これを、「プレコーディング」と呼称する。）ことが検討されている。プレコーディングの情報は、移動局装置が推定したチャネル状態をもとに算出することができ、移動局装置から基地局装置にＰＭＩ（Ｐｒｅｃｏｄｉｎｇ  Ｍａｔｒｉｘ  Ｉｎｄｉｃａｔｏｒ）を使ってフィードバックされる。【０００７】  このように、最適な品質での通信を実現するために、各移動局装置から基地局装置へ、チャネル状態を示す様々な情報をフィードバックすることが必要とされている。このチャネルフィードバックレポート（チャネル状態情報）はＣＱＩ、ＰＭＩ、ＲＩなどで形成されている。これらのチャネルフィードバックレポートのビット数やフォーマットは、状況に応じて基地局装置から移動局装置へ指定される。【０００８】  図１７は、ＥＵＴＲＡにおけるチャネル構成を示す図である（非特許文献１参照）。ＥＵＴＲＡの下りリンクは、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）と、により構成されている。また、ＥＵＴＲＡの上りリンクは、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）と、により構成されている。【０００９】  ＥＵＴＲＡにおいて、上りリンクシングルキャリアの性質上、移動局装置から異なるチャネル（例えば、ＰＵＳＣＨとＰＵＣＣＨ）を使用して、同時に送信することはできない。移動局装置は、これらのチャネルを同じタイミングで送信する際には、仕様等の定義に従って情報を多重化して定められたチャネルで送信するか、若しくは、仕様等の定義に従っていずれかの情報のみを送信する（その他のデータは送信しない（ドロップする））。【００１０】  ＰＵＣＣＨは、チャネルフィードバックレポート（ＣＱＩ、ＰＭＩ、ＲＩ）、移動局装置が上りリンクデータを送信するためのリソースの割り当てを要求する（ＵＬ−ＳＣＨでの送信を要求する）スケジューリング要求（ＳＲ：Ｓｃｈｅｄｕｌｉｎｇ  Ｒｅｑｕｅｓｔ）、下りリンク送信に対するＨＡＲＱ肯定応答（ＡＣＫ）／否定応答（ＮＡＣＫ）などの上りリンク制御データを送信するために使用されるチャネルである。【００１１】  一方、ＰＵＳＣＨは、主に上りリンクデータを送信するために使用されるが、ＰＵＣＣＨを使用して送信されない場合に、チャネルフィードバックレポートも、上りリンクデータ（ＵＴ−ＳＣＨ）と共にＰＵＳＣＨを使用して送信される。すなわち、チャネルフィードバックレポートは、ＰＵＳＣＨ、および／または、ＰＵＣＣＨを使用して基地局装置にフィードバックされることになる。一般的に、１サブフレーム内においては、ＰＵＣＣＨに比べてＰＵＳＣＨの方がチャネルフィードバックレポートを送信するために割り当てられるリソースが大きく、より詳細なチャネルフィードバックレポート（基地局装置、移動局装置によってサポートされる物理リソースブロック数が６５−１１０個（２０ＭＨｚシステム帯域幅）の場合で、おおよそ２０〜１００ビット程度以上の情報）を送信することができる。移動局装置は、ＰＵＣＣＨを使用して、１サブフレーム内で、おおよそ１５ビット程度以下の情報しか送信することができない。【００１２】  移動局装置はＰＵＣＣＨを使用して、チャネルフィードバックレポートを周期的に送信することができる。また、移動局装置はＰＵＳＣＨを使用して、チャネルフィードバックレポートを周期的、非周期的に送信することができる（非特許文献１、２）。例えば、基地局装置は移動局装置に対して、ＲＲＣシグナリング（無線資源制御信号）を使用して持続的（永続的）なＰＵＳＣＨのリソース、および、チャネルフィードバックレポートを送信させる周期（若しくは、周期とオフセット）を設定することによって、チャネルフィードバックレポートを、ＰＵＳＣＨを使用して周期的に送信させることができる。【００１３】  また、例えば、基地局装置は移動局装置に対して、ＲＲＣシグナリング（無線資源制御信号）を使用して、チャネルフィードバックレポートを送信させる周期（若しくは、周期とオフセット）を設定し、ＰＤＣＣＨを使用して上りリンク送信許可信号（アップリンクグラント、Ｌ１／Ｌ２グラント、スケジューリンググラントなどと呼ばれるが、以下、上りリンク送信許可信号と呼ぶ）を送信することにより、チャネルフィードバックレポートの送信を開始させる（チャネルフィードバックレポートを活性化させる）ことによっても、チャネルフィードバックレポートを、ＰＵＳＣＨを使用して周期的に送信させることができる。周期的チャネルフィードバックレポートの場合、通常（上りリンク送��許可信号が周期的チャネルフィードバックレポートを上書きした場合などを除く）、移動局装置は上りリンクデータとチャネルフィードバックレポートを同時には送信せずに、基地局装置に対して、チャネルフィードバックレポートのみをＰＵＳＣＨを使用して送信する。【００１４】  また、基地局装置は、移動局装置に対して、上り送信許可信号にチャネルフィードバックレポートの送信を要求する１ビットの情報（チャネルフィードバックレポートリクエストまたはチャネル状態レポートトリガー）を含めることにより、チャネルフィードバックレポートと上りリンクデータを、ＰＵＳＣＨを使用して非周期的（一時的、単発的）に送信させることができる。また、移動局装置はＰＵＳＣＨを使用してチャネルフィードバックレポートのみを非周期的に送信することができる。チャネルフィードバックレポートのみの送信とは、移動局装置が上りリンクデータとチャネルフィードバックレポートを同時には送信せずに、基地局装置に対して、チャネルフィードバックレポートのみを送信することである。【００１５】  図１８は、ＥＵＴＲＡにおいて、移動局装置が上りリンクデータ（格子模様で示される）、チャネルフィードバックレポート（薄黒塗りで示される）、ＡＣＫ／ＮＡＣＫ（網模様で示される）を、ＰＵＳＣＨを使用して同時に送信する際の多重化の例について記載している図である。図１８においては、上りリンクデータ、チャネルフィードバックレポート、ＡＣＫ／ＮＡＣＫ以外に、移動局装置がこれらの情報を復号する際に使用する上り参照信号（以下、「ＲＳ（Ｒｅｆｅｒｅｎｃｅ  Ｓｙｍｂｏｌ）」と呼称する。）も記載している。ＲＳは、図１８中、点模様で示されている。【００１６】  移動局装置が、上りリンクデータ、チャネルフィードバックレポート、ＡＣＫ／ＮＡＣＫを多重化する場合、まず、チャネルフィードバックレポートが時間軸方向に配置される。図１８では、チャネルフィードバックレポートが、まず時間軸の方向に配置され、時間軸方向の全てに配置された後（この例では、ＲＳを除く１２個の領域にチャネルフィードバックレポートが配置された後）に、周波数軸の方向に配置されていることが示されている（タイム・ファースト・マッピング）。ここで、チャネルフィードバックレポートが配置される領域数は、チャネルフィードバックレポートのＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（変調方式、および／または、符号化方式はデフォルト値で固定されていてもよい）。【００１７】  続いて、チャネルフィードバックレポートと同様に、上りリンクデータもまず時間軸の方向に配置され、その後、周波数軸の方向に配置される（タイム・ファースト・マッピング）。チャネルフィードバックレポートは上りリンクデータの先（先頭）に配置される。チャネルフィードバックレポート、上りリンクデータがタイム・ファースト・マッピングで配置された後に、ＡＣＫ／ＮＡＣＫが、図１８に示すように、ＲＳに隣接して配置される。この際、ＡＣＫ／ＮＡＣＫは、上りリンクデータを上書きして配置される（ＡＣＫ／ＮＡＣＫは、上りリンクデータをパンクチャして配置さ���る、と呼ぶ）。ＡＣＫ／ＮＡＣＫが配置できる領域数は、例えば、最大で４つ（図示、（ＲＳに隣接する４つの領域、時間軸方向にある１４個の領域のうち、時間軸の小さい方から３番目、５番目、１０番目、１２番目の４つの領域））である。移動局装置は、このように多重化した上りリンクデータとチャネルフィードバックレポートとＡＣＫ／ＮＡＣＫを、ＰＵＳＣＨを使用して同時に基地局装置に送信する。
【非特許文献１】３ＧＰＰ  ＴＳ（Ｔｅｃｈｎｉｃａｌ  Ｓｐｅｃｉｆｉｃａｔｉｏｎ）３６．２１１，Ｖ８．２．０（２００８−０３），３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌ  ａｎｄ  Ｍｏｄｕｌａｔｉｏｎ（Ｒｅｌｅａｓｅ  ８）
【非特許文献２】“Ｕｐｌｉｎｋ  Ｃｏｎｔｒｏｌ  Ｓｉｇｎａｌｉｎｇ  ｗｉｔｈ  Ｐｅｒｓｉｓｔｅｎｔ  Ｓｃｈｅｄｕｌｉｎｇ”，３ＧＰＰ  ＴＳＧ  ＲＡＮ  ＷＧ１  Ｍｅｅｔｉｎｇ  ＃５２，Ｒ１−０８０７３９，Ｆｅｂｒｕａｒｙ  ２００８
【非特許文献３】“Ｔｗｏ−ｌａｙｅｒ  ＣＱＩ  Ｓｃｈｅｍｅ  ｆｏｒ  Ｉｍｐｒｏｖｅｄ  ＰＵＣＣＨ  Ｅｆｆｉｃｉｅｎｃｙ”，３ＧＰＰ  ＴＳＧ  ＲＡＮ  ＷＧ１  Ｍｅｅｔｉｎｇ  ＃４９ｂｉｓ，Ｒ１−０７３００９，Ｊｕｎｅ  ２００７
【発明の開示】
【発明が解決しようとする課題】
【００１８】  しかしながら、従来の技術では、移動局装置が上りリンクデータを送信するためのリソースの割り当てを要求する（ＵＬ−ＳＣＨでの送信を要求する）スケジューリング要求はＰＵＣＣＨでのみ送信することが可能であり、また、チャネルフィードバックレポートと同じタイミングで送信することはできなかった。移動局装置において、スケジューリング要求とチャネルフィードバックレポートが同じタイミングで発生した場合、チャネルフィードバックレポートは送信せずに（ドロップする）、スケジューリング要求のみを送信していた。【００１９】  基地局装置は、各移動局装置から送信されたチャネルフィードバックレポートに応じて、下りリンクで送信する情報に施す誤り訂正方式、誤り訂正の符号化率、データ変調多値数などのＡＭＣモードを切り替える。移動局装置から送信されたスケジューリング要求に従って、基地局装置が上りリンクデータを送信する（ＵＬ−ＳＣＨでの送信をする）ためのリソースを割り当てる際に、チャネルフィードバックレポートがフィードバックされていなければ、移動局装置のチャネル品質に応じたＡＭＣモードで上りリンクデータを送信する（ＵＬ−ＳＣＨでの送信をする）ためのリソースの割り当てを行なうことはできない。【００２０】  すなわち、基地局装置が、移動局装置からの要求（リクエスト）によってＰＵＳＣＨのリソースを割り当てる際に、適切なＡＭＣモードを決定することができないという問題があった。これは、基地局装置、移動局装置間の通信制御（スケジューリング）を効率的に行なうことができなくなるという問題につながる。【００２１】  またスケジューリング要求は、上りリンクデータを送信するためのリソースの割り当てを要求する（ＵＬ−ＳＣＨでの送信を要求する）ために使用される性質上、ＰＵＳＣＨを使用して送信されていなかった。なぜなら、通常、移動局装置がＰＵＳＣＨを使用して情報を送信する際には、上りリンクデータが存在している（ＵＬ−ＳＣＨが存在している）、すなわち、上りリンクデータを送信するための（ＵＬ−ＳＣＨでの送信をするための）のリソースが割り当てられているからである。【００２２】  しかしながら、移動局装置がＰＵＳＣＨを使用してチャネルフィードバックレポートのみを送信する場合、基地局装置は、上りリンクデータを送信するための（ＵＬ−ＳＣＨでの送信をするための）リソースは割り当てないために、この想定が当てはまらない。よって、移動局装置がＰＵＳＣＨを使用してチャネルフィードバックレポートのみを送信する場合、スケジューリング要求を送信できないために、上りリンクデータを迅速に送信できなくなり（ＵＬ−ＳＣＨでの送信を迅速に行なえなくなり）、上りリンクデータを送信する（ＵＬ−ＳＣＨでの送信を行なう）際に遅延が発生するという問題があった。【００２３】  本発明は、このような事情に鑑みてなされたものであり、基地局装置が、移動局装置からのチャネルフィードバックレポートとスケジューリング要求（リクエスト）に応じて、適切なＡＭＣモードでＰＵＳＣＨのリソースを割り当てる効率的な送信制御を実現すると共に、移動局装置がチャネルフィードバックレポートのみを送信する際に、上りリンクデータを迅速に送信できる（ＵＬ−ＳＣＨでの送信を迅速に行なうことができる）移動局装置および通信システムを提供することを目的とする。
【課題を解決するための手段】
【００２４】  上記の目的を達成するために、本発明は、以下のような手段を講じた。すなわち、本発明の移動局装置は、物理上りリンク制御チャネルを使用してスケジューリング要求を基地局装置へ送信する移動局装置であって、前記基地局装置から、物理上りリンク共用チャネルを使用した上りリンクデータ（ＵＬ−ＳＣＨ）を伴わないチャネルフィードバックレポートの送信を指示する情報を含んだ信号を受信した場合は、前記物理上りリンク共用チャネルを使用してスケジューリング要求を前記基地局装置へ送信することを特徴とする。【００２５】  また、本発明の移動局装置は、前記上りリンクデータ（ＵＬ−ＳＣＨ）を伴わないチャネルフィードバックレポートの送信を指示する情報を含んだ無線資源制御信号を前記基地局装置から受信することを特徴とする。【００２６】  また、本発明の移動局装置は、前記上りリンクデータ（ＵＬ−ＳＣＨ）を伴わないチャネルフィードバックレポートの送信を指示する情報を含んだ上りリンク送信許可信号を前記基地局装置から受信することを特徴とする。【００２７】  また、本発明の移動局装置は、前記スケジューリング要求を、前記上りリンクデータ（ＵＬ−ＳＣＨ）を伴わないチャネルフィードバックレポートと共に前記基地局装置へ送信することを特徴とする。【００２８】  また、本発明の移動局装置は、前記スケジューリング要求を、前記物理上りリンク共用チャネルで、時間方向に対して上りリンク参照信号と隣接する位置に配置し、前記基地局装置へ送信することを特徴とする。【００２９】  また、本発明の移動局装置は、前記スケジューリング要求を、前記物理上りリンク共用チャネルで、時間方向に対してＡＣＫ／ＮＡＣＫと隣接する位置に配置し、前記基地局装置へ送信することを特徴とする。【００３０】  また、本発明の移動局装置は、前記スケジューリング要求を、前記物理上りリンク共用チャネルで、時間方向に対してＲＩ（Ｒａｎｋ  Ｉｎｄｉｃａｔｏｒ）と隣接する位置に配置し、前記基地局装置へ送信することを特徴とする。【００３１】  また、本発明の移動局装置は、前記スケジューリング要求を、前記物理上りリンク共用チャネルで、時間方向に対して上りリンク参照信号と隣接する位置であって、かつ、前記上りリンク参照信号に隣接するＡＣＫ／ＮＡＣＫと周波数方向に対して反対側の位置に配置し、前記基地局装置へ送信することを特徴とする。【００３２】  また、本発明の通信方法は、移動局装置が物理上りリンク制御チャネルを使用してスケジューリング要求を基地局装置へ送信する通信方法であって、前記移動局装置が、物理上りリンク共用チャネルを使用した上りリンクデータ（ＵＬ−ＳＣＨ）を伴わないチャネルフィードバックレポートの送信を指示する情報を含んだ信号を前記基地局装置から受信した場合は、前記物理上りリンク共用チャネルを使用してスケジューリング要求を前記基地局装置へ送信することを特徴とする。【００３３】  また、本発明の通信方法は、前記移動局装置が、前記上りリンクデータ（ＵＬ−ＳＣＨ）を伴わないチャネルフィードバックレポートの送信を指示する情報を含んだ無線資源制御信号を前記基地局装置から受信することを特徴とする。【００３４】  また、本発明の通信方法は、前記移動局装置が、前記上りリンクデータ（ＵＬ−ＳＣＨ）を伴わないチャネルフィードバックレポートの送信を指示する情報を含んだ上りリンク送信許可信号を前記基地局装置から受信することを特徴とする。【００３５】  また、本発明の通信方法は、前記移動局装置が、前記スケジューリング要求を、前記上りリンクデータ（ＵＬ−ＳＣＨ）を伴わないチャネルフィードバックレポートと共に前記基地局装置へ送信することを特徴とする。【００３６】  また、本発明の通信方法は、前記移動局装置が、前記スケジューリング要求を、前記物理上りリンク共用チャネルで、時間方向に対して上りリンク参照信号と隣接する位置に配置し、前記基地局装置へ送信することを特徴とする。【００３７】  また、本発明の通信方法は、前記移動局装置が、前記スケジューリング要求を、前記物理上りリンク共用チャネルで、時間方向に対してＡＣＫ／ＮＡＣＫと隣接する位置に配置し、前記基地局装置へ送信することを特徴とする。【００３８】  また、本発明の通信方法は、前記移動局装置が、前記スケジューリング要求を、前記物理上りリンク共用チャネルで、時間方向に対してＲＩ（Ｒａｎｋ  Ｉｎｄｉｃａｔｏｒ）と隣接する位置に配置し、前記基地局装置へ送信することを特徴とする。【００３９】  また、本発明の通信方法は、前記移動局装置が、前記スケジューリング要求を、前記物理上りリンク共用チャネルで、時間方向に対して上りリンク参照信号と隣接する位置であって、かつ、前記上りリンク参照信号に隣接するＡＣＫ／ＮＡＣＫと周波数方向に対して反対側の位置に配置し、前記基地局装置へ送信することを特徴とする。【００４０】
【００４１】
【発明の効果】
【００４２】  本発明によれば、移動局装置が、物理上りリンク共用チャネルを使用して、基地局装置に対してスケジューリング要求を送信するので、基地局装置が、移動局装置からのチャネルフィードバックレポートとスケジューリング要求に応じて、適切なＡＭＣモードでＰＵＳＣＨのリソースを割り当てる効率的な送信制御を実現することが可能となる。
【図面の簡単な説明】
【００４３】
【図１】ＥＵＴＲＡにおけるチャネルの構成を示す図である。
【図２】ＥＵＴＲＡにおけるチャネルの構成を示す図である。
【図３】ＥＵＴＲＡにおける下りリンクフレームの構成を示す図である。
【図４】ＥＵＴＲＡにおける上りリンクフレームの構成を示す図である。
【図５】本発明の実施形態に係る基地局装置１００の概略構成を示すブロック図である。
【図６】本発明の実施形態に係る移動局装置２００の概略構成を示すブロック図である。
【図７Ａ】上りリンクの各サブフレームに対応する信号と送信形態を示す図である。
【図７Ｂ】上りリンクの各サブフレームに対応する信号と送信形態を示す図である。
【図８】移動局装置がＰＵＳＣＨを使用してチャネルフィードバックレポートとスケジューリング要求を同時に送信する際の多重化の例について記載している図である。
【図９】移動局装置がＰＵＳＣＨを使用してチャネルフィードバックレポートとスケジューリング要求を同時に送信する際の多重化の例について記載している図である。
【図１０】移動局装置がＰＵＳＣＨを使用してチャネルフィードバックレポートとスケジューリング要求を同時に送信する際の多重化の例について記載している図である。
【図１１】移動局装置がＰＵＳＣＨを使用してチャネルフィードバックレポートとスケジューリング要求を同時に送信する際の多重化の別の例について記載している図である。
【図１２】チャネルフィードバックレポートを上書きしないで、チャネルフィードバックレポートとスケジューリング要求を多重化する例について記載している。
【図１３】チャネルフィードバックレポートを上書きしないで、チャネルフィードバックレポートとスケジューリング要求を多重化する例について記載している。
【図１４】チャネルフィードバックレポートを上書きしないで、チャネルフィードバックレポートとスケジューリング要求を多重化する例について記載している。
【図１５】チャネルフィードバックレポートを上書きしないで、チャネルフィードバックレポートとスケジューリング要求を多重化する例について記載している。
【図１６】移動局装置がＰＵＳＣＨを使用してチャネルフィードバックレポートとスケジューリング要求を同時に送信する際の多重化の別の例について記載している。
【図１７】ＥＵＴＲＡにおけるチャネル構成を示す図である。
【図１８】ＰＵＳＣＨの変調シンボルおよびリソースエレメントのマッピングを示している。
【符号の説明】
【００４４】１００  基地局装置
１０１  データ制御部
１０２  ＯＦＤＭ変調部
１０３  無線部
１０４  スケジューリング部
１０５  チャネル推定部
１０６  ＤＦＴ−Ｓ−ＯＦＤＭ復調部
１０７  データ抽出部
１０８  上位層
１０９  無線リソース制御部
２００  移動局装置
２０１  データ制御部
２０２  ＤＦＴ−Ｓ−ＯＦＤＭ変調部
２０３  無線部
２０４  スケジューリング部
２０５  チャネル推定部
２０６  ＯＦＤＭ復調部
２０７  データ抽出部
２０８  上位層
２０９  無線リソース制御部
２１０  ＭＢＭＳ制御部
【発明を実施するための最良の形態】
【００４５】  次に、本発明に係る実施形態について、図面を参照しながら説明する。図１および図２は、ＥＵＴＲＡにおけるチャネルの構成を示す図である。チャネルは、図１および図２に示すように、論理チャネル、トランスポートチャネル、物理チャネルに分類される。図１は、下りリンクのチャネルを示しており、図２は、上りリンクのチャネルを示している。論理チャネルは、媒体アクセス制御（ＭＡＣ：Ｍｅｄｉｕｍ  Ａｃｃｅｓｓ  Ｃｏｎｔｒｏｌ）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。【００４６】  論理チャネルには、報知制御チャネル（ＢＣＣＨ：Ｂｒｏａｄｃａｓｔ  Ｃｏｎｔｒｏｌ  Ｃｈａｎｎｅｌ）、ページング制御チャネル（ＰＣＣＨ：Ｐａｇｉｎｇ  Ｃｏｎｔｒｏｌ  Ｃｈａｎｎｅｌ）、共通制御チャネル（ＣＣＣＨ：Ｃｏｍｍｏｎ  Ｃｏｎｔｒｏｌ  Ｃｈａｎｎｅｌ）、専用制御チャネル（ＤＣＣＨ：Ｄｅｄｉｃａｔｅｄ  Ｃｏｎｔｒｏｌ  Ｃｈａｎｎｅｌ）、専用トラフィックチャネル（ＤＴＣＨ：Ｄｅｄｉｃａｔｅｄ  Ｔｒａｆｆｉｃ  Ｃｈａｎｎｅｌ）、マルチキャスト制御チャネル（ＭＣＣＨ：Ｍｕｌｔｉｃａｓｔ  Ｃｏｎｔｒｏｌ  Ｃｈａｎｎｅｌ）、マルチキャストトラフィックチャネル（ＭＴＣＨ：Ｍｕｌｔｉｃａｓｔ  Ｔｒａｆｆｉｃ  Ｃｈａｎｎｅｌ）が含まれる。【００４７】  トランスポートチャネルには、報知チャネル（ＢＣＨ：Ｂｒｏａｄｃａｓｔ  Ｃｈａｎｎｅｌ）、ページングチャネル（ＰＣＨ：Ｐａｇｉｎｇ  Ｃｈａｎｎｅｌ）、下りリンク共用チャネル（ＤＬ−ＳＣＨ：Ｄｏｗｎｌｉｎｋ  Ｓｈａｒｅｄ  Ｃｈａｎｎｅｌ）、マルチキャストチャネル（ＭＣＨ：Ｍｕｌｔｉｃａｓｔ  Ｃｈａｎｎｅｌ）、上りリンク共用チャネル（ＵＬ−ＳＣＨ：Ｕｐｌｉｎｋ  Ｓｈａｒｅｄ  Ｃｈａｎｎｅｌ）、ランダムアクセスチャネル（ＲＡＣＨ：Ｒａｎｄｏｍ  Ａｃｃｅｓｓ  Ｃｈａｎｎｅｌ）が含まれる。【００４８】  物理チャネルには、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が含まれる。なお、上記の各チャネルの概念は、図１７に示した通りである。【００４９】  論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。共通制御チャネル（ＣＣＣＨ）は、移動局装置とネットワーク間の制御情報を送信するために使用されるチャネルであり、ネットワークと無線リソース制御（ＲＲＣ：Ｒａｄｉｏ  Ｒｅｓｏｕｒｃｅ  Ｃｏｎｔｒｏｌ）接続を有していない移動局装置によって使用される。【００５０】  専用制御チャネル（ＤＣＣＨ）は、１対１（ｐｏｉｎｔ−ｔｏ−ｐｏｉｎｔ）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。専用トラフィックチャネル（ＤＴＣＨ）は、１対１の双方向チャネルであり、１つの移動局装置専用のチャネルであり、ユーザ情報（ユニキャストデータ）の転送のために利用される。マルチキャスト制御チャネル（ＭＣＣＨ）は、ネットワークから移動局装置へＭＢＭＳ制御情報を１対多（ｐｏｉｎｔ−ｔｏ−ｍｕｌｔｉｐｏｉｎｔ）送信するために使用される下りリンクチャネルである。これは、１対多でサービスを提供するマルチメディアブロードキャストマルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ、以下、「ＭＢＭＳサービス」と呼称する。）に使用される。ＭＢＭＳサービスの送信方法としては、単セル一対多（ＳＣＰＴＭ：Ｓｉｎｇｌｅ−Ｃｅｌｌ  Ｐｏｉｎｔ−ｔｏ−Ｍｕｌｔｉｐｏｉｎｔ）送信と、マルチメディアブロードキャストマルチキャストサービス単一周波数網（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）送信とがある。ＭＢＳＦＮ送信（ＭＢＳＦＮ  Ｔｒａｎｓｍｉｓｓｉｏｎ）とは、複数セルから同時に識別可能な波形（信号）を送信することで実現する同時送信技術である。一方、ＳＣＰＴＭ送信とは、１つの基地局装置でＭＢＭＳサービスを送信する方法である。【００５１】  また、マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を１対多（ｐｏｉｎｔ−ｔｏ−ｍｕｌｔｉｐｏｉｎｔ）送信するために使用される下りリンクチャネルである。なお、マルチキャスト制御チャネル（ＭＣＣＨ）およびマルチキャストトラフィックチャネル（ＭＴＣＨ）は、ＭＢＭＳを受信する移動局装置だけが利用する。【００５２】  次に、トランスポートチャネルについて説明する。報知チャネル（ＢＣＨ）は、固定かつ事前に定義された送信形式によっ���、セル全体に報知される必要がある。下りリンク共用チャネル（ＤＬ−ＳＣＨ）では、ＨＡＲＱ、動的適応無線リンク制御、間欠受信（ＤＲＸ：Ｄｉｓｃｏｎｔｉｎｕｏｕｓ  Ｒｅｃｅｐｔｉｏｎ）、ＭＢＭＳ送信がサポートされ、セル全体に報知される必要がある。また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。【００５３】  マルチキャストチャネル（ＭＣＨ）は、セル全体に報知される必要がある。また、マルチキャストチャネル（ＭＣＨ）では、複数セルからのＭＢＭＳ送信のＭＢＳＦＮ（ＭＢＭＳ  Ｓｉｎｇｌｅ  Ｆｒｅｑｕｅｎｃｙ  Ｎｅｔｗｏｒｋ）結合（Ｃｏｍｂｉｎｉｎｇ）や、拡張サイクリックプリフィックス（ＣＰ：Ｃｙｃｌｉｃ  Ｐｒｅｆｉｘ）を使う時間フレームなど、準静的リソース割り当てがサポートされる。上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。【００５４】  そして、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（ｂｌｉｎｄ  ｄｅｔｅｃｔｉｏｎ）される。すなわち、タイミング提示のために、明示的なシグナリングを行なわない。また、物理報知チャネル（ＰＢＣＨ）を含むサブフレームは、そのサブフレームだけで復号でき（自己復号可能（ｓｅｌｆ−ｄｅｃｏｄａｂｌｅ）であり）、複数回に分割されて送信されない。【００５５】  物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）情報、および、物理上りリンク共用チャネル（ＰＵＳＣＨ）のリソース割り当てである上りリンク送信許可（上りリンクグラント）を移動局装置に通知するために使用されるチャネルである。物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。【００５６】  物理上りリンク共用チャネル（ＰＵＳＣＨ）は、主に上りリンクデータ（ＵＬ−ＳＣＨ）を送信するために使用されるチャネルである。基地局装置が、移動局装置をス��ジューリングした場合には、チャネルフィードバックレポート（ＣＱＩ、ＰＭＩ、ＲＩ）や下りリンク送信に対するＨＡＲＱ肯定応答（ＡＣＫ：Ａｃｋｎｏｗｌｅｄｇｅｍｅｎｔ）／否定応答（ＮＡＣＫ：Ｎｅｇａｔｉｖｅ  Ａｃｋｎｏｗｌｅｄｇｅｍｅｎｔ）もＰＵＳＣＨを使用して送信される。物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Ｓｃｈｅｄｕｌｉｎｇ  Ｒｅｑｕｅｓｔ）、下りリンク送信に対するＨＡＲＱ肯定応答（ＡＣＫ：Ａｃｋｎｏｗｌｅｄｇｅｍｅｎｔ）／否定応答（ＮＡＣＫ：Ｎｅｇａｔｉｖｅ  Ａｃｋｎｏｗｌｅｄｇｅｍｅｎｔ）などを送信するために使用されるチャネルである。【００５７】  物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンク送信に対するＨＡＲＱ  ＡＣＫ／ＮＡＣＫを送信するために利用するチャネルである。【００５８】  ［チャネルマッピング］
また、図１に示されるように、下りリンクでは、次のようにトランスポートチャネルと物理チャネルのマッピングが行なわれる。報知チャネル（ＢＣＨ）は、物理報知チャネル（ＰＢＣＨ）にマッピングされる。マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。【００５９】  一方、図２に示されるように、上りリンクでは、次のようにトランスポートチャネルと物理チャネルのマッピングが行なわれる。上りリンク共用チャネル（ＵＬ−ＳＣＨ）は、物理上りリンク共用チャネル（ＰＵＳＣＨ）にマッピングされる。ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。【００６０】  また、図１に示されるように、下りリンクにおいて、次のように論理チャネルとトランスポートチャネルのマッピングが行なわれる。ページング制御チャネル（ＰＣＣＨ）は、下りリンク共用チャネル（ＤＬ−ＳＣＨ）にマッピングされる。報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。マルチキャスト制御チャネル（ＭＣＣＨ）は、下りリンク共用チャネル（ＤＬ−ＳＣＨ）とマルチキャストチャネル（ＭＣＨ）にマッピングされる。【００６１】  マルチキャストトラフィックチャネル（ＭＴＣＨ）は、下りリンク共用チャネル（ＤＬ−ＳＣＨ）とマルチキャストチャネル（ＭＣＨ）にマッピングされる。なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行なわれる一方、ＳＣＰＴＭ送信時は、このマッピングは下りリンク共用チャネル（ＤＬ−ＳＣＨ）にマッピングされる。ＳＣＰＴＭ送信は、１つの基地局装置でＭＢＭＳサービスを提供するＭＢＭＳサービス送信方法の１つである。【００６２】  一方、図２に示されるように、上りリンクにおいて次のように論理チャネルとトランスポートチャネルのマッピングが行なわれる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。【００６３】  ［無線フレーム構成］
次に、ＥＵＴＲＡにおけるフレームの構成について説明する。図３は、ＥＵＴＲＡにおける下りリンクフレームの構成を示す図であり、図４は、ＥＵＴＲＡにおける上りリンクフレームの構成を示す図である。システムフレーム番号（ＳＦＮ：Ｓｙｓｔｅｍ  Ｆｒａｍｅ  Ｎｕｍｂｅｒ）で識別される無線フレームは１０ミリ秒で構成されている。また、１サブフレームは１ミリ秒で構成されており、無線フレームには１０個のサブフレームが含まれる。【００６４】  １サブフレームは２つのスロットに分離される。通常のＣＰ（ｎｏｒｍａｌ  ＣＰ）が使用される場合、下りリンクのスロットは７個のＯＦＤＭシンボルで構成され、上りリンクのスロットは７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルで構成される。なお、拡張ＣＰ（「ｌｏｎｇ  ＣＰ」または「ｅｘｔｅｎｄｅｄ  ＣＰ」とも呼称する。）が使用される場合は、下りリンクのスロットは６個のＯＦＤＭシンボルで構成され、上りリンクのスロットは６個のＳＣ−ＦＤＭＡシンボルで構成される。【００６５】  また、１つのスロットは周波数方向に複数のブロックに分割される。１５ｋＨｚのサブキャリア１２本を周波数方向の単位として、１個の物理リソースブロック（ＰＲＢ：Ｐｈｙｓｉｃａｌ  Ｒｅｓｏｕｒｃｅ  Ｂｌｏｃｋ）を構成する。物理リソースブロック（ＰＲＢ）数は、システム帯域幅に応じて、６個から１１０個までサポートされる。下りリンク、上りリンクのリソース割り当ては、時間方向にサブフレーム単位かつ周波数方向に物理リソースブロック（ＰＲＢ）単位で行なわれる。すなわち、サブフレーム内の２つのスロットは、一つのリソース割り当て信号で割り当てられる。【００６６】  サブキャリアとＯＦＤＭシンボルまたはサブキャリアとＳＣ−ＦＤＭＡシンボルで構成される単位をリソースエレメントと呼ぶ。物理層でのリソースマッピング処理で各リソースエレメントに対して変調シンボルなどがマッピングされる。【００６７】  下りリンクトランスポートチャネルの物理層での処理では、物理下りリンク共用チャネル（ＰＤＳＣＨ）に対する２４ビットの巡回冗長検査（ＣＲＣ：Ｃｙｃｌｉｃ  Ｒｅｄｕｎｄａｎｃｙ  Ｃｈｅｃｋ）の付与、チャネルコーディング（伝送路符号化）、物理層ＨＡＲＱ処理、チャネルインターリービング、スクランブリング、変調（ＱＰＳＫ、１６ＱＡＭ、６４ＱＡＭ）、レイヤマッピング、プレコーディング、リソースマッピング、アンテナマッピングなどが行なわれる。【００６８】  一方、上りリンクトランスポートチャネルの物理層での処理では、物理上りリンク共用チャネル（ＰＵＳＣＨ）に対する２４ビットのＣＲＣの付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行なわれる。【００６９】  物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。物理下りリンク制御チャネル（ＰＤ���ＣＨ）では、下りリンク共用チャネル（ＤＬ−ＳＣＨ）およびページングチャネル（ＰＣＨ）に対するトランスポートフォーマット（変調方式、符号化方式、トランスポートブロックサイズなどを規定する。）、リソース割り当て、ＨＡＲＱ情報が送信される。また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する。）、リソース割り当て、ＨＡＲＱ情報が送信される。また、複数の物理下りリンク制御チャネル（ＰＤＣＣＨ）がサポートされ、移動局装置は、物理下りリンク制御チャネル（ＰＤＣＣＨ）のセットをモニタリングする。【００７０】  物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。【００７１】  また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。物理下りリンク制御チャネル（ＰＤＣＣＨ）に含まれるＭＡＣ  ＩＤに自局の移動局識別子であるセル無線網臨時識別子（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｔｙ）が配置されているかどうかで、自局宛の制御信号かどうかを判断する。また、報知情報（ＢＣＣＨ）やページング情報（ＰＣＣＨ）を識別するためにそれぞれに予約された識別情報をＭＡＣ  ＩＤに配置する。ＭＡＣ  ＩＤは、物理下りリンク制御チャネル（ＰＤＣＣＨ）のＣＲＣとして識別されていても良いし、物理下りリンク制御チャネル（ＰＤＣＣＨ）のスクランブル符号で識別されても良い。物理下りリンク制御チャネル（ＰＤＣＣＨ）は、そのビットサイズやフラグによって上りリンク送信許可信号や下りリンクリソース割り当てであることが識別される。【００７２】  また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。一方、物理上りリンク共用チャネル（ＰＵＳＣＨ）の復調用に使用される上りリンク復調用参照信号（復調用パイロット（ＤＲＳ：Ｄｅｍｏｄｕｌａｔｉｏｎ  Ｒｅｆｅｒｅｎｃｅ  Ｓｉｇｎａｌ））は、各スロットの４番目のＳＣ−ＦＤＭＡシンボルで送信される。また、上りリンク状態の測定用に使用される上りリンク測定用参照信号（スケジューリング用パイロット（ＳＲＳ：Ｓｏｕｎｄｉｎｇ  Ｒｅｆｅｒｅｎｃｅ  Ｓｉｇｎａｌ））は、サブ���レームの先頭のＳＣ−ＦＤＭＡシンボルで送信される。上りリンク制御チャネル（ＰＵＣＣＨ）の復調用参照信号は、上りリンク制御チャネルのフォーマットごとに定義され、各スロットの３および４および５番目、または、各スロットの２番目および６番目のＳＣ−ＦＤＭＡシンボルで送信される。【００７３】  また、物理報知チャネル（ＰＢＣＨ）、下りリンク同期信号は、システム帯域の中心６物理リソースブロック分の帯域に配置される。物理下りリンク同期信号は、１番目（サブフレーム＃０）および５番目（サブフレーム＃４）のサブフレームの各スロットの６番目、７番目のＯＦＤＭシンボルで送信される。物理報知チャネル（ＰＢＣＨ）は、１番目（サブフレーム＃０）のサブフレームの１番目のスロット（スロット＃０）の４番目、５番目のＯＦＤＭシンボルと２番目のスロット（スロット＃１）の１番目、２番目のＯＦＤＭシンボルで送信される。【００７４】  また、ランダムアクセスチャネル（ＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行なうために送信される。【００７５】  上りリンク制御チャネル（ＰＵＣＣＨ）は、システム帯域の両端に配置され、物理リソースブロック単位で構成される。スロット間でシステム帯域の両端が交互に使用されるように周波数ホッピングが行なわれる。【００７６】  本実施形態に係る通信システムは、基地局装置１００と、移動局装置２００と、から構成される。【００７７】  ［基地局装置］
図５は、本発明の実施形態に係る基地局装置１００の概略構成を示すブロック図である。基地局装置１００は、データ制御部１０１と、ＯＦＤＭ変調部１０２と、無線部１０３と、スケジューリング部１０４と、チャネル推定部１０５と、ＤＦＴ−Ｓｐｒｅａｄ−ＯＦＤＭ（ＤＦＴ−Ｓ−ＯＦＤＭ）復調部１０６と、データ抽出部１０７と、上位層１０８と、を含んで構成される。また、無線部１０３、スケジューリング部１０４、チャネル推定部１０５、ＤＦＴ−Ｓｐｒｅａｄ−ＯＦＤＭ（ＤＦＴ−Ｓ−ＯＦＤＭ）復調部１０６、データ抽出部１０７、上位層１０８で受信部を構成し、データ制御部１０１、ＯＦＤＭ変調部１０２、無線部１０３、スケジューリング部１０４、上位層１０８で送信部を構成している。【００７８】  無線部１０３、チャネル推定部１０５、ＤＦＴ−Ｓｐｒｅａｄ−ＯＦＤＭ（ＤＦＴ−Ｓ−ＯＦＤＭ）復調部１０６、データ抽出部１０７で上りリンクの物理層の処理を行なう。無線部１０３、ＯＦＤＭ変調部１０２、データ制御部１０１で下りリンクの物理層の処理を行なう。【００７９】  データ制御部１０１は、スケジューリング部１０４からトランスポートチャネルおよびスケジューリング情報を受信する。トランスポートチャネルと物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。【００８０】  ＯＦＤＭ変調部１０２は、データ制御部１０１から入力されたデータに対して、スケジューリング部１０４からのスケジューリング情報（下りリンク物理リソースブロックＰＲＢ（Ｐｈｙｓｉｃａｌ  Ｒｅｓｏｕｒｃｅ  Ｂｌｏｃｋ）割り当て情報（例えば、周波数、時間など物理リソースブロック位置情報）や、各ＰＲＢに対応する変調方式および符号化方式（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理、ＣＰ（Ｃｙｃｌｉｃ  Ｐｒｅｆｉｘ）挿入、並びに、フィルタリングなどＯＦＤＭ信号処理を行ない、ＯＦＤＭ信号を生成して、無線部１０３へ出力する。【００８１】  無線部１０３は、ＯＦＤＭ変調部１０２から入力された変調データを無線周波数にアップコンバートして無線信号を生成し、アンテナ（図示せず）を介して、移動局装置２００に送信する。また、無線部１０３は、移動局装置２００からの上りリンクの無線信号を、アンテナ（図示せず）を介して受信し、ベースバンド信号にダウンコンバートして、受信データをチャネル推定部１０５とＤＦＴ−Ｓ−ＯＦＤＭ復調部１０６とに出力する。【００８２】  スケジューリング部１０４は、媒体アクセス制御（ＭＡＣ：Ｍｅｄｉｕｍ  Ａｃｃｅｓｓ  Ｃｏｎｔｒｏｌ）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。【００８３】  スケジューリング部１０４は、��りリンクのスケジューリングでは、移動局装置２００から受信した上りリンクのフィードバック情報（下りリンクのチャネルフィードバック情報（チャネル状態情報（チャネル品質、ストリームの数、プレコーディング情報など））や、下りリンクデータに対するＡＣＫ／ＮＡＣＫフィードバック情報など）、各移動局装置の使用可能なＰＲＢの情報、バッファ状況、上位層１０８から入力されたスケジューリング情報などに基づいて、各データを変調するための下りリンクのトランスポートフォーマット（送信形態）（物理リソースブロックの割り当ておよび変調方式および符号化方式など）の選定処理およびＨＡＲＱにおける再送制御を行なう。これら下りリンクのスケジューリングに使用されるスケジューリング情報は、データ制御部１０１へ出力される。【００８４】  また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態）（物理リソースブロックの割り当ておよび変調方式および符号化方式など）の選定処理を行なう。これら上りリンクのスケジューリングに使用されるスケジューリング情報は、データ制御部１０１へ出力される。【００８５】  また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。【００８６】  チャネル推定部１０５は、上りリンクデータの復調のために、上りリンク復調用参照信号（ＤＲＳ：Ｄｅｍｏｄｕｌａｔｉｏｎ  Ｒｅｆｅｒｅｎｃｅ  Ｓｉｇｎａｌ）から上りリンクのチャネル状態を推定し、その推定結果をＤＦＴ−Ｓ−ＯＦＤＭ復調部１０６に出力する。また、上りリンクのスケジューリングを行なうために、上りリンク測定用参照信号（ＳＲＳ：Ｓｏｕｎｄｉｎｇ  Ｒｅｆｅｒｅｎｃｅ  Ｓｉｇｎａｌ）から上りリンクのチャネル状態を推定し、その推定結果をスケジューリング部１０４に出力する。尚、上りリンクの通信方式は、ＤＦＴ−Ｓ−ＯＦＤＭ等のようなシングルキャリア方式を想定しているが、ＯＦＤＭ方式のようなマルチキャリア方式を用いてもよい。【００８７】  ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等のＤＦＴ−Ｓ−ＯＦＤＭ信号処理を行なって、復調処理を施し、データ抽出部１０７に出力する。【００８８】  データ抽出部１０７は、ＤＦＴ−Ｓ−ＯＦＤＭ復調部１０６から入力されたデータに対して、正誤を確認するとともに、確認��果（肯定信号ＡＣＫ／否定信号ＮＡＣＫ）をスケジューリング部１０４に出力する。また、データ抽出部１０７は、ＤＦＴ−Ｓ−ＯＦＤＭ復調部１０６から入力されたデータからトランスポートチャネルと物理層の制御データとに分離して、スケジューリング部１０４に出力する。分離された制御データには、移動局装置２００から通知された上りリンクのフィードバック情報（下りリンクのチャネルフィードバックレポートＣＦＲ、下りリンクのデータに対するＡＣＫ／ＮＡＣＫフィードバック情報）などが含まれている。【００８９】  上位層１０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行なう。上位層１０８は、無線リソース制御部１０９（制御部とも言う）を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。【００９０】  ［移動局装置］
図６は、本発明の実施形態に係る移動局装置２００の概略構成を示すブロック図である。移動局装置２００は、データ制御部２０１と、ＤＦＴ−Ｓ−ＯＦＤＭ変調部２０２と、無線部２０３と、スケジューリング部２０４と、チャネル推定部２０５と、ＯＦＤＭ復調部２０６と、データ抽出部２０７と、上位層２０８と、を含んで構成されている。また、データ制御部２０１、ＤＦＴ−Ｓ−ＯＦＤＭ変調部２０２、無線部２０３、スケジューリング部２０４、上位層２０８、で送信部を構成し、無線部２０３、スケジューリング部２０４、チャネル推定部２０５、ＯＦＤＭ復調部２０６、データ抽出部２０７、上位層２０８、で受信部を構成している。【００９１】  データ制御部２０１、ＤＦＴ−Ｓ−ＯＦＤＭ変調部２０２および無線部２０３で上りリンクの物理層の処理を行なう。無線部２０３、チャネル推定部２０５、ＯＦＤＭ復調部２０６およびデータ抽出部２０７で下りリンクの物理層の処理を行なう。【００９２】  データ制御部２０１は、スケジューリング部２０４からトランスポートチャネルおよびスケジューリング情報を受信する。トランスポートチャネルと物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。【００９３】  ＤＦＴ−Ｓ−ＯＦＤＭ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどのＤＦＴ−Ｓ−ＯＦＤＭ信号処理を行ない、ＤＦＴ−Ｓ−ＯＦＤＭ信号を生成して、無線部２０３へ出力する。なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。【００９４】  無線部２０３は、ＤＦＴ−Ｓ−ＯＦＤＭ変調部２０２から入力された変調データを無線周波数にアップコンバートして無線信号を生成し、アンテナ（図示せず）を介して、基地局装置１００に送信する。また、無線部２０３は、基地局装置１００からの下りリンクのデータで変調された無線信号を、アンテナ（図示せず）を介して受信し、ベースバンド信号にダウンコンバートして、受信データを、チャネル推定部２０５およびＯＦＤＭ復調部２０６に出力する。【００９５】  スケジューリング部２０４は、媒体アクセス制御（ＭＡＣ：Ｍｅｄｉｕｍ  Ａｃｃｅｓｓ  Ｃｏｎｔｒｏｌ）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御やＨＡＲＱ再送制御を行なう。【００９６】  スケジューリン��部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理を行なう。なお、上りリンクのトランスポートフォーマットについては、基地局装置１００から通知された情報を利用する。これらスケジューリング情報は、データ制御部２０１へ出力される。【００９７】  また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポートＣＦＲ（チャネル状態情報）や、データ抽出部２０７から入力されたＣＲＣ確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。【００９８】  チャネル推定部２０５は、下りリンクデータの復調のために、下りリンク参照信号（ＲＳ）から下りリンクのチャネル状態を推定し、その推定結果をＯＦＤＭ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態フィードバック情報（チャネル品質情報など）に変換して、スケジューリング部２０４に出力する。【００９９】  ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。【０１００】  データ抽出部２０７は、ＯＦＤＭ復調部２０６から入力されたデータに対して、ＣＲＣを行ない、正誤を確認するとともに、確認結果（ＡＣＫ／ＮＡＣＫフィードバック情報）をスケジューリング部２０４に出力する。また、データ抽出部２０７は、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。【０１０１】  上位層２０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行なう。上位層２０８は��無線リソース制御部２０９（制御部とも言う）、ＭＢＭＳ制御部２１０を有している。無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。【０１０２】  （第１の実施形態）
続いて、基地局装置１００および移動局装置２００を用いた通信システムにおいて、本発明の第１の実施形態を説明する。本発明の第１の実施形態において、移動局装置は、基地局装置に上りリンクデータを送信するためのリソースの割り当てを要求するスケジューリング要求を、物理上りリンク共用チャネル（ＰＵＳＣＨ）を使用して送信することができる。基地局装置から上りリンクデータを含めずにチャネルフィードバックレポートを送信するように指示する上りリンク送信許可信号を受信した場合に、上りリンク送信許可信号で指定されたリソースでスケジューリング要求を送信することができる。【０１０３】  移動局装置は、基地局装置からの上りリンクデータを含めずにチャネルフィードバックレポートを送信するように指示する上りリンク送信許可信号によって指定されたリソースでスケジューリング要求とチャネルフィードバックレポートと同時に送信することができる。【０１０４】  スケジューリング要求は、移動局装置が上りリンクデータを送信するためのリソースの割り当てを要求する際に送信される情報（信号）である。一方、移動局装置が、上りリンクデータのバッファの状態をレポートする（バッファ・ステータス・レポート）ことによっても、基地局装置が、上りリンクデータを送信するためのリソースを割り当てることもできる。ただし、このバッファの状態のレポート（バッファ・ステータス・レポート）は、上りリンクデータ（ＵＬ−ＳＣＨ）に含めて送信される。【０１０５】  上記までで説明したように、移動局装置からフィードバックされるチャネルフィードバックレポートは、ＣＱＩ、ＰＭＩ、ＲＩなどで形成され、これらのチャネルフィードバックレポートのビット数（サイズ）やフォーマットは、状況に応じて基地局装置からのＲＲＣシグナリング（Ｒａｄｉｏ  Ｒｅｓｏｕｒｃｅ  Ｃｏｎｔｒｏｌ  Ｓｉｇｎａｌｉｎｇ）を使用して、移動局装置に対して設定される。移動局装置は、チャネルフィードバックレポートを、ＰＵＣＣＨを使用して周期的に送信することができる。また、ＰＵＳＣＨを使用して周期的、非周期的に送信することができる。ここで、移動局装置はＰＵＳＣＨを使用してチャネルフィードバックレポートのみを送信することができる。【０１０６】  チャネルフィードバックレポートのみの周期的な送信を要求（許可）する例として、移動局装置は、基地局装置からのＲＲＣシグナリング（無線資源制御信号）によって、チャネルフィードバックレポートを送信するためのＰＵＳＣＨのリソースが持続的（永続的）に割り当てられたときに、ＰＵＳＣＨを使用してチャネルフィードバックレポートのみを送信することができる。またチャネルフィードバックレポートのみの周期的な送信を要求（許可）する別の例として、移動局装置は、基地局装置からのＲＲＣシグナリングによって、チャネルフィードバックレポートを送信させる周期（若しくは、周期とオフセット）が設定され、周期的チャネルフィードバックレポートを要求する情報（周期的チャネルフィードバックレポートリクエスト）が含まれた上りリンク送信許可信号を受信することにより、ＰＵＳＣＨを使用してチャネルフィードバックレポートのみの周期的フィードバックを開始（活性化���することができる。【０１０７】  チャネルフィードバックレポートのみの周期的な送信を要求（許可）する別の例として、基地局装置によって設定された周期（サブフレーム）のタイミングでチャネルフィードバックレポートリクエストが含まれた上りリンク送信許可信号を受信することにより、ＰＵＳＣＨを使用してチャネルフィードバックレポートのみの周期的フィードバックを開始（活性化）してもよい。この場合、上りリンク送信許可信号に含まれるチャネルフィードバックレポートリクエストは、非周期的なチャネルフィードバックレポートを要求するためにも使用される。移動局装置は、基地局装置によって設定された周期（サブフレーム）のタイミングで、チャネルフィードバックレポートリクエストが、例えば“１”に設定された上りリンク送信許可が送信された場合、チャネルフィードバックレポートのみを送信することができる。【０１０８】  チャネルフィードバックレポートのみの非周期的または周期的な送信を要求（許可）する別の例として、移動局装置は、チャネルフィードバックレポートリクエストが“１”に設定され、さらにトランスポートフォーマットの一部が予約（例えば、５ビットのＭＣＳの値が１１１１１など。）されるなど、ある特定の情報列が上りリンク送信許可信号に含まれている場合に、ＰＵＳＣＨを使用してチャネルフィードバックレポートのみを送信することができる。基地局装置は、移動局装置によって算出される上りリンクデータに対するトランスポートブロックサイズが０になるように上りリンク送信許可信号に含まれる情報列を設定することによって、チャネルフィードバックレポートのみの送信を要求することができる。またチャネルフィードバックレポートのみの非周期的または周期的な送信を要求（許可）する別の例として、移動局装置は、チャネルフィードバックレポートのみの送信に対して定義された上りリンク送信許可信号（チャネルフィードバックレポートのみ送信許可信号）を受信することにより、ＰＵＳＣＨを使用してチャネルフィードバックレポートのみを送信することができる。【０１０９】  本実施形態において、上記のような方法（制御）によって、基地局装置から周期的または非周期的なチャネルフィードバックレポートのみの送信を要求（許可）する際に使用される上りリンク送信許可信号を、チャネルフィードバックレポート専用送信要求を含んだ上り送信許可信号と呼ぶ。また、基地局装置から周期的なチャネルフィードバックレポートのみの送信を要求（許可）する際に使用されるＲＲＣシグナリング（無線資源制御信号）を、チャネルフィードバックレポート専用送信要求を含んだＲＲＣシグナリングと呼ぶ。以下、本発明においては、基地局装置がチャネルフィードバックレポート専用送信要求を含んだ上り送信許可信号を送信することによって、移動局装置に対してチャネルフィードバックレポートのみの送信を要求（許可）する場合について記載するが、基地局装置がチャネルフィードバックレポート専用送信要求を含んだＲＲＣシグナリングを送信することによって、移動局装置に対してチャネルフィードバックレポートのみの送信を要求（許可）する場合にも、本発明は適用可能である。基地局装置からのチャネ���フィードバックレポート専用送信要求を含んだＲＲＣシグナリングを受信した移動局装置は、ＲＲＣシグナリングで割り当てられた物理上りリンク共用チャネル（ＰＵＳＣＨ）のリソースを使用して、スケジューリング要求とチャネルフィードバックレポートを同時に送信することができる。【０１１０】  以下、本発明において、通常の上りリンク送信許可信号とは、基地局装置が上りリンクデータ（ＵＬ−ＳＣＨ）の送信を要求（許可）していることを示しており、チャネルフィードバックレポート専用送信要求を含んだ上り送信許可信号とは、上記に示した例のような方法（制御）によって、基地局装置が、上り送信許可信号で割り当てたＰＵＳＣＨのリソースを使用して、チャネルフィードバックレポートのみの送信を要求（許可）していることを示している。チャネルフィードバックレポート要求を含んだ上り送信許可信号とは、基地局装置が、上り送信許可信号で割り当てたＰＵＳＣＨのリソースを使用して、上りリンクデータ（ＵＬ−ＳＣＨ）と共にチャネルフィードバックレポートの送信を要求（許可）していることを示している。【０１１１】  図７Ａおよび図７Ｂは、本発明の第１の実施形態に係る基地局装置から移動局装置に送信される上り送信許可信号、移動局装置から基地局装置に送信されるスケジューリング要求（斜線で示される）、ＰＵＣＣＨを使用して周期的に送信するように設定されたチャネルフィードバックレポート（粗い点模様で示される）、ＰＵＳＣＨを使用して周期的に送信するように設定されたチャネルフィードバックレポート（細かな点模様で示される）、ＰＵＳＣＨを使用して非周期的に送信するように設定されたチャネルフィードバック（濃い細かな点模様で示される）、上りリンクデータ（白抜き模様で示される）、それらの情報がＰＵＣＣＨ、および、ＰＵＳＣＨを使用して送信される送信形態が、それぞれ概念的に描かれている。【０１１２】  基地局装置からの上り送信許可信号のうち、白抜きで示されているのは通常の上り送信許可信号を、黒塗りで示されているのはチャネルフィードバックレポート専用送信要求を含んだ上り送信許可信号を、太い横線模様で示されているのは、チャネルフィードバックレポート要求を含んだ上り送信許可信号を示している。また、移動局装置が基地局装置からのデータを受信するサブフレームを下りサブフレーム（Ｄ−ｓｕｂｆｒａｍｅ）、移動局装置が基地局装置へデータを送信するサブフレームを上りリンクサブフレーム（Ｕ−ｓｕｂｆｒａｍｅ）と呼び、図７Ａでは、説明が分かり易いように、Ｄ−ｓｕｂｆｒａｍｅ＃ｎで送信されるＵ−ｓｕｂｆｒａｍｅ＃ｎ＋４への上り送信許可情報をＵ−ｓｕｂｆｒａｍｅ＃ｎ＋４のサブフレームに配置するように示している。【０１１３】  図７Ｂには、説明が分かり易いように、移動局装置の各上りリンクサブフレームにおける処理フローが描かれており、図７Ａと図７Ｂは、上りリンクサブフレーム（縦軸）方向に対応している。【０１１４】  次に、図７Ａおよび図７Ｂの各サブフレームにおける動作について説明する。上りリンクサブフレーム＃１以前に、基地局装置は、移動局装置が上りリンクデータを送信するためのリソースの割り当てを要求するスケジューリング要求のためのリソース設定、移動局装置がＰＵＣＣＨを使用してチャネルフィードバックレポートを周期的に送信するためのパラメータ設定、ＰＵＳＣＨを使用してチャネルフィードバックレポートを周期的に送信するためのパラメータ設定、ＰＵＳＣＨを使用してチャネルフィードバックレポートを非周期的に送信するためのパラメータ設定を移動局装置に対して行なう。【０１１５】  ここで、移動局装置がスケジューリング要求を送信するためのリソース設定は周期的に設定されても良い。本実施例においては、説明を分かり易くするために、スケジューリング要求を送信するためのリソース設定を周期的に設定していないが、基地局装置は、移動局装置がスケジューリング要求を送信するためのリソース設定を周期的に設定することができる。また、ＰＵＣＣＨを使用してチャネルフィードバックレポートを周期的に送信するためのパラメータ設定とは、例えば、周期（送信間隔）やオフセット、チャネルフィードバックレポートを、ＰＵＣＣＨを使用して周期的に送信する際に用いるフォーマットのことである。【０１１６】  さらに、ＰＵＳＣＨを使用してチャネルフィードバックレポートを周期的に送信するためのパラメータ設定とは、例えば、周期（送信間隔）やオフセット、チャネルフィードバックレポートを、ＰＵＳＣＨを使用して周期的に送信する際に用いるフォーマットのことであり、ＰＵＳＣＨを使用してチャネルフィードバックレポートを非周期的に送信するためのパラメータ設定とは、例えば、チャネルフィードバックレポートを非周期的に送信する際に用いるフォーマットのことである。【０１１７】  以下、移動局装置が、ＰＵＣＣＨを使用してチャネルフィードバックレポートを周期的に送信する際に用いるフォーマットをＰＵＣＣＨベースフォーマットとも呼ぶ。また、移動局装置が、ＰＵＳＣＨを使用してチャネルフィードバックレポートを周期的に送信する際に用いるフォーマットを周期的ＰＵＳＣＨベースフォーマットとも呼ぶ。チャネルフィードバックレポートを非周期的に送信するためのパラメータ設定とは、例えば、チャネルフィードバックレポートを非周期的に送信する際に用いるフォーマットのことである。以下、移動局装置が、ＰＵＳＣＨを使用してチャネルフィードバックレポートを非周期的に送信する際に用いるフォーマットを非周期的ＰＵＳＣＨベースフォーマットとも呼ぶ。【０１１８】  さらに、チャネルフィードバックレポートを送信する際に用いるフォーマットとは、例えば、広帯域の物理リソースブロックから得られたチャネルフィードバックレポートを送信するフォーマット（広帯域レポート）や、移動局装置が選択した物理リソースブロックから得られたチャネルフィードバックレポートを送信するフォーマット（移動局装置選択サブバンドレポート）、基地局装置が設定した物理リソースブロックから得られたチャネルフィードバックレポートを移動局装置が送信するフォーマット（基地局装置選択サブバンド（高レイヤ設定）レポート）などを示している。【０１１９】  また、基地局装置は、移動局装置に対してＰＵＣＣＨを使用して周期的にチャネルフィードバックレポートを送信させる、ＰＵＳＣＨを使用して周期的にチャネルフィードバックレ��ートを送信させる、ＰＵＣＣＨとＰＵＳＣＨの両方を同時に使用して周期的にチャネルフィードバックレポートを送信させることができる。図７Ａおよび図７Ｂは、基地局装置が、ＰＵＣＣＨとＰＵＳＣＨの両方を使用して周期的にチャネルフィードバックレポートを送信させていることを示しているが、これら３つの場合において本発明の実施形態は適用可能である。また基地局装置は、連続した複数の上りリンクＰＵＣＣＨサブフレームを使用して、チャネルフィードバックレポート（例えば、移動局装置選択フォーマットによるチャネルフィードバックレポート）を送信させることもできる。【０１２０】  上りリンクサブフレーム＃２は、基地局装置からＰＵＣＣＨを使用して周期的にチャネルフィードバックレポートを送信するように設定されたサブフレームである。移動局装置は、基地局装置によって設定されたＰＵＣＣＨベースフォーマットを用いてチャネルフィードバックレポートを送信する。【０１２１】  上りリンクサブフレーム＃３は、基地局装置からＰＵＣＣＨを使用してスケジューリング要求を送信するように設定されたサブフレームかつ、周期的または非周期的なＰＵＳＣＨのチャネルフィードバックレポートが要求されていないサブフレームかつ、通常の上りリンクデータ（ＵＬ−ＳＣＨ）を要求する上りリンク送信許可信号が送信されていないサブフレームを示している。移動局装置は、上りリンクデータを送信するためのリソースの割り当てを要求する（ＵＬ−ＳＣＨでの送信を要求する）スケジューリング要求を、ＰＵＣＣＨを使用して送信する。【０１２２】  上りリンクサブフレーム＃４は、基地局装置からＰＵＳＣＨを使用して周期的にチャネルフィードバックレポートを送信するように設定されたサブフレームである。移動局装置は、基地局装置によって設定された周期的ＰＵＳＣＨベースフォーマットを用いてチャネルフィードバックレポートを送信する。【０１２３】  ここで、ＰＵＣＣＨを使用してスケジューリング要求を送信するように設定されたサブフレームかどうかに関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して上りリンクデータ（ＵＬ−ＳＣＨ）を含まずに周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して周期的にチャネルフィードバックレポートを送信するように設定されたサブフレームでは、チャネルフィードバックレポートのみを送信するようにしても良い。【０１２４】  上りリンクサブフレーム＃５は、基地局装置がＰＵＣＣＨを使用して周期的にチャネルフィードバックレポートを送信するように設定したサブフレームに、さらに、通常の上りリンクデータ（ＵＬ−ＳＣ���）を要求する上りリンク送信許可信号を送信したサブフレームを示している。基地局装置から上りリンク送信許可信号を受信した移動局装置は、上りリンクデータとチャネルフィードバックレポートを、ＰＵＳＣＨを使用して同時に送信する。この際、上りリンクデータと同時に送信されるチャネルフィードバックレポートは、基地局装置によって設定されたＰＵＣＣＨベースフォーマットを用いて送信される。この際、スケジューリング要求はＰＵＳＣＨで送信されない。【０１２５】  上りリンクサブフレーム＃７は、基地局装置からＰＵＣＣＨを使用してスケジューリング要求を送信するように設定されたサブフレームに、さらに、チャネルフィードバックレポート専用送信要求を含んだ上り送信許可信号が送信されたサブフレームを示している。基地局装置からチャネルフィードバックレポートのみの送信を要求するチャネルフィードバックレポート専用送信要求を含んだ上り送信許可信号を受信した移動局装置は、チャネルフィードバックレポートとスケジューリング要求を、ＰＵＳＣＨを使用して同時に送信することができる。この際、スケジューリング要求と同時に送信されるチャネルフィードバックレポートは、基地局装置によって設定された非周期的ＰＵＳＣＨベースフォーマットを用いて送信される。【０１２６】  上りリンクサブフレーム＃８は、上りリンクサブフレーム＃２と同様に、基地局装置からＰＵＣＣＨを使用して周期的にチャネルフィードバックレポートを送信するように設定されたサブフレームである。移動局装置は、基地局装置によって設定されたＰＵＣＣＨベースフォーマットを用いてチャネルフィードバックレポートを送信する。【０１２７】  上りリンクサブフレーム＃１０は、基地局装置からＰＵＳＣＨを使用して周期的にチャネルフィードバックレポートを送信するように設定されたサブフレームかつ、移動局装置がＰＵＣＣＨを使用してスケジューリング要求を送信するように設定されたサブフレームを示している。この上りリンクサブフレーム＃１０において、移動局装置は、チャネルフィードバックレポートとスケジューリング要求を、ＰＵＳＣＨを使用して同時に送信することができる。この際、スケジューリング要求と同時に送信されるチャネルフィードバックレポートは、基地局装置によって設定された周期的ＰＵＳＣＨベースフォーマットを用いて送信される。【０１２８】  ここで、ＰＵＣＣＨを使用してスケジューリング要求を送信するように設定されたサブフレームかどうかに関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して��りリンクデータ（ＵＬ−ＳＣＨ）を含まずに周期的にチャネルフィードバックレポートを送信するように設定されたサブフレームでは、チャネルフィードバックレポートのみを送信するようにしても良い。【０１２９】  上りリンクサブフレーム＃１１は、基地局装置がＰＵＣＣＨを使用して周期的にチャネルフィードバックレポートを送信するように設定したサブフレームかつ、移動局装置がＰＵＣＣＨを使用してスケジューリング要求を送信するように設定されたサブフレームで、さらに、基地局装置が、チャネルフィードバックレポート専用送信要求を含んだ上り送信許可信号を送信したサブフレームを示している。基地局装置からチャネルフィードバックレポート専用送信要求を含んだ上り送信許可信号を受信した移動局装置は、チャネルフィードバックレポートとスケジューリング要求を、ＰＵＳＣＨを使用して同時に送信することができる。【０１３０】  この際、スケジューリング要求と同時に送信されるチャネルフィードバックレポートは、基地局装置によって設定された非周期的ＰＵＳＣＨベースフォーマットを用いて送信される。すなわち、基地局装置によってＰＵＣＣＨベースフォーマットでチャネルフィードバックレポートを送信するように設定された移動局装置が、チャネルフィードバックレポート専用送信要求を含んだ上り送信許可信号を受信した場合、非周期ＰＵＳＣＨベースフォーマットのチャネルフィードバックレポートとスケジューリング要求を同時に送信することになる（チャネルフィードバックレポートを送信する際に用いるＰＵＣＣＨベースフォーマットを非周期ＰＵＳＣＨベースフォーマットで上書きする）。【０１３１】  上りリンクサブフレーム＃１４は、基地局装置からＰＵＣＣＨを使用して周期的にチャネルフィードバックレポートを送信するように設定したサブフレームかつ、ＰＵＣＣＨを使用してスケジューリング要求を送信するように設定されたサブフレームを示している。さらに、このサブフレームでは、周期的または非周期的なＰＵＳＣＨのチャネルフィードバックレポートが要求されていないかつ、通常の上りリンクデータ（ＵＬ−ＳＣＨ）を要求する上りリンク送信許可信号が送信されていない。上りリンクサブフレーム＃１４において、移動局装置は、上りリンクのリソースが足りていないことを示すためにスケジューリング要求を送る際には、チャネルフィードバックレポートは送信せずに（ドロップして）スケジューリング要求を基地局装置に送信する。移動局装置は、上りリンクのリソースが足りている際には、この上りリンクサブフレーム＃１４において、スケジューリング要求は送信せずに（ドロップして）、チャネルフィードバックレポートを基地局装置に送信する。【０１３２】  上りリンクサブフレーム＃１６は、上りリンクサブフレーム＃４と同様に、基地局装置からＰＵＳＣＨを使用して周期的にチャネルフィードバックレポートを送信するように設定されたサブフレームである。移動局装置は、基地局装置によって設定された周期的ＰＵＳＣＨベースフォーマットを用いてチャネルフィードバックレポートを送信する。【０１３３】  ここで、ＰＵＣＣＨを使用してスケジューリング要求を送信するように設定されたサブフレームかどう���に関わらず（スケジューリング要求の周期にかかわらず）、ＰＵＳＣＨを使用して、上りリンクデータ（ＵＬ−ＳＣＨ）を含まずに、周期的にチャネルフィードバックレポートを送信するように設定されたサブフレームで、必ずスケジューリング要求をチャネルフィードバックレポートと共に送信するようにしても良い。また、スケジューリング要求を送信するように設定されたサブフレームかつ、ＰＵＳＣＨを使用して周期的にチャネルフィードバックレポートを送信するように設定されたサブフレームでのみスケジューリング要求をチャネルフィードバックレポートと共に送信し、スケジューリング要求を送信するように設定されていないサブフレームかつ、ＰＵＳＣＨを使用して上りリンクデータ（ＵＬ−ＳＣＨ）を含まずに周期的にチャネルフィードバックレポートを送信するように設定されたサブフレームでは、チャネルフィードバックレポートのみを送信するようにしても良い。【０１３４】  上りリンクサブフレーム＃１７は、基地局装置から非周期的なチャネルフィードバックレポート要求を含んだ上り送信許可信号が送信されたサブフレームで、さらに、移動局装置がＰＵＣＣＨを使用してスケジューリング要求を送信するように設定されたサブフレームを示している。基地局装置から上りリンクデータ（ＵＬ−ＳＣＨ）と共にチャネルフィードバックレポートの送信を要求するチャネルフィードバックレポート要求を含んだ上り送信許可信号を受信した移動局装置は、チャネルフィードバックレポートと上りリンクデータ（ＵＬ−ＳＣＨ）を、ＰＵＳＣＨを使用して同時に送信することができる。この際、スケジューリング要求は送信されない。【０１３５】  上りリンクサブフレーム＃１８は、基地局装置から通常の上りリンクデータ（ＵＬ−ＳＣＨ）を要求する上り送信許可信号が送信されたサブフレームで、さらに、移動局装置がＰＵＣＣＨを使用してスケジューリング要求を送信するように設定されたサブフレームを示している。基地局装置から上りリンクデータ（ＵＬ−ＳＣＨ）を含んだ上り送信許可信号を受信した移動局装置は、上りリンクデータ（ＵＬ−ＳＣＨ）を、ＰＵＳＣＨを使用して送信することができる。この際、スケジューリング要求は送信されない。【０１３６】  次に、図７Ｂに示す、移動局装置の処理手順について、上記までの基地局装置、移動局装置の説明と合わせて説明する。【０１３７】  上りリンクサブフレーム＃１以前で、基地局装置から上りリンクデータを送信するためのリソースの割り当てを要求するスケジューリング要求のためのリソース設定、ＰＵＣＣＨでチャネルフィードバックレポートを周期的に送信する際に使用するパラメータ設定、ＰＵＳＣＨでチャネルフィードバックレポートを周期的に送信する際に使用するパラメータ設定、ＰＵＳＣＨでチャネルフィードバックレポートを非周期的に送信する際に使用するパラメータの設定等の設定が行なわれた移動局装置は、その後の上りリンクサブフレームで、基地局装置からの設定に従ってチャネルフィードバックレポートを送信する。【０１３８】  基地局装置によって、上りリンクサブフレーム＃２でＰＵＣＣＨを使用して周期的にチャネルフィードバックレポートを送信するように設定された移動局装置は、基地局装置からの設定通り、チャネルフィードバックレポートを、ＰＵＣＣＨを使用して周期的に送信する。上りリンクサブフレーム＃２において、チャネルフィードバックレポートを送信するために用いられるフォーマットは、基地局装置によって設定されたＰＵＣＣＨベースフォーマットである。【０１３９】  基地局装置からＰＵＣＣＨを使用してスケジューリング要求を送信するように設定され、かつ、周期的または非周期的ＰＵＳＣＨのチャネルフィードバックレポートが要求されていない、かつ、上りリンク送信許可信号が送信されていない上りリンクサブフレーム＃３で、移動局装置は上りリンクデータを送信するためのリソースの割り当てを要求する（ＵＬ−ＳＣＨでの送信を要求する）スケジューリング要求を、ＰＵＣＣＨを使用して送信する。【０１４０】  基地局装置によって、上りリンクサブフレーム＃４でＰＵＳＣＨを使用して周期的にチャネルフィードバックレポートを送信するように設定された移動局装置は、基地局装置からの設定通り、チャネルフィードバックレポートを、ＰＵＳＣＨを使用して周期的に送信する。上りリンクサブフレーム＃４において、チャネルフィードバックレポートを送信するために用いられるフォーマットは、基地局装置によって設定された周期的ＰＵＳＣＨベースフォーマットである。【０１４１】  基地局装置によって、ＰＵＣＣＨを使用して周期的にチャネルフィードバックレポートを送信するように設定された上りリンクサブフレーム＃５で、さらに、通常の上りリンクデータ（ＵＬ−ＳＣＨ）を要求する上りリンク許可信号を受信した移動局装置は、チャネルフィードバックレポートと上りリンクデータを、ＰＵＳＣＨを使用して同時に送信する。上りリンクサブフレーム＃５において、チャネルフィードバックレポートを送信するために用いられるフォーマットは、基地局装置によって設定されたＰＵＣＣＨベースフォーマットである。この際、スケジューリング要求はＰＵＳＣＨで送信しない。【０１４２】  基地局装置によって、ＰＵＣＣＨを使用してスケジューリング要求を送信するように設定された上りリンクサブフレーム＃７において、さらに、チャネルフィードバックレポート専用送信要求を含んだ上り送信許可信号を受信した移動局装置は、チャネルフィードバックレポートとスケジューリング要求を、ＰＵＳＣＨを使用して同時に送信することができる。上りリンクサブフレーム＃７において、スケジューリング要求と同時に送信されるチャネルフィードバックレポートを送信するために用いられるフォーマットは、基地局装置によって設定された非周期的ＰＵＳＣＨベースフォーマットである。【０１４３】  移動局装置は、基地局装置によってチャネルフィードバックレポートのみの送信が要求（許可）された場合には、チャネルフィードバックレポートとともにスケジューリング要求を送信することができる。チャネルフィードバックレポートとスケジューリング要求は、基地局装置からのチャネルフィードバックレポート専用送信要求を含んだ上り送信許可信号によって割り当てられたＰＵＳＣＨのリソースを使用して送信される。【０１４４】  上りリンクサブフレーム＃２と同様に、基地局装置によって、上りリンクサブフレーム＃８でＰＵＣＣＨを使用して周期的にチャネルフィードバックレポートを送信するように設定された移動局装置は、基地局装置からの設定通り、チャネルフィードバックレポートを、ＰＵＣＣＨを使用して周期的に送信する。上りリンクサブフレーム＃８において、チャネルフィードバックレポートを送信するために用いられるフォーマットは、基地局装置によって設定されたＰＵＣＣＨベースフォーマットである。【０１４５】  基地局装置によって、ＰＵＳＣＨを使用して周期的にチャネルフィードバックレポートを送信するように設定され、かつ、移動局装置がＰＵＣＣＨを使用してスケジューリング要求を送信するように設定された上りリンクサブフレーム＃１０で、移動局装置は、チャネルフィードバックレポートとスケジューリング要求を、ＰＵＳＣＨを使用して同時に送信することができる。上りリンクサブフレーム＃１０において、スケジューリング要求と同時に送信されるチャネルフィードバックレポートを送信するために用いられるフォーマットは、基地局装置によって設定された周期的ＰＵＳＣＨベースフォーマットである。【０１４６】  移動局装置は、ＰＵＳＣＨを使用して周期的にチャネルフィードバックレポートを送信するように設定されたサブフレームで、チャネルフィードバックレポートとスケジューリング要求を同時に送信することができる。チャネルフィードバックレポートとスケジューリング要求は、周期的なチャネルフィードバックレポートを送信するために、基地局装置によって割り当てられたＰＵＳＣＨのリソースを使用して送信される。基地局装置において、周期的なチャネルフィードバックレポートを送信するためのＰＵＳＣＨのリソースは、ＲＲＣシグナリングや上り送信許可信号（チャネルフィードバックレポートを含む上り送信許可信号を含む）によって割り当てられる。【０１４７】  基地局装置によって、ＰＵＣＣＨを使用して周期的にチャネルフィードバックレポートを送信するように設定され、かつ、移動局装置がＰＵＣＣＨを使用してスケジューリング要求を送信するように設定された上りサブフレーム＃１１で、さらに、チャネルフィードバックレポート専用送信要求を含んだ上り送信許可信号を受信した移動局装置は、チャネルフィードバックレポートとスケジューリング要求を、ＰＵＳＣＨを使用して同時に送信することができる。上りリンクサブフレーム＃１１において、スケジューリング要求と同時に送信されるチャネルフィードバックレポートを送信するために用いられるフォーマットは、基地局装置によって設定された非周期的ＰＵＳＣＨベースフォーマットである。【０１４８】  すなわち、基地局装置によってＰＵＣＣＨベースフォーマットを用いてチャネルフィードバックレポートを周期的に送信するように設定された移動局装置は、チャネルフィードバックレポート専用送信要求を含んだ上り送信許可信号を受信した場合、非周期ＰＵＳＣＨベースフォーマットのチャネルフィードバックレポートとスケジューリング要求を同時に送信することができる（チャネルフィードバックレポートを送信する際に用いるＰＵＣＣＨベースフォーマットを非周期ＰＵＳＣＨベースフォーマットで上書きすることができる）。チャネルフィードバ���クレポートとスケジューリング要求は、基地局装置からのチャネルフィードバックレポート専用送信要求を含んだ上り送信許可信号によって割り当てられたＰＵＳＣＨのリソースを使用して送信される。【０１４９】  基地局装置によって、ＰＵＣＣＨを使用して周期的にチャネルフィードバックレポートを送信するように設定され、かつ、ＰＵＣＣＨを使用してスケジューリング要求を送信するように設定されたた上りリンクサブフレーム＃１４で、移動局装置は、上りリンクのリソースが足りていないことを示すためにスケジューリング要求を送る際には、チャネルフィードバックレポートは送信せずに（ドロップして）スケジューリング要求を基地局装置に送信する。移動局装置の上りリンクのリソースが足りている際には、スケジューリング要求は送信せずに（ドロップして）、チャネルフィードバックレポートを基地局装置に送信する。【０１５０】  上りリンクサブフレーム＃４と同様に、基地局装置によって、上りリンクサブフレーム＃１６でＰＵＳＣＨを使用して周期的にチャネルフィードバックレポートを送信するように設定された移動局装置は、基地局装置からの設定通り、チャネルフィードバックレポートを、ＰＵＳＣＨを使用して周期的に送信する。上りリンクサブフレーム＃１６において、チャネルフィードバックレポートを送信するために用いられるフォーマットは、基地局装置によって設定された周期的ＰＵＳＣＨベースフォーマットである。【０１５１】  基地局装置によって、移動局装置がＰＵＣＣＨを使用してスケジューリング要求を送信するように設定された上りリンクサブフレーム＃１７で、さらに、非周期的チャネルフィードバックレポート要求を含んだ上り送信許可信号を受信した移動局装置は、チャネルフィードバックレポートと上りリンクデータ（ＵＬ−ＳＣＨ）を、ＰＵＳＣＨを使用して同時に送信する。この際、スケジューリング要求は送信しない。【０１５２】  基地局装置によって、移動局装置がＰＵＣＣＨを使用してスケジューリング要求を送信するように設定された上りリンクサブフレーム＃１８で、さらに、通常の上りリンクデータ（ＵＬ−ＳＣＨ）を要求する上り送信許可信号を受信した移動局装置は、上りリンクデータ（ＵＬ−ＳＣＨ）を、ＰＵＳＣＨを使用して送信する。この際、スケジューリング要求は送信されない。【０１５３】  図８は、移動局装置がＰＵＳＣＨを使用してチャネルフィードバックレポートとスケジューリング要求を同時に送信する際の多重化の例について記載している図である。スケジューリング要求は、ＰＵＣＣＨでは送信／非送信制御（ＯＮ／ＯＦＦキーング）で送信されるが、ＰＵＳＣＨでは“１：スケジューリング要求”、“０：スケジューリング要求なし”のようにビット制御で送信することができる。【０１５４】  移動局装置は、チャネルフィードバックレポートとスケジューリング要求を多重化する際に、スケジューリング要求を、時間軸方向に対して上りリンク参照信号と隣接する位置に配置して、チャネルフィードバックレポートと多重化する。図８では、チャネルフィードバックレポート、スケジューリング要求以外に、下りリンクデータに対するＡＣＫ／ＮＡＣＫとＲＳも記載されている。まず、移動局装置���、チャネルフィードバックレポートを時間軸方向に配置し、時間軸方向の全ての領域に配置された後（ＲＳを除く１２個の領域にチャネルフィードバックレポートが配置された後）に、周波数軸の方向に配置する（タイム・ファースト・マッピング）。ここで、チャネルフィードバックレポートが配置される領域数は、チャネルフィードバックレポートのＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫが、図８に示すようにＲＳに隣接して配置される。この際、ＡＣＫ／ＮＡＣＫは、チャネルフィードバックレポートを上書きして配置される（ＡＣＫ／ＮＡＣＫは、チャネルフィードバックレポートをパンクチャして配置される、と呼ぶ）。図８では、例としてＡＣＫ／ＮＡＣＫが、配置可能な最大の領域（ＲＳに隣接する４つの領域、時間軸方向にある１４個の領域のうち、時間軸の小さい方から３番目、５番目、１０番目、１２番目の４つの領域）に配置されていることを示しているが、ＡＣＫ／ＮＡＣＫは配置可能な最大数以下の領域に配置することができる。【０１５５】  スケジューリング要求は、図８に示すように、ＡＣＫ／ＮＡＣＫと同様にＲＳに隣接して配置される。この際、スケジューリング要求は、チャネルフィードバックレポートを上書きして配置される（スケジューリング要求は、チャネルフィードバックレポートをパンクチャして配置される、と呼ぶ）。また、図８に示すように、スケジューリング要求はＲＳに隣接して配置されるとともに、ＡＣＫ／ＮＡＣＫ信号に隣接して配置されている。図８では、ＡＣＫ／ＮＡＣＫの上部（周波数の低い側）にスケジューリング要求が配置されているが、スケジューリング要求とＡＣＫ／ＮＡＣＫの位置は逆に配置されてもよい。すなわち、スケジューリング要求が下部（周波数の高い側）に配置され、スケジューリング要求に隣接してＡＣＫ／ＮＡＣＫが配置されてもよい。スケジューリング要求をＡＣＫ／ＮＡＣＫと同じようにＲＳに隣接して配置することにより、基地局装置におけるチャネル推定誤りによるスケジューリング要求の復号化精度の劣化を軽減することができ、チャネル変動に対してＡＣＫ／ＮＡＣＫと同等の耐性を持つことができる。また、スケジューリング要求をＡＣＫ／ＮＡＣＫに隣接して配置することにより、それぞれの情報を復号化する際の処理を軽減することができる。【０１５６】  同様に、図９は、移動局装置がＰＵＳＣＨを使用してチャネルフィードバックレポートとスケジューリング要求を同時に送信する際の多重化の例について記載している図である。移動局装置は、チャネルフィードバックレポートとスケジューリング要求を多重化する際に、スケジューリング要求を、時間軸方向に対してＡＣＫ／ＮＡＣＫと隣接する位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。ここで、チャネルフィードバックレポートが配置される領域数は、チャネルフィードバックレポートのＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫがＲＳに隣接して配置され（図８と同様に、ＡＣＫ／ＮＡＣＫは配置可能な最大の領域（４つの領域）まで配置されているが、配置可能な最大数以下の領域に配置することができる）、スケジューリング要求は、図９に示すように、ＡＣＫ／ＮＡＣＫに隣接して配置される。【０１５７】  この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。スケジューリング要求をこのように配置にすることにより、基地局装置において、それぞれの情報を復号化する際の処理を軽減することができ、また、スケジューリング要求が同じ時間軸上に配置されているチャネルフィードバックレポートよりもＲＳの近くに配置されていることから、基地局装置におけるチャネル推定誤りによるスケジューリング要求の復号化精度の劣化を、同じ時間軸上に配置されているチャネルフィードバックレポートに対する劣化よりも軽減することができる。【０１５８】  同様に、図１０は、移動局装置がＰＵＳＣＨを使用してチャネルフィードバックレポートとスケジューリング要求を同時に送信する際の多重化の例について記載している図である。移動局装置は、チャネルフィードバックレポートとスケジューリング要求を多重化する際に、スケジューリング要求を、時間軸方向に対してＲＩ（Ｒａｎｋ  Ｉｎｄｉｃａｔｏｒ）と隣接する位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートのうちのＣＱＩとＰＭＩを、時間軸方向に配置し、時間軸方向の全ての領域に配置された後に、周波数軸の方向に配置する（タイム・ファースト・マッピング）。ここで、ＣＱＩとＰＭＩが配置される領域数は、施されるＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（ＣＱＩとＰＭＩの変調方式、および／または、符号化方式はデフォルト値で固定されていてもよい）。ＣＱＩとＰＭＩが全ての領域に配置された後に、ＡＣＫ／ＮＡＣＫがＲＳに隣接して配置され（図８と同様に、ＡＣＫ／ＮＡＣＫは配置可能な最大の領域（４つの領域）まで配置されているが、配置可能な最大数以下の領域に配置することができる）、さらに、チャネルフィードバックレポートとして送信されるＲＩがＡＣＫ／ＮＡＣＫに隣接して配置される。ＲＩが配置される領域数も、施されるＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（ＲＩの変調方式、および／または、符号化方式はデフォルト値で固定されていてもよい）。【０１５９】  チャネルフィードバックとして送信されるＣＱＩとＰＭＩは、ＲＩに対応してその送信方法（ビット数（サイズ）や送信フォーマット）が変更される。そのために、ＲＩの送信には信頼性が求められる。ＲＩは、その信頼性を高めるため（基地局装置におけるチャネル推定誤りによる復号化精度の劣化などを防ぐため）に、ＡＣＫ／ＮＡＣＫに隣接して配置される。スケジューリング要求は、図１０に示すように、ＲＩに隣接して配置される。この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。スケジューリング要求をこのように配置にすることにより、基地局装置において、それぞれの情報を復号化する際の処理を軽減することができ、また、スケジューリング要求が同じ時間軸上に配置されているＣＱＩ、ＰＭＩよりもＲＳの近くに配置されていることから、基地局装置におけるチャネル推定誤りによるスケジューリング要求の復号化精度の劣化を、同じ時間軸上に配置されているＣＱＩ、ＰＭＩに対する劣化よりも軽減することができる。【０１６０】  同様に、図１１は、移動局装置がＰＵＳＣＨを使用してチャネルフィードバックレポートとスケジューリング要求を同時に送信する際の多重化の別の例について記載している図である。移動局装置は、チャネルフィードバックレポートとスケジューリング要求を多重化する際に、スケジューリング要求を、時間軸方向に対して上りリンク参照信号と隣接する位置であって、かつ、上りリンク参照信号に隣接するＡＣＫ／ＮＡＣＫと周波数軸方向に対して反対側の位置に配置して、チャネルフィードバックレポートと多重化する。図８と同様に、チャネルフィードバックレポート、スケジューリング要求以外に、下りリンクデータに対するＡＣＫ／ＮＡＣＫとＲＳが記載されている。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。ここで、チャネルフィードバックレポートが配置される領域数は、チャネルフィードバックレポートのＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（チャネルフィードバックレポートの変調方式、および／または、符号化方式はデフォルト値で固定されていてもよい）。チャネルフィードバックレポートが全ての領域に配置された後に、ＡＣＫ／ＮＡＣＫがＲＳに隣接して配置され（図８と同様に、ＡＣＫ／ＮＡＣＫは配置可能な最大の領域（４つの領域）ま��配置されているが、配置可能な最大数以下の領域に配置することができる）、スケジューリング要求は、図１１に示すように、ＡＣＫ／ＮＡＣＫとは周波数軸方向で反対側（逆サイド）に配置される。【０１６１】  この際、ＡＣＫ／ＮＡＣＫとスケジューリング要求は、チャネルフィードバックレポートを上書きして配置される（ＡＣＫ／ＮＡＣＫとスケジューリング要求は、チャネルフィードバックレポートをパンクチャして配置される、と呼ぶ）。ここで図１１では、スケジューリング要求が周波数軸の低い領域に、ＡＣＫ／ＮＡＣＫが周波数軸の高い領域に配置されているが、スケジューリング要求とＡＣＫ／ＮＡＣＫは逆に配置されてもよい。すなわち、周波数軸の高い領域にＲＳに隣接してスケジューリング要求が配置され、反対側（逆サイド）の周波数の低い領域にＲＳに隣接してＡＣＫ／ＮＡＣＫを配置することができる。スケジューリング要求を図１１に示すように配置することで、基地局装置はＡＣＫ／ＮＡＣＫが配置される領域（領域の数）を気にすることなく、スケジューリング要求を復号化することができる。【０１６２】  ここで、移動局装置はＰＵＳＣＨを使用してチャネルフィードバックレポートとスケジューリング要求を同時に送信する際の多重化において、チャネルフィードバックレポートを上書きしないで（チャネルフィードバックレポートをパンクチャしないで）とスケジューリング要求を配置してもよい。図１２〜図１５は、チャネルフィードバックレポートを上書きしないで、チャネルフィードバックレポートとスケジューリング要求を多重化する例について記載している。図１４は、ＣＱＩとＰＭＩを上書きしないで、チャネルフィードバックレポートとスケジューリング要求を多重化する例について記載している。図１２〜図１５には、チャネルフィードバックレポート、スケジューリング要求以外に、ＡＣＫ／ＮＡＣＫとＲＳが記載されている。図１２は図８に、図１３は図９に、図１４は図１０に、図１５は図１１に対応している。【０１６３】  図１２について説明する。図１２は図８の多重方法に対応している。図８で説明したように、まず、移動局装置はチャネルフィードバックレポートを、時間軸方向に配置し、時間軸方向の全ての領域に配置された後に、周波数軸の方向に配置する（タイム・ファースト・マッピング）。この際に、移動局装置は予めＡＣＫ／ＮＡＣＫとスケジューリング要求が配置される領域を確保（リザーブ）して、チャネルフィードバックレポートを配置することができる。ここで、確保（リザーブ）された領域に、通常はＮＡＣＫを示す情報を含め、ＡＣＫを送信する場合にのみＡＣＫを配置するように構成しても良い。【０１６４】  図１２は、移動局装置がＡＣＫ／ＮＡＣＫとスケジューリング要求が配置される領域（白抜きで示される）を確保（リザーブ）して、チャネル状態を配置していることを示している。ＡＣＫ／ＮＡＣＫとスケジューリング要求が配置される領域は予め仕様等で定義される。図１２で示すように、移動局装置はＡＣＫ／ＮＡＣＫが配置される領域を確保（リザーブ）してチャネルフィードバックレポートを配置し、ＡＣＫ／ＮＡＣＫを送信する場合には、確保した領域にＡＣＫ／ＮＡＣＫを配置して送信することができる。ここで、ＡＣＫ／ＮＡＣＫを配置するために確保（リザーブ）された領域に、通常はＮＡＣＫを示す情報を含め、ＡＣＫを送信する場合にのみＡＣＫを配置するように構成しても良い。【０１６５】  同様に、移動局装置はスケジューリング要求が配置される領域を確保（リザーブ）してチャネルフィードバックレポートを配置し、スケジューリング要求を送信する場合には、確保した領域にスケジューリング要求を配置して送信することができる。ここで、スケジューリング要求を配置するために確保（リザーブ）された領域に、通常は“０：スケジューリング要求なし”を示す情報を含め、“１：スケジューリング要求”を示す情報を送信する場合にのみ、“１：スケジューリング要求”を配置するように構成しても良い。移動局装置がＰＵＳＣＨを使用してチャネルフィードバックレポートとスケジューリング要求を同時に送信する際に、スケジューリング要求が配置される領域を確保（リザーブ）してチャネルフィードバックレポートを配置することで、チャネルフィードバックレポートの一部を欠くことなく、全てのチャネルフィードバックレポートとスケジューリング要求を送信することができる。【０１６６】  図１３は、図９の多重化方法に対応している。移動局装置は、事前に仕様等で定義されたＡＣＫ／ＮＡＣＫとスケジューリング要求が配置される領域（白抜きで示される）を確保（リザーブ）してチャネルフィードバックレポートを配置し、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。ここで、図１２でも説明したように、ＡＣＫ／ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし”を示す情報を含め、“１：スケジューリング要求”を示す情報を送信する場合にのみ、“１：スケジューリング要求”を配置するように構成しても良い。【０１６７】  図１４は図１０に対応している。移動局装置は、事前に仕様等で定義されたＲＩとＡＣＫ／ＮＡＣＫとスケジューリング要求が配置される領域（白抜きで示される）を確保（リザーブ）してＣＱＩとＰＭＩを配置する。ＲＩが配置される領域は仕様等によって定義される。移動局装置は、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。また、ＲＩを送信する場合には、確保した領域にＲＩを配置して送信することができる。ここで、図１２でも説明したように、ＡＣＫ／ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。また、ＲＩを送信するために確保（リザーブ）された領域に、送信したＲＩをそのまま配置しておき、ＲＩを変更する場合にのみ、新たなＲＩを配置するように構成しても良い。【０１６８】  図１５は、図１１の多重化方法に対応している。移動局装置は、事前に仕様等で定義されたＡＣＫ／ＮＡＣＫとスケジューリング要求が配置される領域（白抜きで示される）を確保（リザーブ）してチャネルフィードバックレポートを配置し、ＡＣＫ／ＮＡＣＫを送信する場合には、確保した領域にＡＣＫ／ＮＡＣＫを配置して送信することができ、また、スケジューリング要求を送信する場合には、確保した領域にスケジューリング要求を配置して送信することができる。ここで、図１２でも説明したように、ＡＣＫ／ＮＡＣＫを配置するために確保（リザーブ）された領域に、通常はＮＡＣＫを示す情報を含め、ＡＣＫを送信する場合にのみＡＣＫを配置するように構成しても良い。また、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。【０１６９】  ここで、移動局装置は、スケジューリング要求が配置される領域を確保（リザーブ）してチャネルフィードバックレポートを配置し、ＡＣＫ／ＮＡＣＫはチャネルフィードバックレポートをパンクチャして配置することができることは勿論である。また、ＡＣＫ／ＮＡＣＫが配置される領域を確保（リザーブ）してチャネルフィードバックレポートを配置し、スケジューリング要求はチャネルフィードバックレポートをパンクチャして配置することができることは勿論である。【０１７０】  同様に、図１６は、移動局装置がＰＵＳＣＨを使用してチャネルフィードバックレポートとスケジューリング要求を同時に送信する際の多重化の別の例について記載している。図１６には、ＡＣＫ／ＮＡＣＫを配置する領域が確保されていない。すなわち、移動局装置がチャネルフィードバックレポートとＡＣＫ／ＮＡＣＫとスケジューリング要求の３つの情報を、ＰＵＳＣＨを使用して同時に送信するための多重化方法と、チャネル情報とスケジューリング要求の２つの情報を、ＰＵＳＣＨを使用して同時に送信するための多重化方法がそれぞれ定義され、移動局装置は送信する情報（チャネルフィードバックレポートとＡＣＫ／ＮＡＣＫとスケジューリング要求を同時に送信するのか、チャネルフィードバックレポートとスケジューリング要求を同時に送信するのか）によって、多重化の方法を切り替えて送信することができる。【０１７１】  図１６は、チャネルフィードバックレポートとスケジューリング要求を送信する際の多重化の例であり、チャネルフィードバックレポートは周波数の片側（図１６では、高い周波数帯側に記載しているが低い周波数帯側でも勿論よい）にＲＳに隣接して配置されている。チャネルフィードバックレポートが配置される領域数は、チャネルフィードバッ���レポートのＭＣＳ（Ｍｏｄｕｌａｔｉｏｎ  ａｎｄ  Ｃｏｄｉｎｇ  Ｓｃｈｅｍｅ、変調方式、および／または、符号化方式）に応じて異なってくる（チャネルフィードバックレポートの変調方式、および／または、符号化方式はデフォルト値で固定されていてもよい）。この際に、移動局装置は、スケジューリング要求を、チャネルフィードバックレポートをパンクチャして配置してもよいし、予め仕様等で決められたスケジューリング要求を配置する領域を確保（リザーブ）してチャネルフィードバックレポートを配置してもよい。図１２でも説明したように、スケジューリング要求を配置するために確保（リザーブ）された領域に、通常は“０：スケジューリング要求なし“を示す情報を含め、“１：スケジューリング要求”を示す情報を送信する場合にのみ、“１：スケジューリング要求”を配置するように構成しても良い。移動局装置が、チャネルフィードバックレポートとＡＣＫ／ＮＡＣＫとスケジューリング要求を同時に送信する場合と、チャネルフィードバックレポートとスケジューリング要求を送信する場合で、異なる多重化方法を使用することにより、ＡＣＫ／ＮＡＣＫが存在しないときにより多くのチャネルフィードバックレポートを基地局装置に送信することができる。【０１７２】  以上説明したように、本発明の第１の実施形態によれば、移動局装置が上りリンクデータを送信するためのリソースの割り当てを要求する（ＵＬ−ＳＣＨでの送信を要求する）スケジューリング要求を、ＰＵＳＣＨを使用してチャネルフィードバックレポートと同時に送信することにより、基地局装置は、移動局装置から送信されたチャネルフィードバックレポートに応じてＡＭＣモードを切り替えて、リソースの割り当てを行なうことができる。すなわち、基地局装置が、移動局装置からのスケジューリング要求に応じてＰＵＳＣＨのリソースを割り当てる際に、同時に送信されるチャネルフィードバックレポートに基づいて適切なＡＭＣモードを決定することができる。【０１７３】  また、基地局装置が、適切なＡＭＣモードでＰＵＳＣＨのリソースを移動局装置に割り当てることができ、効率的な基地局装置、移動局装置間の通信制御を行なうことができる。また、移動局装置がチャネルフィードバックレポートとスケジューリング要求を同時に送信できることにより、移動局装置がＰＵＳＣＨを使用してチャネルフィードバックレポートのみを送信する場合でもスケジューリング要求を送信することができ、上りリンクデータを迅速に送信する（ＵＬ−ＳＣＨでの送信を迅速に行なう）ことができる。【０１７４】  また、移動局装置がＰＵＳＣＨを使用してチャネルフィードバックレポートとスケジューリング要求を同時に送信する際の多重化として、スケジューリング要求をＲＳに隣接して配置することで、基地局装置でのチャネル推定誤りによるスケジューリング要求の復号化精度の劣化を軽減することができ、スケジューリング要求がチャネル変動に対して強固な耐性を持つことができる。同様に、移動局装置がＰＵＳＣＨを使用してチャネルフィードバックレポートとスケジューリング要求を同時に送信する際の多重化として、スケジューリング要求をＡＣＫ／ＮＡＣＫに隣接して配置することで、基地���装置におけるチャネルフィードバックレポートとＡＣＫ／ＮＡＣＫとスケジューリング要求の復号化する際の処理を軽減することができる。【０１７５】  （第２の実施形態）
上述した第１の実施形態においては、説明の都合上、基地局装置と移動局装置とが一対一の場合を例にとって説明したが、基地局装置および移動局装置は複数であっても良いことはもちろんである。【０１７６】  また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。【０１７７】  以上、本発明の実施形態について図面を参照して詳述してきたが、具体的な構成はこの実施形態に限られるものではなく、この発明の要旨を逸脱しない範囲の設計等も特許請求の範囲に含まれる。
【手続補正２】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
物理上りリンク制御チャネルを使用してスケジューリング要求を基地局装置へ送信する移動局装置であって、
前記基地局装置から、物理上りリンク共用チャネルを使用した上りリンクデータ（ＵＬ−ＳＣＨ）を伴わないチャネルフィードバックレポートの送信を指示する情報を含んだ信号を受信した場合は、
前記物理上りリンク共用チャネルを使用してスケジューリング要求を前記基地局装置へ送信することを特徴とする移動局装置。
【請求項１１】
前記上りリンクデータ（ＵＬ−ＳＣＨ）を伴わないチャネルフィードバックレポートの送信を指示する情報を含んだ無線資源制御信号を前記基地局装置から受信することを特徴とする請求項１０記載の移動局装置。
【請求項１２】
前記上りリンクデータ（ＵＬ−ＳＣＨ）を伴わないチャネルフィードバックレポートの送信を指示する情報を含んだ上りリンク送信許可信号を前記基地局装置から受信することを特徴とする請求項１０記載の移動局装置。
【請求項１３】
前記スケジューリング要求を、前記上りリンクデータ（ＵＬ−ＳＣＨ）を伴わないチャネルフィードバックレポートと共に前記基地局装置へ送信することを特徴とする請求項１０から請求項１２のいずれかに記載の移動局装置。
【請求項１４】
前記スケジューリング要求を、前記物理上りリンク共用チャネルで、時間方向に対して上りリンク参照信号と隣接する位置に配置し、前記基地局装置へ送信することを特徴とする請求項１０から請求項１３のいずれかに記載の移動局装置。
【請求項１５】
前記スケジューリング要求を、前記物理上りリンク共用チャネルで、時間方向に対してＡＣＫ／ＮＡＣＫと隣接する位置に配置し、前記基地局装置へ送信することを特徴とする請求項１０から請求項１３のいずれかに記載の移動局装置。
【請求項１６】
前記スケジューリング要求を、前記物理上りリンク共用チャネルで、時間方向に対してＲＩ（Ｒａｎｋ  Ｉｎｄｉｃａｔｏｒ）と隣接する位置に配置し、前記基地局装置へ送信することを特徴とする請求項１０から請求項１３のいずれかに記載の移動局装置。
【請求項１７】
前記スケジューリング要求を、前記物理上りリンク共用チャネルで、時間方向に対して上りリンク参照信号と隣接する位置であって、かつ、前記上りリンク参照信号に隣接するＡＣＫ／ＮＡＣＫと周波数方向に対して反対側の位置に配置し、前記基地局装置へ送信することを特徴とする請求項１０から請求項１３のいずれかに記載の移動局装置。
【請求項１８】
移動局装置が物理上りリンク制御チャネルを使用してスケジューリング要求を基地局装置へ送信する通信方法であって、
前記移動局装置が、物理上りリンク共用チャネルを使用した上りリンクデータ（ＵＬ−ＳＣＨ）を伴わないチャネルフィードバックレポートの送信を指示する情報を含んだ信号を前記基地局装置から受信した場合は、
前記物理上りリンク共用チャネルを使用してスケジューリング要求を前記基地局装置へ送信することを特徴とする通信方法。
【請求項１９】
前記移動局装置が、前記上りリンクデータ（ＵＬ−ＳＣＨ）を伴わないチャネルフィードバックレポートの送信を指示する情報を含んだ無線資源制御信号を前記基地局装置から受信することを特徴とする請求項１８記載の通信方法。
【請求項２０】
前記移動局装置が、前記上りリンクデータ（ＵＬ−ＳＣＨ）を伴わないチャネルフィートバックレポートの送信を指示する情報を含んだ上りリンク送信許可信号を前記基地局装置から受信することを特徴とする請求項１８記載の通信方法。
【請求項２１】
前記移動局装置が、前記スケジューリング要求を、前記上りリンクデータ（ＵＬ−ＳＣＨ）を伴わないチャネルフィードバックレポートと共に前記基地局装置へ送信することを特徴とする請求項１８から請求項２０のいずれかに記載の通信方法。
【請求項２２】
前記移動局装置が、前記スケジューリング要求を、前記物理上りリンク共用チャネルで、時間方向に対して上りリンク参照信号と隣接する位置に配置し、前記基地局装置へ送信することを特徴とする請求項１８から請求項２１のいずれかに記載の通信方法。
【請求項２３】
前記移動局装置が、前記スケジューリング要求を、前記物理上りリンク共用チャネルで、時間方向に対してＡＣＫ／ＮＡＣＫと隣接する位置に配置し、前記基地局装置へ送信することを特徴とする請求項１８から請求項２１のいずれかに記載の通信方法。
【請求項２４】
前記移動局装置が、前記スケジューリング要求を、前記物理上りリンク共用チャネルで、時間方向に対してＲＩ（Ｒａｎｋ  Ｉｎｄｉｃａｔｏｒ）と隣接する位置に配置し、前記基地局装置へ送信することを特徴とする請求項１８から請求項２１のいずれかに記載の通信方法。
【請求項２５】
前記移動局装置が、前記スケジューリング要求を、前記物理上りリンク共用チャネルで、時間方向に対して上りリンク参照信号と隣接する位置であって、かつ、前記上りリンク参照信号に隣接するＡＣＫ／ＮＡＣＫと周波数方向に対して反対側の位置に配置し、前記基地局装置へ送信することを特徴とする請求項１８から請求項２１のいずれかに記載の通信方法。
【国際調査報告】
2009128285.tif 000022
2009128285.tif 000023
2009128285.tif 000024
2009128285.tif 000025
2009128285.tif 000026
2009128285.tif 000027